(57)【特許請求の範囲】
【請求項１】
遊技中に所定の抽選契機が発生したことを条件として、所定の内部抽選を実行する抽選実行手段と、
前記抽選実行手段により前記内部抽選が実行されると、予め決定された変動時間にわたり図柄を変動表示させた後、前記内部抽選の結果を表す態様で図柄を停止表示させる図柄表示手段と、
前記内部抽選で当選の結果が得られたことを契機として前記図柄表示手段により当選を表す態様で図柄が停止表示されると、特別遊技を実行する特別遊技実行手段と、
遊技中の演出に登場させることが可能な複数の選択画像の中から任意に第１選択画像を選択するための第１選択情報を遊技者の操作入力に基づいて受け付ける第１選択操作受付手段と、
前記第１選択操作受付手段により前記第１選択情報が受け付けられた場合、前記内部抽選で当選が得られたことを契機として前記特別遊技実行手段により実行される前記特別遊技中に前記第１選択画像に対応する第１演出を実行する第１演出実行手段と、
前記特別遊技中に前記複数の選択画像の中から任意に前記第１選択画像とは別の第２選択画像を遊技者に選択可能とする選択演出が実行されることに応じて、この選択演出の中で前記第１選択画像に代替可能な対象として前記第２選択画像を選択するための第２選択情報を遊技者の操作入力に基づいて受け付ける第２選択操作受付手段と、
前記第２選択操作受付手段により前記第２選択情報が受け付けられた場合、前記特別遊技の終了後の前記内部抽選を経て前記特別遊技実行手段により実行される再度の前記特別遊技中に、前記第２選択画像に対応する第２演出を前記第１演出から相互に代替可能に実行する第２演出実行手段と、
前記抽選実行手段による前記内部抽選で得られる当選の結果について、少なくとも通常当選種類及び特定当選種類を含む複数の当選種類を予め規定する当選種類規定手段と、
前記内部抽選の結果が当選に該当する場合、今回の当選が前記当選種類規定手段により規定された前記通常当選種類又は前記特定当選種類のいずれに該当するかを決定する当選種類決定手段と、
前記内部抽選で当選の結果が得られ、かつ、前記当選種類決定手段により今回の当選が前記特定当選種類に該当すると決定された場合、前記特別遊技が終了した後の前記内部抽選に際して、少なくとも標準的な確率で当選が得られる低確率状態から、この低確率状態に比較して高い確率で当選が得られる高確率状態に移行させる高確率状態移行手段とを備え、
前記第１演出実行手段は、
前記第１選択操作受付手段により前記第１選択情報が受け付けられた場合、前記内部抽選での当選を契機として前記第１演出を実行し、
前記第２選択操作受付手段は、
前記内部抽選の当選時に前記当選種類決定手段により前記特定当選種類に該当すると決定された場合、特定条件が満たされたものとして前記第１演出が実行されている当該特別遊技が終了するまでの間に前記選択演出が実行可能とされることに応じて前記第２選択情報を遊技者の操作入力に基づいて受け付け可能とし、
前記第２演出実行手段は、
前記特別遊技の終了後に移行される前記高確率状態である特定期間内の前記抽選契機の発生に基づいて前記第２選択画像に対応する所定演出を連続的に実行することを特徴とする遊技機。
【請求項２】
請求項１に記載の遊技機において、
前記第２演出実行手段は、
前記特定期間内に実行された前記内部抽選で次回の当選が得られた場合、前記特別遊技実行手段により実行される次回の前記特別遊技中に前記第２演出を前記第１演出から代替させて実行することを特徴とする遊技機。
【発明の詳細な説明】
【技術分野】
【０００１】
本発明は、遊技中の演出に用いられる対象を遊技者が選択することができる遊技機に関する。
【背景技術】
【０００２】
従来、遊技中の演出に用いられるキャラクター等を遊技者が任意に選択することができる遊技機の先行技術（１）が知られている（例えば、特許文献１参照。）。この先行技術（１）では、遊技中に行われる「メインキャラ挨拶」や「メインキャラ会話」等の演出に関して、複数のキャラクターＡ〜Ｃの中から遊技者が選択した任意のキャラクターを活躍させる演出制御を行っている。
【０００３】
またその他に、大当り遊技状態で行われる演出内容に関して、遊技者による操作ボタンの操作に応じて選択項目を指定することができる遊技機の先行技術（２）が知られている（例えば、特許文献２参照。）。この先行技術（２）では、大当り遊技状態に制御されたときに連荘中フラグがオンの場合はストーリーの順番に演出を実行していくが、連荘中フラグがオフである場合、「次話へ」、「最初から」、「キャラクタ紹介」といった選択項目とともにカーソルを画面に表示する。そして、遊技者による操作ボタンの操作に応じてカーソルにより「次話へ」の選択項目が指定された場合には、前回の１５ラウンド大当り状態中に実行されたストーリー演出の次話のストーリー演出が実行される。
【０００４】
上記の先行技術（１）によれば、遊技者の任意な選択によって演出に変化を持たせることができるため、ある程度は飽きの防止に有効であると考えられる。
また先行技術（２）によれば、大当り遊技状態の連続性が途切れた場合であっても、前回の大当り遊技状態で行われたストーリー演出から継続して演出を選択することができるため、同じストーリー演出を何度も発生させることによる飽きの防止に役立つと考えられる。
【先行技術文献】
【特許文献】
【０００５】
【特許文献１】特開２００８−１４８８０９号公報
【特許文献２】特開２００９−１６５７２４号公報
【発明の概要】
【発明が解決しようとする課題】
【０００６】
しかし、先行技術（１）は、単に遊技者によるキャラクターの選択をランダムに許容しているだけであり、そこには特段の遊技性がなく、これといった面白味に欠けるという問題がある。
【０００７】
また先行技術（２）は、一見すると選択の自由度があるように思えるものの、対象があくまで「ストーリー演出」の各話であるため、予め決められたストーリー順序（１話の次は２話）によって選択対象が制約されている。そうかといって、先行技術（１）のようにランダムな選択を許容してしまうと、大当り遊技状態ごとに発生する「ストーリー演出」の順番がバラバラになり、もはや演出としての意味をなさなくなるという問題がある。
【０００８】
そこで本発明は、演出に関してある程度の自由度が高い選択が可能であり、また、選択の条件に応じて遊技性を向上することができる技術の提供を課題とする。
【課題を解決するための手段】
【０００９】
本発明は、上記の課題を解決するため以下の解決手段を採用する。
解決手段１：本発明の遊技機は、遊技中に所定の抽選契機が発生したことを条件として、遊技者の利益（例えば可変入賞装置の作動契機が発生するという利益）に関わる内部抽選を実行する抽選実行手段と、前記抽選実行手段により前記内部抽選が実行されると、予め決定された変動時間にわたり図柄（例えば記号的に視認される図案も含む）を変動表示させた後、前記内部抽選の結果を表す態様で図柄を停止表示させる図柄表示手段と、前記内部抽選で当選の結果が得られたことを契機として前記図柄表示手段により当選を表す態様で図柄が停止表示されると、通常の条件（例えば内部抽選及び特別図柄の変動が行われるという条件）とは異なる特別な条件（例えば内部抽選及び特別図柄の変動は行われず、可変入賞装置が連続して作動するという条件）が適用された特別遊技を実行する特別遊技実行手段と、前記図柄表示手段による図柄の変動表示が開始されていない状態で、遊技中の演出に登場する複数のキャラクターの中から任意に第１キャラクターを選択するための第１選択情報を遊技者の操作入力に基づいて受け付ける第１選択操作受付手段と、前記第１選択操作受付手段により前記第１選択情報が受け付けられた場合、前記内部抽選で当選が得られたことを契機として前記特別遊技実行手段により実行される前記特別遊技中に前記第１キャラクターを登場させた第１キャラクター演出を実行する第１キャラクター演出実行手段と、前記内部抽選の当選時に特定条件が満たされた場合、前記特別遊技中に行われる前記第１キャラクター演出の中で前記第１キャラクターについての完了演出を実行した後、前記特別遊技が終了するまでの間に前記複数のキャラクターの中から任意に前記第１キャラクターとは別の第２キャラクターを遊技者に選択可能とする選択演出を実行し、この選択演出の中で前記第２キャラクターを選択するための第２選択情報を遊技者の操作入力に基づいて受け付ける第２選択操作受付手段と、前記第２選択操作受付手段により前記第２選択情報が受け付けられた場合、前記特別遊技の終了後に実行された前記内部抽選で再度の当選が得られたことを契機として前記特別遊技実行手段により実行される再度の前記特別遊技中に、前記第２キャラクターを登場させた第２キャラクター演出を実行する第２キャラクター演出実行手段とを備える。
【００１０】
本発明の遊技機によれば、内部抽選が行われる前（図柄の変動表示が開始される前）に遊技者の任意により第１キャラクターを選択しておくことで、これ以降で当選を契機として実行される特別遊技中に第１キャラクターを登場させた演出（第１キャラクター演出）が実行される。これにより、遊技者に対して「当選すれば選択しておいた第１キャラクターが特別遊技中の演出に登場してくる」ということを印象付け、先の選択操作に対する意義を明確に認識させることができる。
【００１１】
また加えて、その当選時に特定条件（例えば特別遊技の終了後に内部抽選がそれまでよりも有利化されるという条件）が満たされていれば、第１キャラクター演出の中で完了演出が行われて次の第２キャラクターを任意に選択可能となる。そして、第２キャラクターが選択された場合は次回（再度）の当選を契機として実行される次回（再度）の特別遊技中に第２キャラクターを登場させた演出（第２キャラクター演出）が実行される。
【００１２】
特別遊技中に第２キャラクターを登場させた演出は、図柄表示手段にて図柄を変動表示させている表示と並行して登場させる場合の第２キャラクターの演出表示とは異なる態様の特別な演出表示とすることで、遊技者に優越感を付与するようにするとよい。例えば、第２キャラクターと遊技者との対戦を意識した演出表示として、戦いの駆け引きを楽しめるようにすると好適である。
【００１３】
また、第２キャラクターが有効に選択された場合は、図柄表示手段にて図柄を変動させている表示と並行して第２キャラクターを出現させる第２キャラクター演出表示を行うようにするとともに、特別遊技終了後から次回（再度）の特別遊技状態となるまでの所定期間において、抽選契機で図柄の変動表示を実行する度に、この第２キャラクター演出表示を毎回連続的に行うようにすると好適である。これにより、遊技者に対して第２キャラクターを選択できたという達成感をより強く与えることが可能となる。なお、第２キャラクター演出表示において、第２キャラクターを主役のごとくメインで活躍させる演出表示とするとより効果的である。
【００１４】
また、特別遊技の終了後において、内部抽選がそれまでよりも有利化される状態（高確率状態）であるか否かを意図的に報知（又は教示、開示等）しないモード、いわゆる電動チューリップのサポートなし大当り後のモード移行で突入する高確率状態の潜伏の期待度がある確変潜伏モードとなることを条件に、第２キャラクター演出表示を抽選契機の図柄変動表示と並行させて毎回連続的に行い、当該確変潜伏モードの経過時、又はその後の所定演出表示タイミングであっても第２キャラクター演出表示が発生する場合には、内部抽選がそれまでより有利化されている状態であったことの報知（確定演出）となるようにすると好適である。これにより、確変潜伏モード経過の際まで第２キャラクターの選択が有効であるか否かの期待感を遊技者に付与することが可能となる。
【００１５】
また、特定条件が満たされなくて第２キャラクターの選択が有効とならなかった場合においても、その選択された第２キャラクターを一時的に記憶可能としておき、当該特別遊技の終了後において抽選契機で図柄表示手段により図柄が停止表示された回数が予め定められた所定回数となるまでに次回（再度）の当選が得られた場合には、この次回（再度）の特別遊技中に第２キャラクターを登場させた第２キャラクター演出が実行されるようにすると好適である。これにより、遊技者に第２キャラクターを選択させた行為に対する喪失感を軽減させるとともに、次回の当選までにおける継続遊技のモチベーション向上を図ることができる。
【００１６】
また、特別遊技中に行われる当該選択キャラクターについての完了演出が行われた後の次回キャラクター選択タイミングにおいて、いわゆる初当り（有利化されていない状態での当り）から連続的に当選が発生し、それに基づいて予め定められた所定回数のキャラクター選択（前述の第２キャラクターの有効選択と同様の行為）が達成されていることを条件に、それまで遊技者選択を不可能にしていたキャラクターを任意に選択可能となるようにすると好適である。これにより、任意に選択できなかったキャラクターの選択目標の設定ができ、遊技継続の意欲向上を図ることができる。
【００１７】
なお「完了演出」は、例えば選択した「第１キャラクター」に関して、演出上で何らかの進展ないし決着を見せる態様（例えば第１キャラクターが遊技者に対して親近感を抱いたような態度で接してきたり、逆に第１キャラクターが演出上の適役であれば、これとの勝負で勝ちを収めたりする等）であり、演出上で「完了した」という概念を遊技者に想起させるものとする。
【００１８】
これにより、（１）当選すれば、先に選択しておいた第１キャラクターが登場する演出に接する機会が得られること、（２）当選時の条件次第では、先に選択した第１キャラクターとの関係性を演出上で完了（決着）することができること、（３）それによって次の新たな第２キャラクターを選択する権利が付与されること、等の多様な遊技性を実現することができる。
【００１９】
また、複数のキャラクターの中からいずれを「第１キャラクター」として選択するかは遊技者の任意であり、さらに別の「第２キャラクター」についても複数のキャラクターの中から任意に選択可能であることから、「予め決められた順番で選択しなければならない」といった制約を受けることなく、選択の自由度を幅広く確保することができる。
【００２０】
その一方で、「第１キャラクター」の選択操作に対して特に条件は設けられていないが、特別遊技中の「第２キャラクター」の選択操作に対しては、「当選時に特定条件を満たすこと」が求められることから、単純に当選を得ただけでは次の「第２キャラクター」を選択する権利が得られない。これにより、遊技者に対して「当選はしたが、果たして特別遊技中に次のキャラクターを選択することができるか」といった緊張感を抱かせたり、「次のキャラクターを選択できることを目標に遊技に取り組もう」といった積極的な遊技意欲を抱かせたりすることができる。
【００２１】
解決手段２：また本発明は、解決手段１において、前記抽選実行手段による前記内部抽選で得られる当選の結果について、少なくとも通常当選種類及び特定当選種類を含む複数の当選種類を予め規定する当選種類規定手段と、前記内部抽選の結果が当選に該当する場合、今回の当選が前記当選種類規定手段により規定された前記通常当選種類又は前記特定当選種類のいずれに該当するかを決定する当選種類決定手段と、前記内部抽選で当選の結果が得られ、かつ、前記当選種類決定手段により今回の当選が前記特定当選種類に該当すると決定された場合、前記特別遊技が終了した後の前記内部抽選に際して、少なくとも標準的な確率で当選が得られる低確率状態から、この低確率状態に比較して高い確率で当選が得られる高確率状態に移行させる高確率状態移行手段とをさらに備え、前記第１選択操作受付手段は、前記高確率状態に移行される前の前記低確率状態にある間に前記図柄表示手段による図柄の変動表示が開始されていない状態で前記第１選択情報を遊技者の操作入力に基づいて受け付け可能であり、前記第１キャラクター演出実行手段は、前記低確率状態にある間に前記第１選択操作受付手段により前記第１選択情報が受け付けられた場合、前記内部抽選で当選が得られたことを契機として前記特別遊技実行手段により実行される前記特別遊技中に前記第１キャラクター演出を実行し、前記第２選択操作受付手段は、前記低確率状態にある間に行われた前記内部抽選の当選時に前記当選種類決定手段により前記特定当選種類に該当すると決定された場合、前記特定条件が満たされたものとして前記特別遊技中に行われる前記第１キャラクター演出の中で前記完了演出を実行した後、前記特別遊技が終了するまでの間に実行する前記選択演出の中で前記第２選択情報を遊技者の操作入力に基づいて受け付ける一方、前記低確率状態にある間に行われた前記内部抽選の当選時に前記当選種類決定手段により前記通常当選種類に該当すると決定された場合、前記特定条件が満たされないものとして前記特別遊技中に行われる前記第１キャラクター演出の中で前記完了演出を実行することなく前記第２選択情報の受け付けを不可とし、前記第２キャラクター演出実行手段は、前記第２選択操作受付手段により前記第２選択情報が受け付けられた場合、前記特別遊技の終了後に移行される前記高確率状態の間に前記内部抽選で再度の当選が得られたことを契機として実行される再度の前記特別遊技中に前記第２キャラクター演出を実行することができる。
【００２２】
本解決手段によれば、当選時の条件である「特定条件」について、以下の特徴が追加される。
（１）すなわち、当選種類として「通常当選種類」と「特定当選種類」とがあり、このうち「特定当選種類」に該当すると、特別遊技の終了後に「高確率状態」となる特典が追加される。
（２）「高確率状態」になると、内部抽選で当選が得られる確率がそれまでの「低確率状態」よりも高くなり、より少ない抽選回数（図柄の変動表示及び停止表示の回数）で比較的早期に次の当選が得られやすくなる。
（３）このため、先の当選時に「特定当選種類」に該当すると、次の当選がほとんど約束（当選継続確定）されたことになり、特別遊技が連続して実行される（いわゆる連チャンする）契機となる。
【００２３】
以上の特徴に基づき、本解決手段では以下の遊技性を実現している。
（Ａ）「第１キャラクター」の選択を行って遊技を開始し、そこから当選した場合は特別遊技中に「第１キャラクター演出」が実行されるが、その途中まで「特定当選種類」又は「通常当選種類」のいずれに該当したかが演出上では開示されない。
（Ｂ）「第１キャラクター演出」の中で「完了演出」が実行されると、当選時に「特定当選種類」に該当していたことが演出上で開示され、それによって「高確率状態」への移行が確定し、「次回の当選継続」がほぼ約束された状態となる。このため、今回の特別遊技中に「第２キャラクター」を選択（指名・予約）しておく権利を遊技者に付与し、それによって一定の達成感や満足感を抱かせることができる。
（Ｃ）そして「高確率状態」から次回の当選が得られると、特別遊技中は先に選択（指名・予約）しておいた「第２キャラクター」を登場させる演出が行われ、それによって前回の特別遊技から連続した遊技性を実現することができる。
（Ｄ）一方で、先の当選時に「通常当選種類」に該当していた場合は「完了演出」が実行されず、次の「第２キャラクター」を選択することもできなくなる。これは、「低確率状態」からの当選時に「通常当選種類」に該当した場合、特別遊技の終了後は「低確率状態」が維持されることになるため、「高確率状態」のように連続した当選が約束されていないためである。
（Ｅ）したがって、この場合は「第２キャラクター」の選択操作そのものを受け付けることなく特別遊技を終了し、遊技者に対して再挑戦を促すといった遊技性を実現することができる。
【００２４】
解決手段３：解決手段１，２において、本発明の遊技機は、前記第２キャラクター演出が実行される再度の前記特別遊技について、その契機となった前記内部抽選の当選時に前記特定条件が繰り返し満たされた場合、前記第２キャラクター演出の中で前記第２キャラクターについての完了演出を実行した後、前記特別遊技が終了するまでの間に前記複数のキャラクターの中から任意に前記第１及び第２キャラクターとは別の第３キャラクターを遊技者に選択可能とする選択演出を実行し、この選択演出の中で前記第３キャラクターを選択するための第３選択情報を遊技者の操作入力に基づいて受け付ける第３選択操作受付手段と、前記第３選択操作受付手段により前記第３選択情報が受け付けられた場合、前記特別遊技の終了後に実行された前記内部抽選で次回の当選が得られたことを契機として前記特別遊技実行手段により実行される次回の前記特別遊技中に、前記第３キャラクターを登場させた第３キャラクター演出を実行する第３キャラクター演出実行手段と、前記第２キャラクター演出が実行される再度の前記特別遊技について、その契機となった前記内部抽選の当選時に前記特定条件が満たされなかった場合、前記第２キャラクター演出の中で前記完了演出と異なる態様の非完了演出を実行した後、前記特別遊技が終了するまでの間に前記第３選択操作受付手段による前記第３選択情報の受け付けを不可とする非完了演出実行手段と、前記第２キャラクター演出が実行される再度の前記特別遊技について、その契機となった前記内部抽選の当選時に前記特定条件が満たされなかったことで前記特別遊技中の前記第２キャラクター演出の中で前記非完了演出が実行された場合、前記特別遊技の終了後の特定期間内に実行された前記内部抽選で次回の当選が得られたことを契機として前記特別遊技実行手段により実行される次回の前記特別遊技中に、前記第２キャラクターを再登場させた再登場演出を実行する再登場演出実行手段とをさらに備える。
【００２５】
なお本解決手段において、少なくとも通常の頻度で前記抽選契機の発生が可能であり、かつ、前記図柄表示手段による図柄の変動表示に際して前記変動時間が標準的な長さに設定される非時間短縮状態で行われた前記内部抽選で当選の結果が得られた場合、前記特別遊技実行手段により実行される前記特別遊技が終了すると、前記図柄表示手段により図柄の変動表示及び停止表示が行われる回数が所定の上限回数に達するまでを前記特定期間として、前記非時間短縮状態に比較して高頻度で前記抽選契機の発生が可能であり、かつ、前記非時間短縮状態に比較して前記変動時間が短縮された長さに設定される時間短縮状態に移行させる時間短縮状態移行手段を備えてもよい。
【００２６】
また本解決手段において、前記第３選択操作受付手段は、前記高確率状態にある間に行われた前記内部抽選の当選時に前記当選種類決定手段により前記特定当選種類に該当すると決定された場合、前記特定条件が繰り返し満たされたものとして前記特別遊技中に行われる前記第２キャラクター演出の中で前記完了演出を実行した後、前記特別遊技が終了するまでの間に実行する前記選択演出の中で前記第３選択情報を遊技者の操作入力に基づいて受け付けることとしてもよい。
【００２７】
また前記非完了演出実行手段は、前記第２キャラクター演出が実行される再度の前記特別遊技について、その契機となった前記内部抽選の当選時に前記当選種類決定手段により前記通常当選種類に該当すると決定された場合、前記特定条件が満たされなかったとして前記第２キャラクター演出の中で前記完了演出と異なる態様の非完了演出を実行した後、前記特別遊技が終了するまでの間に前記第３選択操作受付手段による前記第３選択情報の受け付けを不可とすることとしてもよい。
【００２８】
そして前記再登場演出実行手段は、前記第２キャラクター演出が実行される再度の前記特別遊技について、その契機となった前記内部抽選の当選時に前記当選種類決定手段により前記通常当選種類に該当すると決定され、前記特定条件が満たされなかったことで前記特別遊技中の前記第２キャラクター演出の中で前記非完了演出が実行された場合、前記特別遊技の終了後の前記時間短縮状態における前記特定期間内に実行された前記内部抽選で次回の当選が得られたことを契機として前記特別遊技実行手段により実行される次回の前記特別遊技中に、前記第２キャラクターを再登場させた前記再登場演出を実行することとしてもよい。
【００２９】
いずれにしても本解決手段によれば、さらに以下の遊技性が追加される。
（１）「高確率状態」に移行して特別遊技が連続した場合、その中で「第２キャラクター」を登場させた演出が行われ、上記のように遊技者に対して「特別遊技の連続」や「継続した遊技性」等を実感させることができる。
（２）ただし、これ以降も「高確率状態」に移行できるかどうかは当選時に繰り返し「特定当選種類」に該当していることが条件となるため、果たして「第２キャラクター演出」の中でも「完了演出」が実行されるかどうかが遊技者にとって１つの大きな山場となる。
（３）そして、見事に「完了演出」が発生すれば（実行されれば）、それによって特別遊技終了後の「高確率状態」への移行が確定するため、新規に別の「第３キャラクター」を選択（予約・指名）できる権利が遊技者に付与される。これにより、遊技者に対して連続的に達成感や満足感を抱かせることができる。
（４）そして「高確率状態」から繰り返し当選が得られると、次回も特別遊技中は先に選択（指名・予約）しておいた「第３キャラクター」を登場させる演出が行われ、それによって引き続き連続した遊技性を実現することができる。
（５）一方で、「高確率状態」からの当選時に「通常当選種類」に該当していた場合は「完了演出」が実行されず、代わりに「非完了演出」が実行される。ここで「非完了演出」は、例えば選択した「第２キャラクター」に関して、演出上で何らかの進展ないし決着が見られない態様（例えば第２キャラクターが遊技者に対して親近感を抱くことができない態度で接してきたり、逆に第２キャラクターが演出上の適役であれば、これとの勝負で敗北したりする等）であり、演出上で「完了しなかった」という概念を遊技者に想起させるものとする。このような「非完了演出」では新規に「第３キャラクター」を選択することはできなくなる。これは、「高確率状態」からの当選時に「通常当選種類」に該当した場合、特別遊技の終了後は「低確率状態」に復帰するため、連続した当選はひとまず途切れるからである。
（６）ただし、これまでせっかく特別遊技を連続してきたことから、たとえ「非完了演出」が実行されたとしても、先に選択（予約・指名）していた「第２キャラクター」を演出から除外してしまうともったいない。そこで本解決手段では、特別遊技終了後の特定期間内に再度の当選が得られれば、次回の特別遊技中に「第２キャラクター」を再登場させた演出を実行することとしている。これにより、以前まで選択していた「第２キャラクター」に対して演出上の名残を発生させ、遊技者に巻き返しのチャンス（リベンジ演出）を提供することができる。
【００３０】
解決手段４：解決手段３において、前記非完了演出実行手段は、前記第３キャラクター演出が実行される次回の前記特別遊技について、その契機となった前記内部抽選の当選時に前記特定条件が満たされなかった場合、前記第３キャラクター演出の中で前記非完了演出を実行した後、前記特別遊技が終了するまでの間に前記第３選択操作受付手段による次回の前記第３選択情報の受け付けを不可とし、前記再登場演出実行手段は、前記第３キャラクター演出が実行される次回の前記特別遊技について、その契機となった前記内部抽選の当選時に前記特定条件が満たされなかったことで前記特別遊技中の前記第３キャラクター演出の中で前記非完了演出が実行された場合、前記特別遊技の終了後の特定期間内に実行された前記内部抽選で次回の当選が得られたことを契機として前記特別遊技実行手段により実行される次回以降の前記特別遊技中に、前回の前記第３キャラクターを再登場させて前記再登場演出を実行することとしてもよい。
【００３１】
本解決手段によれば、さらに以下の特徴が追加される。
（１）例えば特定条件を満たした当選が３回連続し、「第３キャラクター」まで選択して次回の特別遊技に進んだが、その当選時に特定条件を満たさなかった場合は「非完了演出」が発生し、次のキャラクター選択はできなくなる。
（２）ただし、これまで特別遊技を３回連続してきたことを尊重し、特別遊技終了後の特定期間内に再度の当選が得られれば、次回の特別遊技中に「第３キャラクター」を再登場させた演出を実行することとしている。これにより、以前まで選択していた「第３キャラクター」に対して演出上の名残りを発生させ、遊技者に巻き返しのチャンス（リベンジ演出）を提供することができる。
【００３２】
解決手段５：解決手段３，４において、前記第３選択操作受付手段は、前記第３キャラクター演出実行手段により前記第３キャラクター演出が実行される次回の前記特別遊技について、その契機となった前記内部抽選の次回の当選時に前記特定条件が繰り返し満たされた場合、前記第３キャラクター演出の中で今回の前記第３キャラクターについての完了演出を実行した後、前記特別遊技が終了するまでの間に前記複数のキャラクターの中から任意に今回とは異なる次回以降のキャラクターを遊技者に選択可能とする選択演出を実行し、この選択演出の中で前記次回以降のキャラクターを選択するための次回以降選択情報をさらに遊技者の操作入力に基づいて受け付け可能であり、前記第３キャラクター演出実行手段は、前記第３選択操作受付手段により前記次回以降選択情報が受け付けられた場合、前記特別遊技の終了後に実行された前記内部抽選で次回の当選が得られたことを契機として前記特別遊技実行手段により実行される次回の前記特別遊技中に、前記次回以降のキャラクターを登場させた次回以降キャラクター演出をさらに実行し、さらに前記第３選択操作受付手段は、前記第３キャラクター演出実行手段により前記次回以降キャラクター演出が実行された場合、前記特別遊技の契機となった前記内部抽選の当選時に前記特定条件が繰り返し満たされた場合、前記次回以降キャラクター演出の中で前記次回以降キャラクターについての完了演出を実行した後、前記特別遊技が終了するまでの間に前記複数のキャラクターの中から任意に今回とは異なる新たな前記次回以降のキャラクターを遊技者に選択可能とする選択演出を実行し、この選択演出の中で前記次回以降選択情報をさらに遊技者の操作入力に基づいて受け付けることができる。
【００３３】
本解決手段によれは、以下の特徴が追加される。
（Ａ）例えば特定条件を満たした当選が３回連続したことで「第３キャラクター」まで選択し、「高確率状態」から繰り返し当選（例えば４回連続）が得られると、次回の特別遊技中は先に選択（指名・予約）しておいた「第３キャラクター」を登場させる演出が行われ、それによって引き続き連続した遊技性を実現することができる。
（Ｂ）そして、さらに連続（例えば４回連続）して特定条件を満たしていれば、「第３キャラクター」についても「完了演出」が発生し、「次回以降のキャラクター」を選択する権利が遊技者に付与される。
（Ｃ）そして、特別遊技の終了後に当選すると、次回以降の特別遊技中に「次回以降のキャラクター」が登場する演出が実行される。
（Ｄ）これ以降は繰り返し当選時に「特定条件」を満たすことで、新規な「次回以降のキャラクター」の選択と、これを登場させた特別遊技中の演出が行われる。これにより、「特定条件」を満たす限りは連続して新規な「次回以降のキャラクター」を選択する権利が遊技者に付与されるため、遊技者に対して「次々と新規なキャラクターを選択していこう」とする積極的な動機付けを与えることができる。
【００３４】
解決手段６：解決手段５において、前記非完了演出実行手段は、前記次回以降キャラクター演出が実行される次回以降の前記特別遊技について、その契機となった前記内部抽選の当選時に前記特定条件が満たされなかった場合、前記次回以降キャラクター演出の中で前記非完了演出を実行した後、前記特別遊技が終了するまでの間に前記第３選択操作受付手段による前記次回以降選択情報の受け付けを不可とし、前記再登場演出実行手段は、前記次回以降キャラクター演出が実行される次回以降の前記特別遊技について、その契機となった前記内部抽選の当選時に前記特定条件が満たされなかったことで前記特別遊技中の前記次回以降キャラクター演出の中で前記非完了演出が実行された場合、前記特別遊技の終了後の前記特定期間内に実行された前記内部抽選で当選が得られたことを契機として前記特別遊技実行手段により実行される次回以降の前記特別遊技中に、前回と同じ前記次回以降キャラクターを再登場させて前記再登場演出を実行することができる。
【００３５】
本解決手段によれば、上記（Ａ）〜（Ｄ）に対して以下の特徴が追加される。
（Ｅ）以後、「特定条件」を満たす限りは上記（Ｂ），（Ｃ）を繰り返していくが、「特定条件」を満たさなくなると繰り返しは終了する。
（Ｆ）ただし、特定期間内で引き戻し当選すると、特別遊技中の「再登場演出」によって直前まで選択していた「次回以降のキャラクター」に対する演出上の名残を発生させ、遊技者に巻き返しのチャンス（リベンジ演出）を提供することができる。
【００３６】
解決手段７：解決手段３から６において、本発明の遊技機は、遊技中に入賞の発生が困難となる閉鎖状態と、この閉鎖状態に比較して入賞の発生が容易化された開放状態のいずれかに変化する可変入賞装置をさらに備え、前記特別遊技実行手段は、前記特別遊技として前記可変入賞装置を前記閉鎖状態から前記開放状態に変化させた後、所定の閉鎖条件が満たされると前記閉鎖状態に復帰させるラウンド動作を所定の最大回数まで繰り返し実行し、前記第１キャラクター演出実行手段は、前記特別遊技中に前記ラウンド動作が前記最大回数より少ない中間回数に至るまで実行される間に前記第１キャラクター演出を実行し、前記第２選択操作受付手段は、前記特別遊技中に前記ラウンド動作が前記中間回数まで実行された後、前記最大回数に達するまでの間に前記第２選択情報を受け付け、前記第２キャラクター演出実行手段は、前記特別遊技中に前記ラウンド動作が前記中間回数に至るまで実行される間に前記第２キャラクター演出を実行し、前記第３選択操作受付手段は、前記特別遊技中に前記ラウンド動作が前記中間回数まで実行された後、前記最大回数に達するまでの間に前記第３選択情報を受け付け、前記第３キャラクター演出実行手段は、前記特別遊技中に前記ラウンド動作が前記中間回数に至るまで実行される間に前記第３キャラクター演出を実行する。
【００３７】
なお本解決手段において、前記第３選択操作受付手段は、前記特別遊技中に前記ラウンド動作が前記中間回数まで実行された後、前記最大回数に達するまでの間に前記第３選択情報又は前記次回以降選択情報を受け付け、前記第３キャラクター演出実行手段は、前記特別遊技中に前記ラウンド動作が前記中間回数に至るまで実行される間に前記第３キャラクター演出又は前記次回以降キャラクター演出を実行することとしてもよい。
【００３８】
本解決手段によれば、以下の特徴が追加される。
（１）当選を契機とする「特別遊技」は、「ラウンド動作」を最大回数まで繰り返すことで行われる。「ラウンド動作」では可変入賞装置への入賞が容易化されるため、それによって高頻度に入賞が発生する機会を遊技者に付与し、入賞による特典（例えば遊技媒体の払い出し）を集中して付与することができる。
（２）「ラウンド動作」を最大回数まで繰り返すのにはある程度の期間（時間）を必要とするため、この期間を適宜に区切って演出が切り替わるタイミングを設けることができる。
（３）すなわち、「ラウンド動作」が中間回数に至るまでの間は、先に選択しておいたキャラクターを登場させる各種演出（第１キャラクター演出、第２キャラクター演出、第３キャラクター演出、次回以降キャラクター演出等）を実行する。
（４）その後、中間回数の次回（中間回数＋１回）から最大回数まで「ラウンド動作」が実行される間に「完了演出」又は「非完了演出」を実行する。
（５）上記（３）では、演出中に特別遊技の利益を遊技者に実感させる内容としたり、あるいは、これ以降の演出の成り行きに興味を惹き付ける内容としたりすることができる。
（６）そして上記（４）では、選択中のキャラクターについて、「演出が完了（成功）又は非完了（失敗）のどちらに転ぶか」を遊技者に意識させ、どきどきはらはらとした緊張感のある遊技性を実現することができる。
【発明の効果】
【００３９】
以上のように本発明の遊技機によれば、遊技中に登場させる演出の選択に関して、条件に応じて「複数の選択画像の中から第１選択画像とは別の第２選択画像を選択できるか」といった遊技性を実現し、遊技者の探求心や挑戦意欲を刺激することができる。
【図面の簡単な説明】
【００４０】
【図１】パチンコ機の正面図である。
【図２】パチンコ機の背面図である。
【図３】遊技盤の一部を拡大して示す正面図である。
【図４】パチンコ機に装備された各種の電子機器類を示すブロック図である。
【図５】リセットスタート処理の手順例を示すフローチャート（１／２）である。
【図６】リセットスタート処理の手順例を示すフローチャート（２／２）である。
【図７】電源断発生チェック処理の手順例を具体的に示すフローチャートである。
【図８】割込管理処理の手順例を示すフローチャートである。
【図９】スイッチ入力イベント処理の手順例を示すフローチャートである。
【図１０】第１特別図柄記憶更新処理の手順例を示すフローチャートである。
【図１１】第２特別図柄記憶更新処理の手順例を示すフローチャートである。
【図１２】取得時演出判定処理の手順例を示すフローチャートである。
【図１３】特別図柄遊技処理の構成例を示すフローチャートである。
【図１４】特別図柄変動前処理の手順例を示すフローチャートである。
【図１５】はずれ時変動パターン選択テーブルの一例を示す図である。
【図１６】第１特別図柄大当り時停止図柄選択テーブルの構成列を示す図である。
【図１７】第２特別図柄大当り時停止図柄選択テーブルの構成列を示す図である。
【図１８】大当り当選時変動パターン選択テーブルの一例を示す図である。
【図１９】特別図柄記憶エリアシフト処理の手順例を示すフローチャートである。
【図２０】特別図柄停止表示中処理の手順例を示すフローチャートである。
【図２１】表示出力管理処理の構成例を示すフローチャートである。
【図２２】可変入賞装置管理処理の構成例を示すフローチャートである。
【図２３】大入賞口開放パターン設定処理の手順例を示すフローチャートである。
【図２４】大入賞口開閉動作処理の手順例を示すフローチャートである。
【図２５】大入賞口閉鎖処理の手順例を示すフローチャートである。
【図２６】終了処理の手順例を示すフローチャートである。
【図２７】パチンコ機１において展開されるゲームフローについて説明する図である。
【図２８】変動表示演出及び結果表示演出で用いられる演出図柄の構成例を示す図である。
【図２９】待機用デモ画面の表示例を示す連続図である。
【図３０】デモ中キャラクター選択演出の演出例を示す連続図である。
【図３１】新たな演出図柄を生成する際のキャラクター画像の配列の変更内容を説明する概念図である。
【図３２】演出図柄生成処理による演出図柄の変化について説明する図である。
【図３３】特別図柄の変動表示及び停止表示に対応させた演出画像の例を示す連続図である。
【図３４】ステージ演出で登場する各ステージについて説明する図である。
【図３５】繁華街ステージから店内ステージへステージが移行する際の演出例を示す連続図である。
【図３６】店内ステージから繁華街ステージへステージが移行する際の演出例を示す連続図である。
【図３７】繁華街ステージに滞在している場合に実行されるリーチ演出の流れを示す連続図である（１／２）。
【図３８】繁華街ステージに滞在している場合に実行されるリーチ演出の流れを示す連続図である（２／２）。
【図３９】店内ステージに滞在している場合に実行されるリーチ演出の流れを示す連続図である（１／２）。
【図４０】店内ステージに滞在している場合に実行されるリーチ演出の流れを示す連続図である（２／２）。
【図４１】滞在ステージに関わらずに実行されるリーチ演出の流れを示す連続図である（１／３）。
【図４２】滞在ステージに関わらずに実行されるリーチ演出の流れを示す連続図である（２／３）。
【図４３】滞在ステージに関わらずに実行されるリーチ演出の流れを示す連続図である（３／３）。
【図４４】７ラウンド大当り遊技中に実行される大役中演出の例を部分的に示す連続図である（１／２）。
【図４５】７ラウンド大当り遊技中に実行される大役中演出の例を部分的に示す連続図である（２／２）。
【図４６】「１４ラウンド確変大当り１」に該当した場合の大役遊技中に実行される大役中演出の例を部分的に示す連続図である（１／２）。
【図４７】「１４ラウンド確変大当り１」に該当した場合の大役遊技中に実行される大役中演出の例を部分的に示す連続図である（２／２）。
【図４８】祭りゾーンの演出例を示す連続図である。
【図４９】花火モードの演出例を示す連続図である。
【図５０】「１４ラウンド確変大当り２」又は「１４ラウンド通常大当り１〜３」に該当した場合の大役遊技中に実行される大役中演出の例を部分的に示す連続図である（１／４）。
【図５１】「１４ラウンド確変大当り２」又は「１４ラウンド通常大当り１〜３」に該当した場合の大役遊技中に実行される大役中演出の例を部分的に示す連続図である（２／４）。
【図５２】「１４ラウンド確変大当り２」又は「１４ラウンド通常大当り１〜３」に該当した場合の大役遊技中に実行される大役中演出の例を部分的に示す連続図である（３／４）。
【図５３】「１４ラウンド確変大当り２」又は「１４ラウンド通常大当り１〜３」に該当した場合の大役遊技中に実行される大役中演出の例を部分的に示す連続図である（４／４）。
【図５４】海岸モードの演出例を示す連続図である。
【図５５】大役中新キャラクター選択演出の演出例を示す連続図である（１／２）。
【図５６】大役中新キャラクター選択演出の演出例を示す連続図である（２／２）。
【図５７】演出中に登場するキャラクターの選択の流れを示した選択フロー図である。
【図５８】演出制御処理の手順例を示すフローチャートである。
【図５９】演出図柄管理処理の手順例を示すフローチャートである。
【図６０】演出図柄変動前処理の手順例を示すフローチャートである。
【図６１】デモ選択処理の手順例を示すフローチャートである。
【図６２】デモ中キャラクター選択演出選択処理の手順例を示すフローチャートである。
【図６３】ステージ管理処理の手順例を示すフローチャートである。
【図６４】可変入賞装置作動時処理の手順例を示すフローチャートである。
【図６５】第１特別図柄当選時処理の手順例を示すフローチャートである。
【図６６】第２特別図柄当選時処理の手順例を示すフローチャートである。
【図６７】大役中新キャラクター選択演出選択処理の手順例を示すフローチャートである。
【発明を実施するための形態】
【００４１】
以下、本発明の実施形態について、図面を参照しながら説明する。
図１は、パチンコ遊技機（以下、「パチンコ機」と略称する。）１の正面図である。また図２は、パチンコ機１の背面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照して遊技機の全体構成について説明する。
【００４２】
〔遊技機の全体構成〕
パチンコ機１は、その本体として主に外枠アセンブリ２、ガラス枠ユニット４、受け皿ユニット６及びプラ枠アセンブリ７（遊技機枠）を備えている。このうち外枠アセンブリ２は、木材を縦長の矩形状に組み合わせた構造体であり、この外枠アセンブリ２は、遊技場内の島設備（図示されていない）に対してねじ等の締結具を用いて固定されるものである。
【００４３】
その他のガラス枠ユニット４や受け皿ユニット６、プラ枠アセンブリ７は外枠アセンブリ２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００４４】
図１中の正面からみてプラ枠アセンブリ７の右側縁部（図２では左側縁部）には、その内側に統一錠ユニット９が設けられている。また、これに対応してガラス枠ユニット４及び外枠アセンブリ２の右側縁部（裏側）にも、それぞれ図示しない施錠具が設けられている。図１に示されるように、外枠アセンブリ２に対してガラス枠ユニット４及びプラ枠アセンブリ７が閉じた状態で、その裏側にある統一錠ユニット９は施錠具とともにガラス枠ユニット４及びプラ枠アセンブリ７の開放を不能にしている。
【００４５】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動してプラ枠アセンブリ７とともにガラス枠ユニット４及び受け皿ユニット６の開放が可能な状態となる。これら全体を外枠アセンブリ２から前面側へ開放する（扉のように動かす）と、前面側にてパチンコ機１の裏側が露出することになる。
【００４６】
一方、シリンダ錠６ａを反時計回りに捻ると、プラ枠アセンブリ７は施錠されたままでガラス枠ユニット４の施錠だけが解除され、ガラス枠ユニット４が開放可能となる。ガラス枠ユニット４を前面側へ開放すると遊技盤８が直に露出し、この状態で遊技場の管理者が盤面内での球詰まり等の障害を取り除くことができる。またガラス枠ユニット４を開放すると、受け皿ユニット６のロック機構（図示していない）が露出する。この状態でロック機構を解除すると、受け皿ユニット６をプラ枠アセンブリ７に対して前面側へ開放することができる。
【００４７】
またパチンコ機１は、遊技用ユニットとして遊技盤８を備えている。遊技盤８は、ガラス枠ユニット４の背後（内側）で上記のプラ枠アセンブリ７に支持されている。遊技盤８は、例えばガラス枠ユニット４を前面側へ開放した状態でプラ枠アセンブリ７に対して着脱可能である。ガラス枠ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、ガラス枠ユニット４の裏側に図示しないヒンジ機構を介して開閉式に取り付けられる。遊技盤８の前面には遊技領域８ａ（盤面）が形成されており、この遊技領域８ａは窓４ａを通じて前面側から遊技者に視認可能である。ガラス枠ユニット４が閉じられると、ガラスユニットの内面と遊技盤面との間に遊技球が流下できる空間が形成される。
【００４８】
受け皿ユニット６は、全体的に外枠アセンブリ２から前面側へ突出した形状をなしており、その上面に上皿６ｂが形成されている。この上皿６ｂには、遊技者に貸し出された遊技球（貸球）や入賞により獲得した遊技球（賞球）を貯留することができる。また受け皿ユニット６には、上皿６ｂの下段位置に下皿６ｃが形成されている。この下皿６ｃには、上皿６ｂが満杯の状態でさらに払い出された遊技球が貯留される。なお本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００４９】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００５０】
また、受け皿ユニット６の前面には、上段位置にある上皿６ｂの手前に上皿球抜きレバー６ｄが設置されており、そして下皿６ｃの手前でその中央部には下皿球抜きボタン６ｅが設置されている。遊技者は上皿球抜きレバー６ｄを例えば左方向へスライドさせることで、上皿６ｂに貯留された遊技球を下皿６ｃへ流下させることができる。また遊技者は、下皿球抜きボタン６ｅを例えば押し込み操作することで、下皿６ｃに貯留された遊技球を下方へ落下させて排出することができる。排出された遊技球は、例えば図示しない球受け箱等に受け止められる。
【００５１】
受け皿ユニット６の右下部には、グリップユニット１６が設置されている。遊技者はこのグリップユニット１６を操作することで発射制御基板セット１７４を作動させ、遊技領域８ａに向けて遊技球を発射する（打ち込む）ことができる（球発射装置）。発射された遊技球は、遊技盤８の左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。
【００５２】
〔盤面の構成〕
遊技領域８ａ内には、始動ゲート２０や普通入賞口２２，２４、上始動入賞口２６、可変始動入賞装置２８、可変入賞装置３０等が設置されている。遊技領域８ａ内に放り込まれた遊技球は、その流下の過程で無作為に始動ゲート２０を通過したり、あるいは、普通入賞口２２，２４や上始動入賞口２６、作動時の可変始動入賞装置２８に入賞（入球）したりする。始動ゲート２０を通過した遊技球は続けて遊技領域８ａ内を流下するが、入賞した遊技球は遊技板に形成された貫通穴を通じて遊技盤８の裏側へ回収される。
【００５３】
なお、上記の可変始動入賞装置２８は、所定の条件が満たされた場合（普通図柄が当りの態様で停止表示された場合）に作動し、それに伴って下始動入賞口２８ａへの入賞を可能にする（普通電動役物）。可変始動入賞装置２８は、例えば左右一対の可動片２８ｂを有しており、これら可動片２８ｂは、例えば図示しないソレノイドを用いたリンク機構の働きにより、盤面に沿って左右方向に往復動作する。すなわち、図示のように先端が上を向いた状態で左右の可動片２８ｂは閉位置にあり、このとき下始動入賞口２８ａへの入賞は不能（遊技球が流入できる隙間がない状態）となっている。一方、可変始動入賞装置２８が作動すると、左右の可動片２８ｂはそれぞれ閉位置から開放位置に向けて変位（拡開）し、下始動入賞口２８ａの開口幅を左右に拡大する。この間に可変始動入賞装置２８は遊技球の流入が可能な状態となり、下始動入賞口２８ａへの入賞を発生させる。なお、遊技盤８に設置されている障害釘の配列（ゲージ）は、基本的に可変始動入賞装置２８に向けて遊技球の流下を案内しやすい態様となっているが、必ず遊技球が可変始動入賞装置２８に流入するというわけではなく、あくまで流入は無作為に発生する。
【００５４】
また上記の可変入賞装置３０は、規定の条件が満たされた場合（特別図柄が非当選以外の態様で停止表示された場合）に作動し、大入賞口（参照符号なし）への入賞を可能にする（特別電動役物、特別入賞事象発生手段）。可変入賞装置３０は、例えば１つの開閉部材３０ａを有しており、この開閉部材３０ａは、例えば図示しないソレノイドを用いたリンク機構の働きにより、盤面に対して前後方向に往復動作する。図示のように盤面に沿った状態で開閉部材３０ａは閉位置（閉鎖状態又は閉止状態）にあり、このとき大入賞口への入賞は常に不能（大入賞口は閉塞中）である。可変入賞装置３０が作動すると、開閉部材３０ａがその下端縁部分をヒンジとして前方へ倒れ込むようにして変位し、大入賞口を開放する（開放状態）。この間に可変入賞装置３０は遊技球の流入が不能ではない状態となり、大入賞口への入賞という事象を発生させることができる。なお、このとき開閉部材３０ａは大入賞口への遊技球の流入を案内する部材としても機能する。
【００５５】
その他、遊技領域８ａ内にはアウト口３２が形成されており、入賞しなかった遊技球は最終的にアウト口３２を通じて遊技盤８の裏側へ回収される。また、上始動入賞口２６や可変始動入賞装置２８、可変入賞装置３０に入賞した遊技球も含めて、遊技領域８ａ内に打ち込まれた全ての遊技球は遊技盤８の裏側へ回収される。回収された遊技球は、図示しないアウト通路アセンブリを通じてパチンコ機１の裏側から枠外へ排出され、さらに図示しない島設備の補給経路に合流する。
【００５６】
また遊技盤８には、例えば窓４ａ内の右下位置に普通図柄表示装置３３と普通図柄作動記憶ランプ３３ａが設けられている他、第１特別図柄表示装置３４、第２特別図柄表示装置３５、第１特別図柄作動記憶ランプ３４ａ、第２特別図柄作動記憶ランプ３５ａ及び遊技状態表示装置３８が設けられている（普通図柄表示手段、特別図柄表示手段、抽選要素記憶手段）。このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。
【００５７】
図３は、遊技盤８の一部（窓４ａ内の右下位置）を拡大して示す正面図である。第１特別図柄表示装置３４及び第２特別図柄表示装置３５は、例えばそれぞれ７セグメントＬＥＤ（ドット付き）により特別図柄の変動状態と停止状態とを表示することができる（図柄表示手段）。
【００５８】
また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせにより、それぞれ０〜４個の記憶数を表示する（記憶数表示手段）。例えば、２つのランプがともに消灯のときは記憶数０個を表示し、１つのランプが点灯すると記憶数１個を表示し、同じ１つのランプが点滅すると記憶数２個を表示し、この状態からもう１つのランプが点灯すると記憶数３個を表示し、そして２つのランプがともに点滅すると記憶数４個を表示する、といった具合である。
【００５９】
第１特別図柄作動記憶ランプ３４ａは、上記の上始動入賞口２６に遊技球が流入すると、入賞が発生したことを記憶する意味で１個ずつ表示が増え、その入賞を契機として特別図柄の変動が開始されるごとに１個ずつ表示が減少する。また第２特別図柄作動記憶ランプ３５ａは、上記の可変始動入賞装置２８（下始動入賞口）に遊技球が流入すると、入賞が発生したことを記憶する意味で１個ずつ表示が増え、その入賞を契機として特別図柄の変動が開始されるごとに１個ずつ表示が減少する。なお本実施形態では、第１特別図柄作動記憶ランプ３４ａが未点灯（記憶数が０個）の場合、第１特別図柄が既に変動開始可能な状態（停止表示時）で上始動入賞口２６に遊技球が流入しても表示は増えない。また第２特別図柄作動記憶ランプ３５ａが未点灯（記憶数が０個）の場合、第２特別図柄が既に変動開始可能な状態（停止表示時）で可変始動入賞装置２８（下始動入賞口）に遊技球が流入しても表示は増えない。すなわち、各特別図柄作動記憶ランプ３４ａ，３５ａの表示数（最大４個）は、その時点で未だ第１特別図柄又は第２特別図柄の変動が開始されていない入賞の回数を表している。
【００６０】
また遊技状態表示装置３８には、例えば大当り種別表示ランプ３８ａ，３８ｂ、確率変動状態表示ランプ３８ｃ、時短状態表示ランプ３８ｄにそれぞれ対応する４つのＬＥＤが含まれている。なお本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤８に取り付けられている。
【００６１】
〔遊技盤のその他の構成：図１を参照〕
また遊技盤８には、その中央位置から右側部分にかけて演出ユニット４０が設置されている。演出ユニット４０は、その上縁部４０ａが遊技球の流下方向を変化させる案内部材として機能する他、その内側に各種の装飾部品４０ｂ，４０ｃを備えている。装飾部品４０ｂ，４０ｃはその立体的な造形により遊技盤８の装飾性を高めるとともに、例えば内蔵された発光器（ＬＥＤ等）により透過光を発することで、演出的な動作をすることができる。また演出ユニット４０の内側には液晶表示器４２（画像表示器）が設置されており、この液晶表示器４２には特別図柄に対応させた演出図柄をはじめ、各種の演出画像が表示される。このように遊技盤８は、その盤面の構成（図示しないセル板のデザイン）や演出ユニット４０の装飾性に基づいて、遊技者にパチンコ機１の特徴を印象付けている。
【００６２】
演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅの上面は滑らかな湾曲面を有しており、ここでは遊技球が左右方向に転動自在である。転動ステージ４０ｅ上で転動した遊技球は、やがて下方の遊技領域８ａ内に流下する。転動ステージ４０ｅの中央位置には球放出路４０ｆが形成されており、このとき転動ステージ４０ｅから球放出路４０ｆに流下した遊技球は、その真下にある上始動入賞口２６に流入しやすくなる。その他に演出ユニット４０には、演出用の可動体（例えばキャラクターのフィギュア、装飾物等）とともに駆動源（例えばモータ、ソレノイド等）が付属していてもよい。演出用の可動体は、液晶表示器４２による画像を用いた演出や発光器による演出に加えて、有形物の動作を伴う演出を実行することができる。これら可動体を用いた演出により、二次元の画像を用いた演出とは別の訴求力を発揮することができる。
【００６３】
〔枠前面の構成〕
ガラス枠ユニット４には、演出用の構成要素としてガラス枠トップランプ４６，４８やガラス枠サイドランプ５０がガラスユニット８を取り巻くようにして複数の箇所に設置されている。また、受け皿ユニット６には受け皿ランプ５２が設置されており、この受け皿ランプ５２とガラス枠トップランプ４６，４８及びガラス枠サイドランプ５０とは、外見上、パチンコ機１の前面において一体的につながっているかのようにデザインされている。
【００６４】
上述した各種ランプ４６〜５２は、例えば内蔵するＬＥＤの発光（点灯や点滅、輝度階調の変化、色調の変化等）により演出を実行する。またガラス枠ユニット４の上部には、左右一対のガラス枠上スピーカ５４とその中央にガラス枠中スピーカ５５が内蔵されており、そして受け皿ユニット６には、下皿６ｃの右側に受け皿スピーカ５６が内蔵されている。これらスピーカ５４，５５，５６は、効果音やＢＧＭ、音声等（音響全般）を出力して演出を実行するものである。
【００６５】
また受け皿ユニット６の中央には、上皿６ｂの手前位置に演出切替ボタン４５（第１選択操作受付手段、操作入力受付手段）が設置されている。遊技者は、この演出切替ボタン４５を操作することで演出内容（例えば液晶表示部４２に表示される背景画面）を切り替えたり、例えば図柄の変動中や大当りの確定表示中、あるいは大当り遊技中に何らかの演出（各種の予告演出、確変昇格演出等）を発生させたりすることができる。
【００６６】
さらに演出切替ボタン４５の周囲には、演出切替ボタン４５を取り囲むようにジョグダイアル４５ａが設置されている（第１〜３選択操作受付手段、操作入力受付手段、回転型セレクター）。遊技者は、このジョグダイアル４５ａを回転させることで、例えば液晶表示部４２に表示される複数のキャラクター画像の中から好みのキャラクター画像を選択することができる。
【００６７】
また本実施形態では、例えば遊技盤８に人体を感知するセンサが設置されている。具体的には、可変始動入賞装置２８及び可変入賞装置３０の下方位置（アウト口３２の直上位置）に人体感知センサ４３が設置されており、この人体感知センサ４３には、例えば赤外線式や超音波式のセンシングデバイスを用いることができる。人体感知センサ４３は、例えばパチンコ機１が遊技場の図示しない島設備に設置された状態で、これに対面する遊技位置（例えばパチンコ機１の台ごとに設けられた遊技用の座席、遊技用車椅子スペース等）に遊技者と想定される人体が存在するか否かを検知することができる（検知手段）。ここでは人体感知センサ４３を可変始動入賞装置２８や可変入賞装置３０の下方位置に設置した例を挙げているが、人体感知センサ４３は遊技盤８のその他の位置（例えば液晶表示器４２の周辺）に設置されていてもよいし、ガラス枠ユニット４や受け皿ユニット６等に設置されていてもよい。
【００６８】
特に本実施形態では、人体感知センサ４３を用いて遊技者が遊技位置に来着したか否かを判断したり、遊技者が遊技位置から離れたか否かを判断したりすることで、そのときの状況に応じた演出（例えば来着時は遊技開始演出、離脱時は終了演出等）を行うことができる。このような演出は、例えば上記のスピーカ５４，５５，５６から何らかの音声を出力することで行われる。これにより、遊技位置に来着した遊技者に対して歓待の意を表す音声を出力したり、遊技位置を離れていく遊技者に対して感謝や引き留めの意を表す音声を出力したりすることができる。なお、人体感知センサ４３を用いた演出機能については、その制御手法と合わせてさらに詳しく後述する。
【００６９】
〔裏側の構成〕
図２に示されているように、パチンコ機１の裏側には、電源制御ユニット１６２や主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。なお、電子機器類については別のブロック図（図４）に基づいてさらに後述する。
【００７０】
上記の払出装置ユニット１７２は、例えば賞球タンク１７２ａ及び賞球ケース（参照符号なし）を有しており、このうち賞球タンク１７２ａはプラ枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００７１】
また上記の外部端子板１６０は、パチンコ機１を外部の電子機器（例えばデータ表示装置、ホールコンピュータ等）に接続するためのインタフェースであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるものとなっている。
【００７２】
電源コード１６４は、例えば遊技場の島設備に設置された電源装置（例えばＡＣ２４Ｖ）に接続されることで、パチンコ機１の動作に必要な電源（電力）を確保するものである。またアース線１６６は、同じく島設備に設置されたアース端子に接続されることで、パチンコ機１のアース（接地）を確保するものである。
【００７３】
〔制御上の構成〕
次に、パチンコ機１の制御に関する構成について説明する。図４は、パチンコ機１に装備された各種の電子機器類を示すブロック図である。パチンコ機１は、制御動作の中枢となる主制御装置７０（主制御用コンピュータ）を備えており、この主制御装置７０は主に、パチンコ機１における遊技の進行を制御する機能を有している。なお主制御装置７０は、上記の主制御基板ユニット１７０に内蔵されている。
【００７４】
また主制御装置７０には、中央演算処理装置である主制御ＣＰＵ７２を実装した回路基板（主制御基板）が装備されており、主制御ＣＰＵ７２は、図示しないＣＰＵコアやレジスタとともにＲＯＭ７４、ＲＡＭ（ＲＷＭ）７６等の半導体メモリを集積したＬＳＩとして構成されている。また主制御装置７０には、乱数発生器７５やサンプリング回路７７が装備されている。このうち乱数発生器７５は、大当り判定用にハードウェア乱数（例えば１０進数表記で０〜６５５３５）を発生させるものであり、ここで発生された乱数は、サンプリング回路７７を通じて主制御ＣＰＵ７２に入力される。その他にも主制御装置７０には、入出力（Ｉ／Ｏ）ポート７９や図示しないクロック発生回路、カウンタ／タイマ回路（ＣＴＣ）等の周辺ＩＣが装備されており、これらは主制御ＣＰＵ７２とともに回路基板上に実装されている。なお回路基板上（又は内層部分）には、信号伝送経路や電源供給経路、制御用バス等が配線パターンとして形成されている。
【００７５】
上述した始動ゲート２０には、遊技球の通過を検出するためのゲートスイッチ７８が一体的に設けられている。また遊技盤８には、上始動入賞口２６、可変始動入賞装置２８及び可変入賞装置３０にそれぞれ対応して上始動入賞口スイッチ８０、下始動入賞口スイッチ８２及びカウントスイッチ８４が装備されている。各始動入賞口スイッチ８０，８２は、上始動入賞口２６、可変始動入賞装置２８（下始動入賞口２８ａ）への遊技球の入賞を検出するためのものである。またカウントスイッチ８４は、可変入賞装置３０（大入賞口）への遊技球の入賞を検出し、その数をカウントするためのものである。同様に遊技盤８には、普通入賞口２２，２４への遊技球の入賞を検出する入賞口スイッチ８６が装備されている。なお、ここでは全ての普通入賞口２２，２４について共通の入賞口スイッチ８６を用いる構成を例に挙げているが、例えば盤面の左右で別々の入賞口スイッチ８６を設置し、左側の入賞口スイッチ８６では盤面の左側に位置する普通入賞口２２，２４に対する遊技球の入賞を検出し、右側の入賞口スイッチ８６では盤面の右側に位置する普通入賞口２４に対する遊技球の入賞を検出することとしてもよい。
【００７６】
いずれにしても、これらスイッチ類７８〜８６の入賞検出信号は、図示しない入出力ドライバを介して主制御ＣＰＵ７２に入力される。なお遊技盤８の構成上、本実施形態ではゲートスイッチ７８、カウントスイッチ８４及び入賞口スイッチ８６からの入賞検出信号は、パネル中継端子板８７を経由して送信され、パネル中継端子板８７には、それぞれの入賞検出信号を中継するための配線パターンや接続端子等が設けられている。
【００７７】
上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８は、主制御ＣＰＵ７２からの制御信号に基づいて表示動作を制御されている。主制御ＣＰＵ７２は、遊技の進行状況に応じてこれら表示装置３３，３４，３５，３８及びランプ３３ａ，３４ａ，３５ａに対する制御信号を出力し、各ＬＥＤの点灯状態を制御している。また、これら表示装置３３，３４，３５，３８及びランプ３３ａ，３４ａ，３５ａは、上記のように１枚の統合表示基板８９に実装された状態で遊技盤８に設置されており、この統合表示基板８９には上記のパネル中継端子板８７を中継して主制御ＣＰＵ７２から制御信号が送信される。
【００７８】
また遊技盤８には、可変始動入賞装置２８及び可変入賞装置３０にそれぞれ対応して普通電動役物ソレノイド８８及び大入賞口ソレノイド９０が設けられている。これらソレノイド８８，９０は主制御ＣＰＵ７２からの制御信号に基づいて動作（励磁）し、それぞれ可変始動入賞装置２８、可変入賞装置３０を開閉動作（作動）させる。なお、これらソレノイド８８，９０についても上記のパネル中継端子板８７を中継して主制御ＣＰＵ７２から制御信号が送信される。
【００７９】
その他に上記のガラス枠ユニット４にはガラス枠開放スイッチ９１が設置されており、また上記のプラ枠アセンブリ７にはプラ枠開放スイッチ９３が設置されている。ガラス枠ユニット４が単独で開放されると、ガラス枠開放スイッチ９１からの接点信号が主制御装置７０（主制御ＣＰＵ７２）に入力され、また外枠アセンブリ２からプラ枠アセンブリ７が開放されると、プラ枠開放スイッチ９３からの接点信号が主制御装置７０（主制御ＣＰＵ７２）に入力される。主制御ＣＰＵ７２は、これら接点信号からガラス枠ユニット４やプラ枠アセンブリ７の開放状態を検出することができる。なお主制御ＣＰＵ７２は、ガラス枠ユニット４やプラ枠アセンブリ７の開放状態を検出すると、上記の外部情報信号として扉開放情報信号を生成する。
【００８０】
パチンコ機１の裏側には、払出制御装置９２が装備されている（特別特典付与手段）。この払出制御装置９２（払出制御コンピュータ）は、上述した払出装置ユニット１７２の動作を制御する。払出制御装置９２には、払出制御ＣＰＵ９４を実装した回路基板（払出制御基板）が装備されており、この払出制御ＣＰＵ９４もまた、図示しないＣＰＵコアとともにＲＯＭ９６、ＲＡＭ９８等の半導体メモリを集積したＬＳＩとして構成されている。払出制御装置９２（払出制御ＣＰＵ９４）は、主制御ＣＰＵ７２からの賞球指示コマンドに基づいて払出装置ユニット１７２の動作を制御し、要求された個数の遊技球の払出動作を実行させる。なお主制御ＣＰＵ７２は賞球指示コマンドとともに、上記の外部情報信号として賞球情報信号を生成する。
【００８１】
払出装置ユニット１７２の図示しない賞球ケース内には、払出モータ１０２（例えばステッピングモータ）とともに払出装置基板１００が設置されており、この払出装置基板１００には払出モータ１０２の駆動回路が設けられている。払出装置基板１００は、払出制御装置９２（払出制御ＣＰＵ９４）からの払出数指示信号に基づいて払出モータ１０２の回転角度を具体的に制御し、指示された数の遊技球を賞球ケースから払い出させる。払い出された遊技球は、流路ユニット１７３内の払出流路を通って上記の受け皿ユニット６に送られる。
【００８２】
また、例えば賞球ケースの上流位置には払出路球切れスイッチ１０４が設置されている他、払出モータ１０２の下流位置には払出計数スイッチ１０６が設置されている。払出モータ１０２の駆動により実際に賞球が払い出されると、その都度、払出計数スイッチ１０６からの計数信号が払出装置基板１００に入力される。また賞球ケースの上流位置で球切れが発生すると、払出路球切れスイッチ１０４からの接点信号が払出装置基板１００に入力される。払出装置基板１００は、入力された計数信号や接点信号を払出制御装置９２（払出制御ＣＰＵ９４）に送信する。払出制御ＣＰＵ９４は、払出装置基板１００から受信した信号に基づき、実際の払出数や球切れ状態を検知することができる。
【００８３】
またパチンコ機１には、例えば下皿６ｃの内部（パチンコ機１の正面からみて奧の位置）に満タンスイッチ１６１が設置されている。実際に払い出された賞球（遊技球）は上記の流路ユニット１７３を通じて上皿６ｂに放出されるが、上皿６ｂが遊技球で満杯になると、それ以上に払い出された遊技球は上述したように下皿６ｃへ流れ込む。さらに下皿６ｃが遊技球で満杯になると、それによって満タンスイッチ１６１がＯＮになり、満タン検出信号が払出制御装置９２（払出制御ＣＰＵ９４）に入力される。これを受けて払出制御ＣＰＵ９４は、主制御ＣＰＵ７２から賞球指示コマンドを受信してもそれ以上の賞球動作を一旦保留とし、未払出の賞球残数をＲＡＭ９８に記憶させておく。なお、ＲＡＭ９８の記憶は電源断時にもバックアップが可能であり、遊技中に停電（瞬間的な停電を含む）が発生しても、未払出の賞球残数情報が消失してしまうことはない。
【００８４】
またパチンコ機１の裏側には、発射制御基板１０８とともに発射ソレノイド１１０が設置されている。また、受け皿ユニット６内には球送りソレノイド１１１が設けられている。これら発射制御基板１０８、発射ソレノイド１１０及び球送りソレノイド１１１は上述した発射制御基板セット１７４を構成しており、このうち発射制御基板１０８には発射ソレノイド１１０及び球送りソレノイド１１１の駆動回路が設けられている。このうち球送りソレノイド１１１は、受け皿ユニット６内に蓄えられた遊技球を１個ずつ、発射機ケース内で所定の発射位置に送り出す動作を行う。また発射ソレノイド１１０は、発射位置に送り出された遊技球を打撃し、上記のように遊技領域８に向けて遊技球を１個ずつ連続的（間欠的）に打ち出す動作を行う。なお遊技球の発射間隔は、例えば０．６秒程度の間隔（１分間で１００個以内）である。
【００８５】
一方、パチンコ機１の表側に位置する上記のグリップユニット１６には、発射レバーボリューム１１２、タッチセンサ１１４及び発射停止スイッチ１１６が設けられている。このうち発射レバーボリューム１１２は、遊技者による発射ハンドルの操作量（いわゆるストローク）に比例したアナログ信号を生成する。またタッチセンサ１１４は、静電容量の変化から遊技者の身体がグリップユニット１６（発射ハンドル）に触れていることを検出し、その検出信号を出力する。そして発射停止スイッチ１１６は、遊技者の操作に応じて発射停止信号（接点信号）を生成する。
【００８６】
上記の受け皿ユニット６には発射中継端子板１１８が設置されており、発射レバーボリューム１１２やタッチセンサ１１４、発射停止スイッチ１１６からの各信号は、発射中継端子板１１８を経由して発射制御基板１０８に送信される。また、発射制御基板１０８からの駆動信号は、発射中継端子板１１８を経由して球送りソレノイド１１１に印加される。遊技者が発射ハンドルを操作すると、その操作量に応じて発射レバーボリューム１１２でアナログ信号（エンコードされたデジタル信号でもよい）が生成され、このときの信号に基づいて発射ソレノイド１１０が駆動される。これにより、遊技者の操作量に応じて遊技球を打ち出す強さが調整されるものとなっている。なお発射制御基板１０８の駆動回路は、タッチセンサ１１４からの検出信号がオフ（ローレベル）の場合か、もしくは発射停止スイッチ１１６から発射停止信号が入力された場合は発射ソレノイド１１０の駆動を停止する。この他に、発射中継端子板１１８には遊技球等貸出装置接続端子板１２０が接続されており、この遊技球等貸出装置接続端子板１２０に上記のＣＲユニットが接続されていない場合、同じく発射制御基板１０８の駆動回路は発射ソレノイド１１０の駆動を停止する。
【００８７】
また、受け皿ユニット６には度数表示基板１２２及び貸出及び返却スイッチ基板１２３が内蔵されている。このうち度数表示基板１２２には、上記の度数表示部の表示器（３桁分の７セグメントＬＥＤ）が設けられている。また貸出及び返却スイッチ基板１２３には球貸ボタン１０や返却ボタン１２にそれぞれ接続されるスイッチモジュールが実装されており、球貸ボタン１０又は返却ボタン１２が操作されると、その操作信号が貸出及び返却スイッチ基板１２３から遊技球等貸出装置接続端子板１２０を経由してＣＲユニットに送信される。またＣＲユニットからは、有価媒体の残り度数を表す度数信号が遊技球等貸出装置接続端子板１２０を経由して度数表示基板１２２に送信される。度数表示基板１２２上の図示しない表示回路は、度数信号に基づいて表示器を駆動し、有価媒体の残り度数を数値表示する。またＣＲユニットに有価媒体が投入されていなかったり、あるいは投入された有価媒体の残り度数が０になったりした場合、度数表示基板１２２の表示回路は表示器を駆動してデモ表示（有価媒体の投入を促す表示）を行うこともできる。
【００８８】
またパチンコ機１は制御上の構成として、演出制御装置１２４（演出制御用コンピュータ）を備えている。この演出制御装置１２４は、パチンコ機１における遊技の進行に伴う演出の制御を行う。演出制御装置１２４にもまた、中央演算処理装置である演出制御ＣＰＵ１２６を実装した回路基板（複合サブ制御基板）が装備されている。演出制御ＣＰＵ１２６には、図示しないＣＰＵコアとともにメインメモリとしてＲＯＭ１２８やＲＡＭ１３０等の半導体メモリが内蔵されている。なお演出制御装置１２４は、パチンコ機１の裏側で上記の裏カバーユニット１７８に覆われる位置に設けられている。
【００８９】
また演出制御装置１２４には、図示しない入出力ドライバや各種の周辺ＩＣが装備されている他、ランプ駆動回路１３２や音響駆動回路１３４が装備されている。演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６〜５２や盤面ランプ５３を発光させたり、スピーカ５４，５５，５６から実際に効果音や音声等を出力させたりする処理を行う。
【００９０】
演出制御装置１２４と上記の主制御装置７０とは、例えば図示しない通信用ハーネスを介して相互に接続されている。ただし、これらの間の通信は、主制御装置７０から演出制御装置１２４への一方向のみで行われ、逆方向への通信は行われない。なお通信用ハーネスには、主制御装置７０から演出制御装置１２４に対して送信される各種コマンドのバス幅に応じてパラレル形式を採用してもよいし、それぞれのドライバＩＣ（Ｉ／Ｏ）のハード構成に合わせてシリアル形式を採用してもよい。
【００９１】
ランプ駆動回路１３２は、例えば図示しないＰＷＭ（パルス幅変調）ＩＣやＭＯＳＦＥＴ等のスイッチング素子を備えており、このランプ駆動回路１３２は、ＬＥＤを含む各種ランプに印加する駆動電圧をスイッチング（又はデューティ切替）して、その発光・点滅等の動作を管理する。なお各種ランプには、上記のガラス枠トップランプ４６，４８やガラス枠サイドランプ５０，受け皿ランプ５２の他に、遊技盤８に設置された装飾・演出用の盤面ランプ５３が含まれる。盤面ランプ５３は上記の演出ユニットに内蔵されるＬＥＤや、可変始動入賞装置２８、可変入賞装置３０等に内蔵されるＬＥＤに相当するものである。なお、ここでは受け皿ランプ５２がガラス枠電飾基板１３６に接続されている例を挙げているが、受け皿ユニット６に受け皿電飾基板を設置し、受け皿ランプ５２については受け皿電飾基板を介してランプ駆動回路１３２に接続される構成であってもよい。
【００９２】
また音響駆動回路１３４は、例えば図示しないサウンドＲＯＭや音響制御ＩＣ、アンプ等を内蔵したサウンドジェネレータであり、この音響駆動回路１３４は、上スピーカ５４及び下スピーカ５６を駆動して音響出力を行う。
【００９３】
本実施形態ではガラス枠ユニット４の内面にガラス枠電飾基板１３６が設置されており、ランプ駆動回路１３２や音響駆動回路１３４からの駆動信号はガラス枠電飾基板１３６を経由して各種ランプ４６〜５２やスピーカ５４，５５，５６に印加されている。またガラス枠電飾基板１３６には、上記の演出切替ボタン４５が接続されており、遊技者が演出切替ボタン４５を操作すると、その接点信号がガラス枠電飾基板１３６を通じて演出制御装置１２４に入力される。さらにガラス枠電飾基板１３６には、上記のジョグダイアル４５ａが接続されており、遊技者がジョグダイアル４５ａを回転させると、その回転信号がガラス枠電飾基板１３６を通じて演出制御装置１２４に入力される。なお、ここではガラス枠電飾基板１３６に演出切替ボタン４５及びジョグダイアル４５ａを接続した例を挙げているが、上記の受け皿電飾基板を設置する場合、演出切替ボタン４５及びジョグダイアル４５ａは受け皿電飾基板に接続されていてもよい。
【００９４】
その他、遊技盤８にはパネル電飾基板１３８が設置されており、ランプ駆動回路１３２からの駆動信号がパネル電飾基板１３８を経由して盤面ランプ５３に印加されている。また上記の人体感知センサ４３は、パネル電飾基板１３８を介して演出制御装置１２４（演出制御ＣＰＵ１２６）に接続されている。上記のように人体感知センサ４３は、パチンコ機１に対面する遊技位置に人体が存在するか否かを検出し、その検出信号（人体が存在する場合はＯＮ、人体が存在しない場合はＯＦＦ）を出力する。人体感知センサ４３からの検出信号は、パネル電飾基板１３８を経由して演出制御装置１２４（演出制御ＣＰＵ１２６）に入力されている。
【００９５】
上記の液晶表示器４２は遊技盤８の裏側に設置されており、遊技盤８に形成された略矩形の開口を通じてのその表示画面が視認可能となっている。また、遊技盤８の裏側にはインバータ基板１５８が設置されており、このインバータ基板１５８は液晶表示器４２のバックライト（例えば例陰極管）に印加される交流電源を生成している。さらに、遊技盤８の裏側には演出表示制御装置１４４が設置されており、液晶表示器４２による表示動作は、演出表示制御装置１４４により制御されている。演出表示制御装置１４４には、汎用の中央演算処理装置である表示制御ＣＰＵ１４６とともに、表示プロセッサであるＶＤＰ１５２を実装した回路基板（演出表示制御基板）が装備されている。このうち表示制御ＣＰＵ１４６は、図示しないＣＰＵコアとともにＲＯＭ１４８、ＲＡＭ１５０等の半導体メモリを集積したＬＳＩとして構成されている。またＶＤＰ１５２は、図示しないプロセッサコアとともに画像ＲＯＭ１５４やＶＲＡＭ１５６等の半導体メモリを集積したＬＳＩとして構成されている。なおＶＲＡＭ１５６は、その記憶領域の一部をフレームバッファとして利用することができる。
【００９６】
演出制御ＣＰＵ１２６のＲＯＭ１２８には、演出の制御に関する基本的なプログラムが格納されており、演出制御ＣＰＵ１２６は、このプログラムに沿って演出の制御を実行する。演出の制御には、上記のように各種ランプ４６〜５３等やスピーカ５４，５５，５６を用いた演出の制御が含まれる他、液晶表示器４２を用いた画像表示による演出の制御が含まれる。演出制御ＣＰＵ１２６は、表示制御ＣＰＵ１４６に対して演出に関する基本的な情報（例えば演出番号）を送信し、これを受け取った表示制御ＣＰＵ１４６は、基本的な情報に基づいて具体的に演出用の画像を表示する制御を行う。
【００９７】
表示制御ＣＰＵ１４６は、ＶＤＰ１５２に対してさらに詳細な制御信号を出力する。これを受け取ったＶＤＰ１５２は、制御信号に基づいて画像ＲＯＭ１５４にアクセスし、そこから必要な画像データを読み出してＶＲＡＭ１５６に転送する。さらにＶＤＰ１５２は、ＶＲＡＭ１５６上で画像データを１フレーム（単位時間あたりの静止画像）ごとにフレームバッファに展開し、ここでバッファされた画像データに基づき液晶表示器４２の各画素（フルカラー画素）を個別に駆動する。
【００９８】
その他、プラ枠アセンブリ７の裏側には電源制御ユニット１６２（電源制御手段）が装備されている。この電源制御ユニット１６２はスイッチング電源回路を内蔵し、電源コード１６４を通じて島設備から外部電力（例えばＡＣ２４Ｖ等）を取り込むと、そこから必要な電力（例えばＤＣ＋３４Ｖ、＋１２Ｖ等）を生成することができる。電源制御ユニット１６２で生成された電力は、主制御装置７０や払出制御装置９２、演出制御装置１２４、インバータ基板１５８に分配されている。さらに、払出制御装置９２を経由して発射制御基板１０８に電力が供給されている他、遊技球等貸出装置接続端子板１２０を経由してＣＲユニットに電力が供給されている。なお、ロジック用の低電圧電力（例えばＤＣ＋５Ｖ）は、各装置に内蔵された電源用ＩＣ（３端子レギュレータ等）で生成される。また上記のように電源制御ユニット１６４は、アース線１６６を通じて島設備にアース（接地）されている。
【００９９】
上記の外部端子板１６０は払出制御装置９２に接続されており、主制御装置７０（主制御ＣＰＵ７２）にて生成された各種の外部情報信号は、払出制御装置９２を経由して外部端子板１６０から外部に出力されるものとなっている。主制御装置７０（主制御ＣＰＵ７２）及び払出制御装置９２（払出制御ＣＰＵ９４）は、外部端子板１６０を通じてパチンコ機１の外部に向けて外部情報信号を出力することができる。外部端子板１６０から出力される信号は、例えば遊技場のホールコンピュータ（図示していない）で集計される。なお、ここでは払出制御装置９２を経由する構成を例に挙げているが、主制御装置７０からそのまま外部情報信号が外部端子板１６０に出力される構成であってもよい。
【０１００】
以上がパチンコ機１の制御に関する構成例である。続いて、主制御装置７０の主制御ＣＰＵ７２により実行される制御上の処理について説明する。
【０１０１】
〔リセットスタート（メイン）処理〕
パチンコ機１に電源が投入されると、主制御ＣＰＵ７２はリセットスタート処理を開始する。リセットスタート処理は、前回の電源遮断時に保存されたバックアップ情報を元に遊技状態を復旧（いわゆる復電）したり、逆にバックアップ情報をクリアしたりすることで、パチンコ機１の初期状態を整えるための処理である。またリセットスタート処理は、初期状態の調整後にパチンコ機１の安定した遊技動作を保証するためのメイン処理（メイン制御プログラム）として位置付けられる。
【０１０２】
図５及び図６は、リセットスタート処理の手順例を示すフローチャートである。以下、主制御ＣＰＵ７２が行う処理について、各手順を追って説明する。
【０１０３】
ステップＳ１０１：主制御ＣＰＵ７２は、先ずスタックポインタにスタック領域の先頭アドレスをセットする。
【０１０４】
ステップＳ１０２：続いて主制御ＣＰＵ７２は、ベクタ方式の割込モード（モード２）を設定し、デフォルトであるＲＳＴ方式の割込モード（モード０）を修正する。これにより、以後、主制御ＣＰＵ７２は任意のアドレス（ただし最下位ビットは０）を割込ベクタとして参照し、指定の割込ハンドラを実行することができる。
【０１０５】
ステップＳ１０３：主制御ＣＰＵ７２は、ここでリセット時待機処理を実行する。この処理は、リセットスタート（例えば電源投入）時にある程度の待機時間（例えば数千ｍｓ程度）を確保しておき、その間に主電源断検出信号のチェックを行うためのものである。具体的には、主制御ＣＰＵ７２は待機時間分のループカウンタをセットすると、ループカウンタの値をデクリメントしながら主電源断検出信号の入力ポートをビットチェックする。主電源断検出信号は、例えば周辺デバイスである電源監視ＩＣから入力される。そして、ループカウンタが０になる前に主電源断検出信号の入力を確認すると、主制御ＣＰＵ７２は先頭から処理を再開する。これにより、例えば図示しない主電源スイッチの投入と切断の操作が短時間（１〜２秒程度）内に繰り返し行われた場合のシステム保護を図ることができる。
【０１０６】
ステップＳ１０４：次に主制御ＣＰＵ７２は、ＲＡＭ７６のワーク領域に対するアクセスを許可する。具体的には、ワーク領域のＲＡＭプロテクト設定値をリセット（００Ｈ）する。これにより、以後はＲＡＭ７６のワーク領域に対するアクセスが許可された状態となる。
【０１０７】
ステップＳ１０５：また主制御ＣＰＵ７２、割り込みマスクを設定するためにマスクレジスタの初期設定を行う。具体的には、ＣＴＣ割り込みを有効にする値をマスクレジスタに格納する。
【０１０８】
ステップＳ１０６：主制御ＣＰＵ７２は、先に退避しておいたＲＡＭクリアスイッチからの入力信号を参照し、ＲＡＭクリアスイッチが操作（スイッチＯＮ）されたか否かを確認する。ＲＡＭクリアスイッチが操作されていなければ（Ｎｏ）、次にステップＳ１０７を実行する。
【０１０９】
ステップＳ１０７：次に主制御ＣＰＵ７２は、ＲＡＭ７６にバックアップ情報が保存されているか否か、つまり、バックアップ有効判定フラグがセットされているか否かを確認する。前回の電源遮断処理でバックアップが正常に終了し、バックアップ有効判定フラグ（例えば「Ａ５５ＡＨ」）がセットされていれば（Ｙｅｓ）、次に主制御ＣＰＵ７２はステップＳ１０８を実行する。
【０１１０】
ステップＳ１０８：主制御ＣＰＵ７２は、ＲＡＭ７６のバックアップ情報についてサムチェックを実行する。具体的には、主制御ＣＰＵ７２はＲＡＭ７６のワーク領域（使用禁止領域及びスタック領域を含むユーザワーク領域）のうち、バックアップ有効判定フラグ及びサムチェックバッファを除く全ての領域をサムチェックする。サムチェックの結果が正常であれば（Ｙｅｓ）、次に主制御ＣＰＵ７２はステップＳ１０９を実行する。
【０１１１】
ステップＳ１０９：主制御ＣＰＵ７２は、バックアップ有効判定フラグをリセット（例えば「００００Ｈ」）する。
ステップＳ１１０：また主制御ＣＰＵ７２は、前回の電源断発生直前に送信待ちであったコマンドをクリアする。
【０１１２】
ステップＳ１１１：次に主制御ＣＰＵ７２は、演出制御復帰処理を実行する。この処理では、主制御ＣＰＵ７２は演出制御装置１２４に対し、復帰用のコマンド（例えば機種指定コマンド、特別図柄確率状態指定コマンド、特図先判定演出コマンド、作動記憶数増加時演出コマンド、作動記憶数減少時演出コマンド、回数切りカウンタ残数コマンド、特別遊技状態指定コマンド等）を送信する。これを受けて演出制御装置１２４は、前回の電源遮断時に実行中であった演出状態（例えば、内部確率状態、演出図柄の表示態様、作動記憶数の演出表示態様、音響出力内容、各種ランプの発光状態等）を復帰させることができる。
【０１１３】
ステップＳ１１２：主制御ＣＰＵ７２は、状態復帰処理を実行する。この処理では、主制御ＣＰＵ７２はバックアップ情報を元にＲＡＭ７６のワーク領域に各種の値をセットし、前回の電源遮断時に実行中であった遊技状態（例えば、特別図柄の表示態様、内部確率状態、作動記憶内容、各種フラグ状態、乱数更新状態等）を復帰させる。また主制御ＣＰＵ７２は、バックアップされていたＰＣレジスタの値を復旧する。
【０１１４】
一方、電源投入時にＲＡＭクリアスイッチが操作されていた場合（ステップＳ１０６：Ｙｅｓ）や、バックアップ有効判定フラグがセットされていなかった場合（ステップＳ１０７：Ｎｏ）、あるいは、バックアップ情報が正常でなかった場合（ステップＳ１０８：Ｎｏ）、主制御ＣＰＵ７２はステップＳ１１３に移行する。
【０１１５】
ステップＳ１１３：主制御ＣＰＵ７２は、ＲＡＭ７６の使用禁止領域以外の記憶内容をクリアする。これにより、ＲＡＭ７６のワーク領域及びスタックエリアは全て初期化され、有効なバックアップ情報が保存されていても、その内容は消去される。
ステップＳ１１４：また主制御ＣＰＵ７２は、ＲＡＭ７６の初期設定を行う。
【０１１６】
ステップＳ１１５：主制御ＣＰＵ７２は、演出制御出力処理を実行する。この処理では、主制御ＣＰＵ７２が初期設定後に演出制御装置１２４に送信するべきコマンド（演出制御に必要なコマンド）を出力する。
【０１１７】
ステップＳ１１６：主制御ＣＰＵ７２は、払出制御出力処理を実行する。この処理では、主制御ＣＰＵ７２は払出制御装置９２に対して、賞球の払い出しを開始するための指示コマンドを出力する。
【０１１８】
ステップＳ１１７：主制御ＣＰＵ７２は、ＣＴＣ初期設定処理を実行し、周辺デバイスであるＣＴＣ（カウンタ／タイマ回路）の初期設定を行う。この処理では、主制御ＣＰＵ７２は割込ベクタレジスタを設定し、また、ＣＴＣに割り込みカウント値（例えば４ｍｓ）を設定する。これにより、次にＣＴＣ割り込みが発生すると、主制御ＣＰＵ７２はバックアップされていたＰＣレジスタのプログラムアドレスから処理を続行することができる。
【０１１９】
リセットスタート処理において以上の手順を実行すると、主制御ＣＰＵ７２は図６に示されるメインループに移行する（接続記号Ａ→Ａ）。
【０１２０】
ステップＳ１１８，ステップＳ１１９：主制御ＣＰＵ７２は割込を禁止した上で、電源断発生チェック処理を実行する。この処理では、主制御ＣＰＵ７２は主電源断検出信号の入力ポートをビットチェックし、電源遮断の発生（駆動電圧の低下）を監視する。電源遮断が発生すると、主制御ＣＰＵ７２は普通電動役物ソレノイド８８や大入賞口ソレノイド９０等に対応する出力ポートバッファをクリアすると、ＲＡＭ７６のワーク領域のうちバックアップ有効判定フラグ及びサムチェックバッファを除く全体の内容をバックアップし、サムチェックバッファにサム結果値を保存する。そして主制御ＣＰＵ７２はバックアップ有効判定フラグ領域に上記の有効値（例えば「Ａ５５ＡＨ」）を格納し、ＲＡＭ７６のアクセスを禁止して処理を停止（ＮＯＰ）する。一方、電源遮断が発生しなければ、主制御ＣＰＵ７２は次にステップＳ１２０を実行する。なお、このような電源断発生時の処理をマスク不能割込（ＮＭＩ）処理としてＣＰＵに実行させている公知のプログラミング例もある。
【０１２１】
ステップＳ１２０：主制御ＣＰＵ７２は、初期値更新乱数更新処理を実行する。この処理では、主制御ＣＰＵ７２は、各種のソフトウェア乱数の初期値を更新（変更）するための乱数をインクリメントする。本実施形態では、大当り決定乱数（ハードウェア乱数）を除く各種の乱数（例えば、普通図柄に対応する当り決定乱数、大当り図柄乱数、リーチ判定乱数、変動パターン決定乱数等）をプログラム上で発生させている。これらソフトウェア乱数は、別の割込処理（図８中のステップＳ２０１）で所定範囲内のループカウンタにより更新されているが、この処理において乱数値が１巡するごとにループカウンタの初期値（全ての乱数が対象でなくてもよい）を変更している。初期値更新用乱数は、この初期値をランダムに変更するために用いられており、ステップＳ１２０では、その初期値更新用乱数の更新を行っている。なお、ステップＳ１１８で割込を禁止した後にステップＳ１２０を実行しているのは、別の割込管理処理（図８中のステップＳ２０２）でも同様の処理を実行するため、これとの重複（競合）を防止するためである。なお上記のように、本実施形態において大当り決定乱数は乱数発生器７５により発生されるハードウェア乱数であり、その更新周期はタイマ割込周期（例えば数ｍｓ）よりもさらに高速（例えば数μｓ）であるため、大当り決定乱数の初期値を更新する必要はない。
【０１２２】
ステップＳ１２１，ステップＳ１２２：主制御ＣＰＵ７２は割込を許可し、その他乱数更新処理を実行する。この処理で更新される乱数は、ソフトウェア乱数のうち当選種類（当り種別）の判定に関わらない乱数（リーチ判定乱数、変動パターン決定乱数等）である。この処理は、メインループの実行中にタイマ割込が発生し、主制御ＣＰＵ７２が別の割込管理処理（図８）を実行した場合の残り時間で行われる。なお割込管理処理の内容については後述する。
【０１２３】
〔電源断発生チェック処理〕
図７は、上記の電源断発生チェック処理の手順例を具体的に示すフローチャートである。
ステップＳ１３０：ここでは先ず、主制御ＣＰＵ７２は、電源断発生チェックのための条件を設定する。このチェック条件は、例えば主電源断検出信号が継続して出力されていることを確認するためのオンカウンタ値として設定することができる。
【０１２４】
ステップＳ１３２：次に主制御ＣＰＵ７２は、主電源断検出スイッチ入力用ポートをリードし、主電源断検出信号が出力されているか否かを確認（特定のビットをチェック）する。特に図示していないが、主電源断検出スイッチは例えば主制御装置７０に実装されており、この主電源断検出スイッチは、電源制御ユニット１６２から供給される駆動電圧を監視し、その電圧レベルが基準電圧を下回った場合に主電源断検出信号を出力する。なお、主電源断検出スイッチは電源制御ユニット１６２に内蔵されていてもよい。主制御ＣＰＵ７２は、現時点で主電源断検出信号が出力されていないことを確認すると（Ｎｏ）、この処理を抜けてリセットスタート処理に復帰する。一方、主電源断検出信号が出力されていることを確認した場合（Ｙｅｓ）、主制御ＣＰＵ７２は次のステップＳ１３４に進む。
【０１２５】
ステップＳ１３４：主制御ＣＰＵ７２は、上記のチェック条件を満たすか否かを確認する。具体的には、先のステップＳ１３０で設定したオンカウンタ値を例えば１減算し、その結果が０になったか否かを確認する。現時点で未だオンカウンタ値が０でなければ（Ｎｏ）、主制御ＣＰＵ７２はステップＳ１３２に戻って主電源断検出スイッチ入力用ポートを改めて確認する。そして、ステップＳ１３４からステップＳ１３２へのループを繰り返してチェック条件が満たされると（ステップＳ１３４：Ｙｅｓ）、主制御ＣＰＵ７２は次にステップＳ１３６に進む。
【０１２６】
ステップＳ１３６：主制御ＣＰＵ７２は、上記のように普通電動役物ソレノイド８８や大入賞口ソレノイド９０に対応する出力ポートに加え、試験信号端子やコマンド制御信号に対応する出力ポートバッファをクリアする。
【０１２７】
ステップＳ１３８，ステップＳ１４０：次に主制御ＣＰＵ７２は、ＲＡＭ７６のワーク領域のうち、バックアップ有効判定フラグ及びサムチェックバッファを除く全体の内容を１バイト単位で加算し、全領域について加算を完了するまで繰り返す。
ステップＳ１４２：全領域についてサムの算出が完了すると（ステップＳ１４０：Ｙｅｓ）、主制御ＣＰＵ７２はサムチェックバッファにサム結果値を保存する。
【０１２８】
ステップＳ１４４：次に主制御ＣＰＵ７２は、上記のようにバックアップ有効判定フラグ領域に有効値を格納する。
ステップＳ１４６：また主制御ＣＰＵ７２は、ＲＡＭ７６のプロテクト値にアクセス禁止を表す「０１Ｈ」を格納し、ＲＡＭ７６のワーク領域（使用禁止領域及びスタック領域を含む）に対するアクセスを禁止する。
ステップＳ１４８：そして主制御ＣＰＵ７２は待機ループに入り、主電源断の遮断に備えて他の処理を全て停止する。主電源断の発生後は、図示しないバックアップ電源回路（例えば主制御装置７０に実装された容量素子を含む回路）からバックアップ用電力が供給されるため、ＲＡＭ７６の記憶内容は主電源断後も消失することなく保持される。なおバックアップ用電源回路は、例えば電源制御ユニット１６２に内蔵されていてもよい。
【０１２９】
以上の処理を通じて、バックアップ対象（サム加算対象）となるＲＡＭ７６のワーク領域に記憶されていた情報は、全て主電源断の後もＲＡＭ７６に記憶として保持されることになる。また保持されていた記憶は、先のリセットスタート処理（図５）でチェックサムの正常を確認した上で、電源断時のバックアップ情報として復元される。
【０１３０】
〔割込管理処理（タイマ割込処理）〕
次に、割込管理処理（タイマ割込処理）について説明する。図８は、割込管理処理の手順例を示すフローチャートである。主制御ＣＰＵ７２は、カウンタ／タイマ回路からの割込要求信号に基づき、所定時間（例えば数ｍｓ）ごとに割込管理処理を実行する。以下、各手順を追って説明する。
【０１３１】
ステップＳ２００：先ず主制御ＣＰＵ７２は、メインループの実行中に使用していたレジスタ（アキュムレータＡとフラグレジスタＦ、汎用レジスタＢ〜Ｌの各ペア）の値をＲＡＭ７６の退避領域に退避させる。値を退避させた後のレジスタ（Ａ〜Ｌ）には、割込管理処理の中で別の値を書き込むことができる。
【０１３２】
ステップＳ２０１：次に主制御ＣＰＵ７２は、抽選乱数更新処理を実行する。この処理では、主制御ＣＰＵ７２は抽選用の各種乱数を発生させるためのカウンタの値を更新する。各カウンタの値は、ＲＡＭ７６のカウンタ領域にてインクリメントされ、それぞれ規定の範囲内でループする。各種乱数には、例えば大当り図柄乱数、普通図柄当り決定乱数等が含まれる。
【０１３３】
ステップＳ２０２：主制御ＣＰＵ７２は、ここでも初期値更新乱数更新処理を実行する。処理の内容は、先に述べたものと同じである。
【０１３４】
ステップＳ２０３：主制御ＣＰＵ７２は、入力処理を実行する。この処理では、主制御ＣＰＵ７２は入出力（Ｉ／Ｏ）ポート７９から各種スイッチ信号を入力する。具体的には、ゲートスイッチ７８からの通過検出信号や、上始動入賞口スイッチ８０、下始動入賞口スイッチ８２、カウントスイッチ８４、入賞口スイッチ８６からの入賞検出信号の入力状態（ＯＮ／ＯＦＦ）をリードする。
【０１３５】
ステップＳ２０４：次に主制御ＣＰＵ７２は、スイッチ入力イベント処理を実行する。この処理では、先の入力処理で入力したスイッチ信号のうち、ゲートスイッチ７８、上始動入賞口スイッチ８０、下始動入賞口スイッチ８２からの入賞検出信号に基づいて遊技中に発生した事象の判定を行い、それぞれ発生した事象に応じて、さらに別の処理を実行する。なお、スイッチ入力イベント処理の具体的な内容については、さらに別のフローチャートを用いて後述する。
【０１３６】
本実施形態では、上始動入賞口スイッチ８０又は下始動入賞口スイッチ８２から入賞検出信号（ＯＮ）が入力されると、主制御ＣＰＵ７２はそれぞれ第１特別図柄又は第２特別図柄に対応した内部抽選の契機（抽選契機）となる事象が発生したと判定する。またゲートスイッチ７８から通過検出信号（ＯＮ）が入力されると、主制御ＣＰＵ７２は普通図柄に対応した抽選契機となる事象が発生したと判定する。いずれかの事象が発生したと判定すると、主制御ＣＰＵ７２は、それぞれの発生事象に応じた処理を実行する。なお、上始動入賞口スイッチ８０又は下始動入賞口スイッチ８２から入賞検出信号が入力された場合に実行される処理については、さらに別のフローチャートを用いて後述する。
【０１３７】
ステップＳ２０５，ステップＳ２０６：主制御ＣＰＵ７２は、割込管理処理中において特別図柄遊技処理及び普通図柄遊技処理を実行する。これら処理は、パチンコ機１における遊技を具体的に進行させるためのものである。このうち特別図柄遊技処理（ステップＳ２０５）では、主制御ＣＰＵ７２は先に述べた第１特別図柄又は第２特別図柄に対応する内部抽選の実行を制御したり、第１特別図柄表示装置３４及び第２特別図柄表示装置３５による変動表示や停止表示を制御したり、その表示結果に応じて可変入賞装置３０の作動を制御したりする。なお、特別図柄遊技処理の詳細については、さらに別のフローチャートを用いて後述する。
【０１３８】
また普通図柄遊技処理（ステップＳ２０６）では、主制御ＣＰＵ７２は先に述べた普通図柄表示装置３３による変動表示や停止表示を制御したり、その表示結果に応じて可変始動入賞装置２８の作動を制御したりする。例えば、主制御ＣＰＵ７２は先のスイッチ入力イベント処理（ステップＳ２０４）の中で始動ゲート２０の通過を契機として取得した乱数（普通図柄当り決定乱数）を記憶しておき、この普通図柄遊技処理の中で記憶から乱数値を読み出し、所定の当り範囲内に該当するか否かの判定を行う（作動抽選実行手段）。乱数値が当り範囲内に該当する場合、普通図柄表示装置３３により普通図柄を変動表示させて所定の当り態様で普通図柄の停止表示を行った後、主制御ＣＰＵ７２は普通電動役物ソレノイド８８を励磁して可変始動入賞装置２８を作動させる（可動片作動手段）。一方、乱数値が当り範囲外であれば、主制御ＣＰＵ７２は、変動表示の後にはずれの態様で普通図柄の停止表示を行う。
【０１３９】
ステップＳ２０７：次に主制御ＣＰＵ７２は、賞球払出処理を実行する。この処理では、先の入力処理（ステップＳ２０３）において各種スイッチ８０，８２，８４，８６から入力された入賞検出信号に基づき、払出制御装置９２に対して賞球個数を指示する賞球指示コマンドを出力する。
【０１４０】
ステップＳ２０８：次に主制御ＣＰＵ７２は、外部情報処理を実行する。この処理では、主制御ＣＰＵ７２は外部端子板１６０を通じて遊技場のホールコンピュータに対して上記の外部情報信号（例えば賞球情報、扉開放情報、図柄確定回数情報、大当り情報、始動口情報等）をポート出力要求バッファに格納する。
【０１４１】
なお本実施形態では、各種の外部情報信号のうち、例えば大当り情報として「大当り１」〜「大当り５」を外部に出力することで、パチンコ機１に接続された外部の電子機器（データ表示器やホールコンピュータ）に対して多様な大当り情報を提供することができる（外部情報信号出力手段）。すなわち、大当り情報を複数の「大当り１」〜「大当り５」に分けて出力することで、これらの組み合わせから大当りの種別（当選種類）を図示しないホールコンピュータで集計・管理したり、内部的な確率状態（低確率状態又は高確率状態）や図柄変動時間の短縮状態の変化を認識したり、非当選以外であっても「大当り」に分類されない小当り（条件装置が作動しない当り）の発生を集計・管理したりすることが可能となる。また大当り情報に基づき、例えば図示しないデータ表示装置によりパチンコ機１の台ごとに過去数営業日以内の大当り発生回数を計数及び表示したり、台ごとに現在大当り中であるか否かを認識したり、あるいは台ごとに現在図柄変動時間の短縮状態であるか否かを認識したりすることができる。この外部情報処理において、主制御ＣＰＵ７２は「大当り１」〜「大当り５」のそれぞれの出力状態（ＯＮ又はＯＦＦのセット）を詳細に制御する。
【０１４２】
ステップＳ２０９：また主制御ＣＰＵ７２は、試験信号処理を実行する。この処理では、主制御ＣＰＵ７２が自己の内部状態（例えば、普通図柄遊技管理状態、特別図柄遊技管理状態、大当り中、確率変動機能作動中、時間短縮機能作動中）を表す各種の試験信号を生成し、これらをポート出力要求バッファに格納する。この試験信号により、例えば主制御装置７０の外部で主制御ＣＰＵ７２の内部状態を試験することができる。
【０１４３】
ステップＳ２１０：次に主制御ＣＰＵ７２は、表示出力管理処理を実行する。この処理では、主制御ＣＰＵ７２は普通図柄表示装置３３、普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ、遊技状態表示装置３８等の点灯状態を制御する。具体的には、先の特別図柄遊技処理（ステップＳ２０５）や普通図柄遊技処理（ステップＳ２０６）においてポート出力要求バッファに格納されている駆動信号をポート出力する。なお駆動信号は、各ＬＥＤに対して印加するバイトデータとしてポート出力要求バッファに格納されている。これにより、各ＬＥＤが所定の表示態様（図柄の変動表示や停止表示、作動記憶数表示、遊技状態表示等を行う態様）で駆動されることになる。
【０１４４】
ステップＳ２１１：また主制御ＣＰＵ７２は、出力管理処理を実行する。この処理では、主制御ＣＰＵ７２は先の外部情報処理（ステップＳ２０８）でポート出力要求バッファに格納された外部情報信号（バイトデータ）をポート出力する。また主制御ＣＰＵ７２は、ポート出力要求バッファに格納されている普通電動役物ソレノイド８８及び大入賞口ソレノイド９０の各駆動信号、試験信号等を合わせてポート出力する。
【０１４５】
ステップＳ２１２：主制御ＣＰＵ７２は、演出制御出力処理を実行する。この処理では、コマンドバッファ内に主制御ＣＰＵ７２が演出制御装置１２４に送信するべきコマンド（演出制御に必要なコマンド）があるか否かを確認し、未送信コマンドがある場合は出力対象のコマンドをポート出力する。
【０１４６】
ステップＳ２１３：そして主制御ＣＰＵ７２は、今回のＣＴＣ割込で格納したポート出力要求バッファをクリアする。
【０１４７】
なお本実施形態では、ステップＳ２０５〜ステップＳ２１２の処理（遊技制御プログラムモジュール）をタイマ割込処理として実行する例を挙げているが、これら処理をＣＰＵのメインループ中に組み込んで実行している公知のプログラミング例もある。
【０１４８】
ステップＳ２１４：以上の処理を終えると、主制御ＣＰＵ７２は割込終了を指定する値（０１Ｈ）を割込プログラムカウンタ内に格納し、ＣＴＣ割込を終了する。
【０１４９】
ステップＳ２１５，ステップＳ２１６：そして主制御ＣＰＵ７２は、退避しておいたレジスタ（Ａ〜Ｌ）の値を復帰し、次回のＣＴＣ割込を許可する。この後、主制御ＣＰＵ７２は、メインループ（スタックポインタで指示されるプログラムアドレス）に復帰する。
【０１５０】
〔スイッチ入力イベント処理〕
図９は、スイッチ入力イベント処理（図８中のステップＳ２０４）の手順例を示すフローチャートである。以下、各手順を追って説明する。
【０１５１】
ステップＳ１０：主制御ＣＰＵ７２は、第１特別図柄に対応する上始動入賞口スイッチ８０から入賞検出信号が入力（第１事象が発生）されたか否かを確認する。この入賞検出信号の入力が確認された場合（Ｙｅｓ）、主制御ＣＰＵ７２は次のステップＳ１２に進んで第１特別図柄記憶更新処理を実行する。具体的な処理の内容については、別のフローチャートを用いてさらに後述する。一方、入賞検出信号の入力がなかった場合（Ｎｏ）、主制御ＣＰＵ７２はステップＳ１４に進む。
【０１５２】
ステップＳ１４：次に主制御ＣＰＵ７２は、第２特別図柄に対応する下始動入賞口スイッチ８２から入賞検出信号が入力（第２事象が発生）されたか否かを確認する。この入賞検出信号の入力が確認された場合（Ｙｅｓ）、主制御ＣＰＵ７２は次のステップＳ１６に進んで第２特別図柄記憶更新処理を実行する。ここでも同様に、具体的な処理の内容については別のフローチャートを用いてさらに後述する。一方、入賞検出信号の入力がなかった場合（Ｎｏ）、主制御ＣＰＵ７２はステップＳ１８に進む。
【０１５３】
ステップＳ１８：主制御ＣＰＵ７２は、大入賞口に対応するカウントスイッチ８４から入賞検出信号が入力されたか否かを確認する。この入賞検出信号の入力が確認された場合（Ｙｅｓ）、主制御ＣＰＵ７２は次のステップＳ２０に進んで大入賞口カウント処理を実行する。大入賞口カウント処理では、主制御ＣＰＵ７２は大当り遊技中に１ラウンドごとの可変入賞装置３０への入賞球数をカウントする。一方、入賞検出信号の入力がなかった場合（Ｎｏ）、主制御ＣＰＵ７２はステップＳ２２に進む。
【０１５４】
ステップＳ２２：主制御ＣＰＵ７２は、普通図柄に対応するゲートスイッチ７８から通過検出信号が入力されたか否かを確認する。この通過検出信号の入力が確認された場合（Ｙｅｓ）、主制御ＣＰＵ７２は次のステップＳ２４に進んで普通図柄記憶更新処理を実行する。普通図柄記憶更新処理では、主制御ＣＰＵ７２は現在の普通図柄作動記憶数が上限数（例えば４個）未満であるか否かを確認し、上限数に達していなければ、普通図柄当り乱数を取得する。また主制御ＣＰＵ７２は、普通図柄作動記憶数を１インクリメントする。そして主制御ＣＰＵ７２は、取得した普通図柄当り乱数値をＲＡＭ７６の乱数記憶領域に記憶させる。一方、入賞検出信号の入力がなかった場合（Ｎｏ）、主制御ＣＰＵ７２は割込管理処理（図８）に復帰する。
【０１５５】
〔第１特別図柄記憶更新処理〕
図１０は、第１特別図柄記憶更新処理（図９中のステップＳ１２）の手順例を示すフローチャートである。以下、第１特別図柄記憶更新処理の手順について順を追って説明する。
【０１５６】
ステップＳ３０：ここでは先ず、主制御ＣＰＵ７２は第１特別図柄作動記憶数カウンタの値を参照し、作動記憶数が最大値（例えば４とする）未満であるか否かを確認する。作動記憶数カウンタは、ＲＡＭ７６の乱数記憶領域に記憶されている大当り決定乱数や大当り図柄乱数等の個数（組数）を表すものである。すなわち、ＲＡＭ７６の乱数記憶領域は各図柄（第１特別図柄、第２特別図柄）別で４つのセクション（例えば各２バイト）に分けられており、各セクションには大当り決定乱数及び大当り図柄乱数を１個ずつセット（組）で記憶可能である。このとき、第１特別図柄に対応する作動記憶数カウンタの値が上限値に達していれば（Ｎｏ）、主制御ＣＰＵ７２はスイッチ入力イベント処理（図９）に復帰する。一方、作動記憶数カウンタの値が最大値未満であれば（Ｙｅｓ）、主制御ＣＰＵ７２は次のステップＳ３１に進む。
【０１５７】
ステップＳ３１：主制御ＣＰＵ７２は、第１特別図柄作動記憶数を１つ加算する。第１特別図柄作動記憶数カウンタは、例えばＲＡＭ７６の作動記憶数領域に記憶されており、主制御ＣＰＵ７２はその値をインクリメント（＋１）する。ここで加算されたカウンタの値に基づき、表示出力管理処理（図８中のステップＳ２１０）で第１特別図柄作動記憶ランプ３４ａの点灯状態が制御されることになる。
【０１５８】
ステップＳ３２：そして主制御ＣＰＵ７２は、サンプリング回路７７を通じて乱数発生器７５から第１特別図柄に対応する大当り決定乱数値を取得する（第１抽選要素の取得、抽選要素取得手段）。乱数値の取得は、乱数発生器７５のピンアドレスを指定して行う。主制御ＣＰＵ７２が８ビット処理の場合、アドレスの指定は上位及び下位で１バイトずつ２回に分けて行われる。主制御ＣＰＵ７２は、指定したアドレスから大当り決定乱数値をリードすると、これを第１特別図柄に対応する大当り決定乱数として転送先のアドレスにセーブする。
【０１５９】
ステップＳ３３：次に主制御ＣＰＵ７２は、ＲＡＭ７６の大当り図柄乱数カウンタ領域から第１特別図柄に対応する大当り図柄乱数値を取得する。この乱数値の取得もまた、大当り図柄乱数カウンタ領域のアドレスを指定して行う。主制御ＣＰＵ７２は、指定したアドレスから大当り図柄乱数値をリードすると、これを第１特別図柄に対応する大当り図柄乱数として転送先のアドレスにセーブする。
【０１６０】
ステップＳ３４：また主制御ＣＰＵ７２は、ＲＡＭ７６の変動用乱数カウンタ領域から、第１特別図柄の変動条件に関する乱数値として、リーチ判定乱数及び変動パターン決定乱数を順番に取得する。これら乱数値の取得も同様に、変動用乱数カウンタ領域のアドレスを指定して行われる。そして主制御ＣＰＵ７２は、指定したアドレスからリーチ判定乱数及び変動パターン決定乱数をそれぞれ取得すると、これらを転送先のアドレスにセーブする。
【０１６１】
ステップＳ３５：主制御ＣＰＵ７２は、セーブした大当り決定乱数、大当り図柄乱数、リーチ判定乱数及び変動パターン決定乱数をともに第１特別図柄に対応する乱数記憶領域に転送し、これら乱数を領域内の空きセクションにセットで記憶させる。複数のセクションには順番（例えば第１〜第４）が設定されており、現段階で第１〜第４の全てのセクションが空きであれば、第１セクションから順に各乱数が記憶される。あるいは、第１セクションが既に埋まっており、その他の第２〜第４セクションが空きであれば、第２セクションから順に各乱数が記憶されていく。なお、乱数記憶領域の読み出しはＦＩＦＯ（Ｆｉｒｓｔ  Ｉｎ  Ｆｉｒｓｔ  Ｏｕｔ）形式である。
【０１６２】
ステップＳ３６：次に主制御ＣＰＵ７２は、現在の遊技管理状態（内部状態）が時間短縮機能作動中であるか否か、あるいは、大当り中であるか否かを確認する。大当り中以外であって時間短縮機能が非作動であれば（Ｎｏ）、主制御ＣＰＵ７２は次以降のステップＳ３７，Ｓ３８を実行する。時間短縮機能が作動中であるか、もしくは大当り中のいずれかであれば（Ｙｅｓ）、主制御ＣＰＵ７２はステップＳ３７，Ｓ３８をスキップしてステップＳ３８ａに進む。本実施形態においてこの判断を行っているのは、先ず大当り中は先読みによる演出を行わないためである。また大当り中以外では、第１特別図柄の作動記憶と第２特別図柄の作動記憶がともに残存する場合、第１特別図柄よりも第２特別図柄の変動を優先して行う（第２特別図柄の作動記憶を優先して消費する）こととしており、特に時間短縮機能作動中は可変始動入賞装置２８の作動が高頻度で行われるからである。なお、時間短縮機能作動中は特別図柄の変動時間が短縮されることに加えて、普通図柄の抽選が高確率（例えば低確率で２５１分の２５→２５１分の２４９程度）になり、また、普通図柄の変動時間が短縮（例えば非作動時で１０秒程度→１秒程度に短縮）されるとともに可変始動入賞装置２８の開放時間が延長（例えば非作動時で０．３秒程度→２．５秒程度に延長）され、さらに開放回数が増加（例えば、非作動時で１回→２回に増加）するため、遊技球の発射が長時間（普通図柄の作動記憶が全て途絶えて可変始動入賞装置２８が作動を停止する程度の時間）にわたって途切れない限り、第２特別図柄の変動を優先しても、その作動記憶が途切れにくくなっている（いわゆる電チューサポート）。ただし、第１特別図柄や第２特別図柄について優先順位を設けることなく、これらを入賞発生順に当り判定（変動）することとしてもよい。なおステップＳ３６は、例えば「時間短縮機能作動中」を判定するステップＳ３６ａと「大当り中」を判定するステップＳ３６ｂの２つに分割してもよい。
【０１６３】
ステップＳ３７：時間短縮機能が非作動の場合（ステップＳ３６：Ｎｏ）、主制御ＣＰＵ７２は第１特別図柄に関して取得時演出判定処理を実行する。この処理は、先のステップＳ３２〜Ｓ３４でそれぞれ取得した第１特別図柄の大当り決定乱数及び大当り図柄乱数に基づいて、事前（変動開始前）に内部抽選の結果を判定し、それによって演出内容を判定（いわゆる「先読み」）するためのものである。なお、具体的な処理の内容については別のフローチャートを参照しながらさらに後述する。
【０１６４】
ステップＳ３８：取得時演出判定処理から復帰すると、次に主制御ＣＰＵ７２は、第１特別図柄に関して特図先判定演出コマンドの上位バイト分（例えば「Ｂ８Ｈ」）をセットする。この上位バイトデータは、コマンド種別が「第１特別図柄に関する特図先判定演出用」であることを記述したものである。なお、特図先判定演出コマンドの下位バイト分は、先の取得時演出判定処理（ステップＳ３７）においてセットされているので、ここでは下位バイトに上位バイトを合成することで例えば１ワード長のコマンドが生成されることになる。
【０１６５】
ステップＳ３８ａ：次に主制御ＣＰＵ７２は、第１特別図柄に関して作動記憶数増加時演出コマンドをセットする。具体的には、コマンドの種別を表す上位バイトの先行値（例えば「ＢＢＨ」）に対し、増加後の作動記憶数（例えば「０１Ｈ」〜「０４Ｈ」）を下位バイトに付加した１ワード長の演出コマンドを生成する。このとき下位バイトについては、デフォルトで第２の位を「０」とすることにより、その値が「作動記憶数の増加による結果（変化情報）」であることを表している。つまり、下位バイトが「０１Ｈ」であれば、それは前回までの作動記憶数「００Ｈ」から１つ増加した結果、今回の作動記憶数が「０１Ｈ」となったことを表している。同様に、下位バイトが「０２Ｈ」〜「０４Ｈ」であれば、それは前回までの作動記憶数「０１Ｈ」〜「０３Ｈ」からそれぞれ１つ増加した結果、今回の作動記憶数が「０２Ｈ」〜「０４Ｈ」となったことを表している。なお上記の先行値「ＢＢＨ」は、今回の演出コマンドが第１特別図柄についての作動記憶数コマンドであることを表す値である。
【０１６６】
ステップＳ３９：そして主制御ＣＰＵ７２は、第１特別図柄に関して演出コマンド出力設定処理を実行する。この処理は、先のステップＳ３８で生成した特図先判定演出コマンドや、ステップＳ３８ａで生成した作動記憶数増加時演出コマンド、始動口入賞音制御コマンドを演出制御装置１２４に対して送信するためのものである（記憶数通知手段）。
【０１６７】
以上の手順を終えるか、もしくは第１特別図柄作動記憶数が４に達していた場合（ステップＳ３０：Ｎｏ）、主制御ＣＰＵ７２はスイッチ入力イベント処理（図９）に復帰する。
【０１６８】
〔第２特別図柄記憶更新処理〕
次に図１１は、第２特別図柄記憶更新処理（図９中のステップＳ１６）の手順例を示すフローチャートである。以下、第２特別図柄記憶更新処理の手順について順を追って説明する。
【０１６９】
ステップＳ４０：主制御ＣＰＵ７２は、第２特別図柄作動記憶数カウンタの値を参照し、作動記憶数が最大値未満であるか否かを確認する。第２特別図柄作動記憶数カウンタについても上記と同様に、ＲＡＭ７６の乱数記憶領域に記憶されている大当り決定乱数や大当り図柄乱数等の個数（組数）を表すものである。このとき第２特別図柄作動記憶数カウンタの値が最大値（例えば４とする）に達していれば（Ｎｏ）、主制御ＣＰＵ７２はスイッチ入力イベント処理（図９）に復帰する。一方、未だ第２特別図柄作動記憶数カウンタの値が最大値未満であれば（Ｙｅｓ）、主制御ＣＰＵ７２は次のステップＳ４１以降に進む。
【０１７０】
ステップＳ４１：主制御ＣＰＵ７２は、第２特別図柄作動記憶数を１つ加算（第２特別図柄作動記憶数カウンタの値をインクリメント）する。先のステップＳ３１（図１０）と同様に、ここで加算されたカウンタの値に基づき、表示出力管理処理（図８中のステップＳ２１０）で第２特別図柄作動記憶ランプ３５ａの点灯状態が制御されることになる。
【０１７１】
ステップＳ４２：そして主制御ＣＰＵ７２は、サンプリング回路７７を通じて乱数発生器７５から第２特別図柄に対応する大当り決定乱数値を取得する（第２抽選要素の取得、抽選要素取得手段）。乱数値を取得する手法は、先に説明したステップＳ３２（図１０）と同様である。
【０１７２】
ステップＳ４３：次に主制御ＣＰＵ７２は、ＲＡＭ７６の大当り図柄乱数カウンタ領域から第２特別図柄に対応する大当り図柄乱数値を取得する。乱数値を取得する方法は、先に説明したステップＳ３３（図１０）と同様である。
【０１７３】
ステップＳ４４：また主制御ＣＰＵ７２は、ＲＡＭ７６の変動用乱数カウンタ領域から、第２特別図柄の変動条件に関するリーチ判定乱数及び変動パターン決定乱数を順番に取得する。これら乱数値の取得もまた、先に説明したステップＳ３４（図１０）と同様に行われる。
【０１７４】
ステップＳ４５：主制御ＣＰＵ７２は、セーブした大当り決定乱数、大当り図柄乱数、リーチ判定乱数及び変動パターン決定乱数をともに第２特別図柄に対応する乱数記憶領域に転送し、これら乱数を領域内の空きセクションにセットで記憶させる。記憶の手法は、先に説明したステップＳ３５（図１０）と同様である。
【０１７５】
ステップＳ４５ａ：次に主制御ＣＰＵ７２は、現在の遊技管理状態（内部状態）が大当り中であるか否かを確認する。そして大当り中以外であれば（Ｎｏ）、主制御ＣＰＵ７２は次以降のステップＳ４６，Ｓ４７を実行する。逆に大当り中であれば（Ｙｅｓ）、主制御ＣＰＵ７２はステップＳ４６，Ｓ４７をスキップしてステップＳ４８に進む。本実施形態においてこの判断を行っているのは、大当り中は先読みによる演出を行わないためである。
【０１７６】
ステップＳ４６：大当り中以外である場合（ステップＳ４５ａ：Ｎｏ）、次に主制御ＣＰＵ７２は、第２特別図柄に関して取得時演出判定処理を実行する。この処理は、先のステップＳ４２〜Ｓ４４でそれぞれ取得した第２特別図柄の大当り決定乱数及び大当り図柄乱数に基づいて、事前（変動開始前）に内部抽選の結果を判定し、それによって演出内容を判定するためのものである。ここで、先のステップＳ４５ａで大当り中か否かだけを判定し、時間短縮機能の作動状態を判定していないのは、上記のように本実施形態では、大当り中以外の遊技において第１特別図柄よりも第２特別図柄を優先して変動させるため、大当り中以外は時間短縮機能の作動状態に関わらず、第２特別図柄については事前に内部抽選の結果を判定し、その結果を先読み演出に利用できるからである。なお、具体的な処理の内容は後述する。
【０１７７】
ステップＳ４７：取得時演出判定処理から復帰すると、次に主制御ＣＰＵ７２は特図先判定演出コマンドの上位バイト分（例えば「Ｂ９Ｈ」）をセットする。この上位バイトデータは、コマンド種別が「第２特別図柄に関する特図先判定演出用」であることを記述したものである。ここでも同様に、特図先判定演出コマンドの下位バイト分は、先の取得時演出判定処理（ステップＳ４６）においてセットされているので、ここでは下位バイトに上位バイトを合成することで例えば１ワード長のコマンドが生成されることになる。
【０１７８】
ステップＳ４８：次に主制御ＣＰＵ７２は、第２特別図柄に関して作動記憶数増加時演出コマンドをセットする。ここでは、コマンドの種別を表す上位バイトの先行値（例えば「ＢＣＨ」）に対し、増加後の作動記憶数（例えば「０１Ｈ」〜「０４Ｈ」）を下位バイトに付加した１ワード長の演出コマンドを生成する。第２特別図柄についても同様に、デフォルトで下位バイトの第２の位を「０」とすることにより、その値が「作動記憶数の増加による結果（変化情報）」であることを表すことができる。なお先行値「ＢＣＨ」は、今回の演出コマンドが第２特別図柄についての作動記憶数コマンドであることを表す値である。
【０１７９】
ステップＳ４９：そして主制御ＣＰＵ７２は、第２特別図柄に関して演出コマンド出力設定処理を実行する。これにより、第２特別図柄に関して特図先判定演出コマンドや作動記憶数増加時演出コマンド、始動口入賞音制御コマンド等を演出制御装置２４に対して送信する準備が行われる（記憶数通知手段）。また以上の手順を終えると、主制御ＣＰＵ７２はスイッチ入力イベント処理（図９）に復帰する。
【０１８０】
〔取得時演出判定処理〕
図１２は、取得時演出判定処理の手順例を示すフローチャートである。主制御ＣＰＵ７２は、先の第１特別図柄記憶更新処理及び第２特別図柄記憶更新処理（図１０中のステップＳ３７，図１１中のステップＳ４６）においてこの取得時演出判定処理を実行する（先判定実行手段）。上記のように、この処理は第１特別図柄（上始動入賞口２６への入賞時）、第２特別図柄（可変始動入賞装置２８への入賞時）のそれぞれについて実行される。したがって以下の説明は、第１特別図柄に関する処理に該当する場合と、第２特別図柄に関する処理に該当する場合とがある。以下、各手順に沿って処理の内容を説明する。
【０１８１】
ステップＳ５０：主制御ＣＰＵ７２は、特図先判定演出コマンド（先判定情報）の下位バイト分（例えば「００Ｈ」）をセットする。なお、ここでセットしたバイトデータはコマンドの標準値（はずれ時）を表すものとなる。
【０１８２】
ステップＳ５２：次に主制御ＣＰＵ７２は、先判定用乱数値として大当り決定乱数をロードする。ここでロードする乱数は、先の第１特別図柄記憶更新処理（図１０中のステップＳ３５）又は第２特別図柄記憶更新処理（図１１中のステップＳ４５）でＲＡＭ７６に記憶されているものである。
【０１８３】
ステップＳ５４：そして主制御ＣＰＵ７２は、ロードした乱数が当り値の範囲外（ここでは下限値以下）であるか否かを判定する。具体的には、主制御ＣＰＵ７２は比較値（下限値）をＡレジスタにセットし、この比較値からロードした乱数値を減算する。なお比較値（下限値）は、パチンコ機１における内部抽選の当選確率に応じて予め規定されている。次に主制御ＣＰＵ７２は、例えばフラグレジスタの値から演算結果が０又は正の値であるか否かを判別する。その結果、ロードした乱数が当り値の範囲外であれば（Ｙｅｓ）、主制御ＣＰＵ７２はステップＳ８０に進む。
【０１８４】
ステップＳ８０：次に主制御ＣＰＵ７２は、はずれ時変動パターン情報事前判定処理を実行する。この処理では、主制御ＣＰＵ７２は、はずれ時の変動時間について上述した変動パターン先判定コマンドを生成する。ここで生成される変動パターン先判定コマンドには、特に「時間短縮機能」の作動時における変動時間（又は変動パターン番号）に関する事前の判定情報が反映される。例えば、現在の状態が「時間短縮機能」の作動時であれば、主制御ＣＰＵ７２はロードしたリーチ判定乱数に基づいて、変動時間が「はずれリーチ変動（非短縮変動時間）」に対応するものであるか否かを判断する。その結果、変動時間が「はずれリーチ変動（非短縮変動時間）」に対応するものである場合、主制御ＣＰＵ７２は「時短中非短縮変動時間」に対応する変動パターン先判定コマンドを生成する。なお、リーチ変動の場合はさらに、リーチモード乱数から「リーチグループ（リーチの種類）」をも判断し、その結果から変動パターン先判定コマンドを生成することとしてもよい。一方、変動時間が「はずれリーチ変動（非短縮変動時間）」に対応するものでない場合、主制御ＣＰＵ７２は「時短中短縮変動時間」に対応する変動パターン先判定コマンドを生成する。あるいは、現在の状態が「時間短縮機能」の非作動時（低確率状態）であれば、主制御ＣＰＵ７２はロードしたリーチ判定乱数に基づいて、変動時間が「通常はずれリーチ変動」に対応するものであるか否かを判断する。その結果、変動時間が「通常はずれリーチ変動」に対応するものである場合、主制御ＣＰＵ７２は「通常はずれリーチ変動時間」に対応する変動パターン先判定コマンドを生成する。一方、変動時間が「通常はずれリーチ変動」に対応するものでない場合、主制御ＣＰＵ７２は「通常はずれ変動時間」に対応する変動パターン先判定コマンドを生成する。また、ここで生成された変動パターン先判定コマンドは、上記のように演出コマンド出力設定処理（ステップＳ３９，Ｓ４９）で送信バッファにセットされる。
【０１８５】
以上の手順を実行すると、主制御ＣＰＵ７２は取得時演出判定処理を終了し、呼び出し元の第１特別図柄記憶更新処理（図１０）又は第２特別図柄記憶更新処理（図１１）に復帰する。一方、先のステップＳ５４の判断において、ロードした乱数が当り値の範囲外でなく、範囲内であれば（ステップＳ５４：Ｎｏ）、主制御ＣＰＵ７２は次にステップＳ５６に進む。
【０１８６】
ステップＳ５６：主制御ＣＰＵ７２は、先判定結果による確率状態予定フラグがセットされているか否かを確認する。先判定結果による確率状態予定フラグは、未だ変動は開始されていないが、これまで記憶されている大当り決定乱数の中に当選値がある場合にセットされるものである。具体的には、これまでに記憶されている大当り決定乱数に当選値があった場合、これと組になる大当り図柄乱数が「確変図柄」に該当するものであれば、確率状態予定フラグに例えば「Ａ０Ｈ」がセットされる。この値は、この大当り決定乱数よりも後に取得された大当り決定乱数の事前判定（先読み判定）に際して、高確率状態になることを予定として設定するためのフラグ値を表すものである。一方、これまでに記憶されている大当り決定乱数に当選値があった場合であって、これと組になる大当り図柄乱数が「非確変（通常）図柄」に該当するものであれば、確率状態予定フラグに例えば「０１Ｈ」がセットされる。この値は、この大当り決定乱数よりも後に取得された大当り決定乱数の事前判定（先読み判定）に際して、通常（低）確率状態になることを予定として設定するためのフラグ値を表すものである。なお、これまでに記憶されている大当り決定乱数に当選値が未だ存在しなければ、フラグ値はリセット（００Ｈ）されている。また確率状態予定フラグの値は、例えばＲＡＭ７６のフラグ領域に格納されている。なお、ここでは「確率状態予定フラグ」を用いて厳密に事前の当り判定を行う例を挙げているが、単純に現在の確率状態に基づいて事前の当り判定を行う場合、このステップＳ５６と以降のステップＳ５８，ステップＳ６０，ステップＳ６２，ステップＳ７６等を省略してもよい。
【０１８７】
主制御ＣＰＵ７２は、未だ確率状態予定フラグがセットされていなければ（ステップＳ５６：Ｎｏ）、次にステップＳ６６を実行する。
【０１８８】
ステップＳ６６：この場合、主制御ＣＰＵ７２は次に低確率時（通常時）用比較値をＡレジスタにセットする。なお低確率時用比較値もまた、パチンコ機１における低確率時の当選確率に応じて予め規定されている。
【０１８９】
ステップＳ６８：次に主制御ＣＰＵ７２は、「現在の確率状態フラグ」をロードする。この確率状態フラグは、現在の内部状態が高確率（確変中）であるか否かを表すものであり、ＲＡＭ７６のフラグ領域内に記憶されているものである。現在の確率状態が高確率（確変中）であれば、状態フラグとして値「０１Ｈ」がセットされており、低確率（通常中）であれば、状態フラグの値はリセットされている（「００Ｈ」）。
【０１９０】
ステップＳ７０：そして主制御ＣＰＵ７２は、ロードした現在の特別図柄確率状態フラグが高確率を表すものでない（≠０１Ｈ）か否かを確認し、その結果、高確率を表すものであれば（Ｎｏ）、次にステップＳ６４を実行する。
【０１９１】
ステップＳ６４：主制御ＣＰＵ７２は、高確率時用比較値をセットする。これにより、先のステップＳ６６でセットされた低確率時用比較値が書き換えられることになる。なお、高確率時用比較値は、パチンコ機１における高確率時の当選確率に応じて予め規定されている。
【０１９２】
このように、先判定結果による確率状態予定フラグが未だセットされていない場合であって、現在の内部状態が高確率の場合は、比較値を高確率時用に書き換えた上で次のステップＳ７２を実行することになる。これに対し、先のステップＳ７０で現在の確率状態フラグが高確率を表すものでないことを確認した場合（Ｙｅｓ）、主制御ＣＰＵ７２はステップＳ６４をスキップして次のステップＳ７２を実行する。
【０１９３】
ステップＳ７２：主制御ＣＰＵ７２は、先のステップＳ５２でロードした乱数が当り値の範囲外であるか否かを判定する。すなわち、主制御ＣＰＵ７２は状態別でセットした比較値から大当り決定乱数値を減算する。そして主制御ＣＰＵ７２は、同様にフラグレジスタの値から演算結果が負の値（＜０）であるか否かを判別し、その結果、ロードした乱数が当り値の範囲外であれば（Ｙｅｓ）、主制御ＣＰＵ７２は上記のはずれ時変動パターン情報事前判定処理（ステップＳ８０）を実行する。これに対し、ロードした乱数が当り値の範囲外でなく、範囲内であれば（Ｎｏ）、主制御ＣＰＵ７２は次にステップＳ７４に進む。
【０１９４】
ステップＳ７４：主制御ＣＰＵ７２は、大当り図柄種別判定処理を実行する。この処理は、大当り決定乱数と組になっている大当り図柄乱数に基づいて、そのときの大当り種別（当選種類）を判定するためのものである。例えば、主制御ＣＰＵ７２は先の第１特別図柄記憶更新処理（図１０中のステップＳ３５）又は第２特別図柄記憶更新処理（図１１中のステップＳ４５）で記憶した図柄別の大当り図柄乱数をロードすると、上記のステップＳ５４と同様に比較値を用いた演算を実行し、その結果から大当り種別として「非確変（通常）図柄」又は「確変図柄」のいずれに該当するかを判別する。主制御ＣＰＵ７２は、このときの判別結果を特別図柄先判定値として記憶し、次のステップＳ７６に進む。
【０１９５】
ステップＳ７６：そして主制御ＣＰＵ７２は、先判定結果による確率状態予定フラグの値をセットする。具体的には、先のステップＳ７４で記憶した特別図柄先判定値が「非確変（通常）図柄」を表す場合、主制御ＣＰＵ７２は確率状態予定フラグに値「０１Ｈ」をセットする。一方、特別図柄先判定値が「確変図柄」を表す場合、主制御ＣＰＵ７２は確率状態予定フラグに値「Ａ０Ｈ」をセットする。これにより、次回以降の処理ではステップＳ５６において「フラグセット済み」と判定されることになる。
【０１９６】
ステップＳ７８：主制御ＣＰＵ７２は、特図先判定演出コマンドの下位バイトとして、先のステップＳ７４で記憶した特別図柄先判定値をセットする。特別図柄先判定値は、例えば「非確変（通常）図柄」に該当する場合は「０１Ｈ」がセットされ、「確変図柄」に該当する場合は「Ａ０Ｈ」がセットされる。いずれにしても、ここで下位バイト分のデータをセットすることにより、先のステップＳ５０でセットした標準の下位バイトデータ「００Ｈ」が書き換えられることになる。
【０１９７】
ステップＳ７９：次に主制御ＣＰＵ７２は、大当り時変動パターン情報事前判定処理を実行する。この処理では、主制御ＣＰＵ７２は大当り時の変動時間について、上述した変動パターン先判定コマンドを生成する。ここで生成される変動パターン先判定コマンドには、例えば大当り時のリーチ変動時間（又は変動パターン番号）に関する事前の判定情報が反映される。また、ここで生成された変動パターン先判定コマンドは、上記のように演出コマンド出力設定処理（ステップＳ３９，Ｓ４９）で送信バッファにセットされる。
【０１９８】
以上は、先判定結果による確率状態予定フラグがセットされる前（内部初当り前）における手順である。これに対し、先のステップＳ７６を経て確率状態予定フラグがセットされた場合、以下の手順が実行される。ただし、上記のように現在の確率状態だけで事前の当り判定を行う場合、以下のステップＳ５６，ステップＳ５８，ステップＳ６０，ステップＳ６２、及びステップＳ７６を実行する必要はない。
【０１９９】
ステップＳ５６：主制御ＣＰＵ７２は、既に確率状態予定フラグに値がセットされていることを確認すると（Ｙｅｓ）、次にステップＳ５８を実行する。
【０２００】
ステップＳ５８：主制御ＣＰＵ７２は、先ず低確率時（通常時）用比較値をＡレジスタにセットする。
【０２０１】
ステップＳ６０：次に主制御ＣＰＵ７２は、「確率状態予定フラグ」をロードする。確率状態予定フラグは、上記のように直前の先判定結果に基づきそれ以降の先判定において確率状態を予定的に設定するためのものであり、ＲＡＭ７６のフラグ領域内に記憶されているものである。直前の先判定結果に基づく確率状態が高確率（確変）に移行する予定であれば、上記のように確率状態予定フラグの値として「Ａ０Ｈ」がセットされており、逆に直前の先判定結果に基づく確率状態が低確率（通常）に戻る予定であれば、確率状態予定フラグの値として「０１Ｈ」がセットされている。
【０２０２】
ステップＳ６２：そして主制御ＣＰＵ７２は、ロードした確率状態予定フラグが高確率の予定を表すものでない（≠０１Ｈ）か否かを確認し、その結果、高確率の予定を表すものであれば（Ｎｏ）、次にステップＳ６４を実行し、高確率時用比較値をセットする。
【０２０３】
このように、先判定結果による確率状態予定フラグが既にセットされており、その値が高確率を予定するものである場合は、比較値を高確率時用に書き換えた上で次のステップＳ７２以降を実行することになる。これに対し、先のステップＳ６２で確率状態予定フラグが高確率の予定を表すものでなく、通常（低）確率の予定を表すものであることを確認した場合（Ｙｅｓ）、主制御ＣＰＵ７２はステップＳ６４をスキップして次のステップＳ７２以降を実行する。これにより本実施形態では、先判定結果に基づくその後の内部状態の変化（通常確率状態→高確率状態、高確率状態→通常確率状態）を考慮した上で、事前の大当り判定を行うことができる。
【０２０４】
以上の手順を終えると、主制御ＣＰＵ７２は第１特別図柄記憶更新処理（図１０）又は第２特別図柄記憶更新処理（図１１）に復帰する。
【０２０５】
〔特別図柄遊技処理〕
次に、割込管理処理（図８）の中で実行される特別図柄遊技処理の詳細について説明する。図１３は、特別図柄遊技処理の構成例を示すフローチャートである。特別図柄遊技処理は、実行選択処理（ステップＳ１０００）、特別図柄変動前処理（ステップＳ２０００）、特別図柄変動中処理（ステップＳ３０００）、特別図柄停止表示中処理（ステップＳ４０００）、可変入賞装置管理処理（ステップＳ５０００）のサブルーチン（プログラムモジュール）群を含む構成である。ここでは先ず、各処理に沿って特別図柄遊技処理の基本的な流れを説明する。
【０２０６】
ステップＳ１０００：実行選択処理において、主制御ＣＰＵ７２は次に実行するべき処理（ステップＳ２０００〜ステップＳ５０００のいずれか）のジャンプ先を「ジャンプテーブル」から選択する。例えば、主制御ＣＰＵ７２は次に実行するべき処理のプログラムアドレスをジャンプ先のアドレスとし、また戻り先のアドレスとして特別図柄遊技処理の末尾をスタックポインタにセットする。
【０２０７】
いずれの処理を次のジャンプ先として選択するかは、これまでに行われた処理の進行状況（特別図柄遊技管理ステータス）によって異なる。例えば、未だ特別図柄が変動表示を開始していない状況であれば（特別図柄遊技管理ステータス：００Ｈ）、主制御ＣＰＵ７２は次のジャンプ先として特別図柄変動前処理（ステップＳ２０００）を選択する。一方、既に特別図柄変動前処理が完了していれば（特別図柄遊技管理ステータス：０１Ｈ）、主制御ＣＰＵ７２は次のジャンプ先として特別図柄変動中処理（ステップＳ３０００）を選択し、特別図柄変動中処理まで完了していれば（特別図柄遊技管理ステータス：０２Ｈ）、次のジャンプ先として特別図柄停止表示中処理（ステップＳ４０００）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。このようなプログラミング例では、ＣＰＵが一通り各処理をＣＡＬＬし、その先頭ステップで一々フラグを参照して条件分岐（継続／リターン）することになるが、本実施形態の選択手法では、主制御ＣＰＵ７２が各処理を一々呼び出す手間は不要である。
【０２０８】
ステップＳ２０００：特別図柄変動前処理では、主制御ＣＰＵ７２は特別図柄の変動表示を開始するための条件を整える作業を行う。なお、具体的な処理の内容は、別のフローチャートを用いて後述する。
【０２０９】
ステップＳ３０００：特別図柄変動中処理では、主制御ＣＰＵ７２は変動タイマをカウントしつつ、第１特別図柄表示装置３４又は第２特別図柄表示装置３５の駆動制御を行う。具体的には、７セグメントＬＥＤの各セグメント及びドット（０番〜７番）に対してＯＮ又はＯＦＦの駆動信号（１バイトデータ）を出力する。駆動信号のパターンは時間の経過に伴って変化し、それによって特別図柄の変動表示が行われる。
【０２１０】
ステップＳ４０００：特別図柄停止表示中処理では、主制御ＣＰＵ７２は第１特別図柄表示装置３４又は第２特別図柄表示装置３５の駆動制御を行う。ここでも同様に、７セグメントＬＥＤの各セグメント及びドットに対してＯＮ又はＯＦＦの駆動信号を出力するが、駆動信号のパターンは一定であり、これにより特別図柄の停止表示が行われる。
【０２１１】
ステップＳ５０００：可変入賞装置管理処理は、先の特別図柄停止表示中処理において当りの態様（非当選以外の態様）で特別図柄が停止表示された場合に選択される。例えば、特別図柄が１４ラウンド大当りの態様で停止表示されると、それまでの通常状態から大当り遊技状態（遊技者にとって有利な特別遊技状態）に移行する契機が発生する。大当り遊技中は、先の実行選択処理（ステップＳ１０００）においてジャンプ先が可変入賞装置管理処理にセットされ、特別図柄の変動表示は行われない。可変入賞装置管理処理においては、大入賞口ソレノイド９０が一定時間（例えば２９秒間又は９個の入賞をカウントするまで）、予め設定された連続作動回数（例えば７回、１４回）にわたって励磁され、これにより可変入賞装置３０が決まったパターンで開閉動作する（特別電動役物の連続作動）。この間に可変入賞装置３０に対して遊技球を集中的に入賞させることで、遊技者には、まとまって多くの賞球を獲得する機会が与えられる（特別遊技実行手段）。なお、このように大当り時に可変入賞装置３０が開閉動作することを「ラウンド」と称し、連続作動回数が全部で１４回あれば、これらを「１４ラウンド」と総称することがある。なお可変入賞装置３０の１ラウンドの動作は、開放状態で所定の開放時間（例えば２９秒程度）が経過するか、もしくは開放中に規定数の入賞（例えば８個の遊技球の入賞）が発生すると閉鎖状態に戻って終了する。本実施形態では、大当りの種類として１４ラウンド大当りだけでなく、その他に複数種類の７ラウンド大当りが設けられている。また１４ラウンド大当りや７ラウンド大当りについては、その中に複数の当選種類（当選図柄）が設けられている。
【０２１２】
また、主制御ＣＰＵ７２は可変入賞装置管理処理において大入賞口開放パターン（ラウンド数と１ラウンドごとの開閉動作の回数、開放時間等）を設定すると、１ラウンド分の可変入賞装置３０の開閉動作を終了させるごとにラウンド数カウンタの値を１インクリメントする。ラウンド数カウンタの値は、例えば初期値を０としてＲＡＭ７６のカウント領域に記憶されている。また主制御ＣＰＵ７２は、ラウンド数カウンタの値を表すラウンド数コマンドを生成する。ラウンド数コマンドは、演出制御出力処理（図８中のステップＳ２１２）において演出制御装置１２４に送信される。ラウンド数カウンタの値が設定した連続作動回数に達すると、主制御ＣＰＵ７２はそのラウンド限りで大当り遊技（大役）を終了する。
【０２１３】
そして、大当り遊技を終了すると、主制御ＣＰＵ７２は遊技状態フラグ（確率変動機能作動フラグ、時間短縮機能作動フラグ）に基づいて大当り遊技終了後の状態（高確率状態、時間短縮状態）を変化させる。「高確率状態」では確率変動機能が作動し、内部抽選での当選確率が通常よりも例えば１０倍程度に高くなる（特定遊技状態移行手段、高確率状態移行手段、高確率状態設定手段）。また「時間短縮状態」では時間短縮機能が作動し、上記のように普通図柄の作動抽選が高確率になり、また普通図柄の変動時間が短縮されるとともに可変始動入賞装置２８の開放時間が延長されて開放回数が増加する（いわゆる電チューサポートが行われる）。なお、「高確率状態」及び「時間短縮状態」については、制御上でいずれか一方だけに移行する場合もあれば、これら両方に合わせて移行する場合もある。
【０２１４】
〔複数の当選種類〕
本実施形態では、上記の「１４ラウンド大当り」について、例えば複数の当選種類として（１）「１４ラウンド確変大当り」、（２）「１４ラウンド通常（非確変）大当り」が設けられている（これ以上があってもよい）。また「１４ラウンド大当り」以外に、本実施形態では複数の当選種類として（３）「７ラウンド確変大当り」、（４）「７ラウンド通常（非確変）大当り」が設けられている（これ以上があってもよい）。
【０２１５】
上記の当選種類は、当選時に停止表示される第１特別図柄又は第２特別図柄の種類に対応している。例えば、「１４ラウンド確変大当り」は「１４ラウンド確変図柄」の大当りに対応し、「１４ラウンド通常大当り」は「１４ラウンド通常図柄」の大当りに対応する。また、「７ラウンド確変大当り」は「７ラウンド確変図柄」の大当りに対応し、「７ラウンド通常大当り」は「７ラウンド通常図柄」の大当りに対応する。このため以下では、「当選種類」のことを「当選図柄」として適宜呼称するものとする。
【０２１６】
〔１４ラウンド通常図柄（通常当選種類）〕
先ず、上記の特別図柄停止表示中処理において、特別図柄が「１４ラウンド通常図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが１４ラウンド目まで継続する。このため「１４ラウンド通常図柄」の大当り遊技は、１４ラウンド分の出玉（賞球）を遊技者に付与するものとなる。なお大入賞口は、１ラウンド内に規定回数（例えば９回＝遊技球９個）の入賞が発生すると、最長の開放時間の経過を待たずに閉止される。この場合、「確率変動機能」は作動されないため、「高確率状態」に移行する特典は遊技者に付与されない。ただし、それまでの遊技で「時間短縮機能」が非作動の状態であったとしても、大当り遊技の終了後に「時間短縮機能」を作動させることで、「変動時間短縮状態」に移行する特典が遊技者に付与される。
【０２１７】
〔１４ラウンド確変図柄（特定当選種類）〕
あるいは先の特別図柄停止表示中処理において、特別図柄が「１４ラウンド確変図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが１４ラウンド目まで継続する。これら「１４ラウンド確変図柄」の大当り遊技もまた、それぞれが１４ラウンド分の出玉（賞球）を遊技者に付与するものとなる。また大入賞口は、１ラウンド内に規定回数（例えば９回＝遊技球９個）の入賞が発生すると、最長の開放時間の経過を待たずに閉止される。そして、大当り遊技の終了後に例えば「確率変動機能」を作動させることで、その結果として「高確率状態」に移行する特典が遊技者に付与される。またこの場合、それまでの遊技で「時間短縮機能」が非作動の状態であったとしても、大当り遊技の終了後に「時間短縮機能」を作動させることで、合わせて「変動時間短縮状態」に移行する特典が遊技者に付与される。
【０２１８】
〔７ラウンド通常図柄〕
上記の特別図柄停止表示中処理において、特別図柄が「７ラウンド通常図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが７ラウンド目まで継続する。このため「７ラウンド通常図柄」の大当り遊技は、７ラウンド分の出玉（賞球）を遊技者に付与するものとなる。なお大入賞口は、１ラウンド内に規定回数（例えば９回＝遊技球９個）の入賞が発生すると、最長の開放時間の経過を待たずに閉止される。この場合、「確率変動機能」は作動されないため、「高確率状態」に移行する特典は遊技者に付与されない。また、「７ラウンド通常図柄」に関しては、大当り遊技の終了後であっても、「時間短縮機能」は作動されず、「変動時間短縮状態」に移行する特典は遊技者に付与されない。
【０２１９】
〔７ラウンド確変図柄〕
あるいは先の特別図柄停止表示中処理において、特別図柄が「７ラウンド確変図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが７ラウンド目まで継続する。これら「７ラウンド確変図柄」の大当り遊技もまた、それぞれが７ラウンド分の出玉（賞球）を遊技者に付与するものとなる。また大入賞口は、１ラウンド内に規定回数（例えば９回＝遊技球９個）の入賞が発生すると、最長の開放時間の経過を待たずに閉止される。そして、大当り遊技の終了後に例えば「確率変動機能」を作動させることで、その結果として「高確率状態」に移行する特典が遊技者に付与される。また「７ラウンド確変図柄」に関しては、大当り遊技の終了後に「時間短縮機能」を作動させて「変動時間短縮状態」に移行する特典が遊技者に付与される場合もあるが、大当り遊技の終了後に「時間短縮機能」を作動させずに「変動時間短縮状態」に移行させない場合もある。これらの振り分けの詳細は後述する。
【０２２０】
いずれにしても、当選図柄が上記の「１４ラウンド確変図柄」又は「７ラウンド確変図柄」のいずれかに該当すると、大当り遊技終了後に内部状態を「高確率状態」に移行させる特典が遊技者に付与される。また、「高確率状態」において内部抽選に当選し、そのときの当選図柄が「１４ラウンド確変図柄」又は「７ラウンド確変図柄」のいずれかに該当すると、その大当り遊技終了後も「高確率状態」が継続（再開）される。一方、「高確率状態」で内部抽選に当選し、上記の「１４ラウンド通常図柄」又は「７ラウンド通常図柄」のいずれかに該当すると、大当り遊技終了後に内部状態は通常確率状態（低確率状態）に復帰する。また言うまでもなく、通常確率状態で内部抽選に当選し、「１４ラウンド通常図柄」又は「７ラウンド通常図柄」のいずれかに該当すると、大当り遊技終了後も内部状態は通常確率状態に維持される。
【０２２１】
〔小当り〕
また本実施形態では、非当選以外の当選種類として小当りが設けられている。小当りに当選すると、大当り遊技とは別に小当りの遊技が行われて可変入賞装置３０が開閉動作する。すなわち、先の特別図柄停止表示中処理において、第１特別図柄又は第２特別図柄が小当りの態様で停止表示されると、通常確率状態又は高確率状態の中で小当りの遊技（可変入賞装置３０が作動する遊技）が実行される。このような小当りの遊技では可変入賞装置３０が所定回数（例えば２回）だけ開閉動作するものの、大入賞口への入賞はほとんど発生しない。また小当りの遊技が終了しても、「確率変動機能」が作動することはなく、また、「時間短縮機能」が作動することもないので、「高確率状態」や「時間短縮状態」へ移行する特典は付与されない（そのための前提条件とはならない。）。また、「高確率状態」で小当りに当選しても、その小当りの遊技終了後に「高確率状態」が終了することはないし、「時間短縮状態」で小当りに当選しても、その小当りの遊技終了後に「時間短縮状態」が終了することもない（上限回数に達した場合を除く。）。なお、本実施形態では、小当りを設定する遊技仕様としているが、小当りを設定しない遊技仕様としてもよい。
【０２２２】
〔特別図柄変動前処理〕
図１４は、特別図柄変動前処理の手順例を示すフローチャートである。以下、各手順に沿って説明する。
【０２２３】
ステップＳ２１００：先ず主制御ＣＰＵ７２は、第１特別図柄作動記憶数又は第２特別図柄作動記憶数が残存しているか（０より大であるか）否かを確認する。この確認は、ＲＡＭ７６に記憶されている作動記憶数カウンタの値を参照して行うことができる。第１特別図柄及び第２特別図柄の両方の作動記憶数が０であった場合（Ｎｏ）、主制御ＣＰＵ７２はステップＳ２５００のデモ設定処理を実行する。
【０２２４】
ステップＳ２５００：この処理では、主制御ＣＰＵ７２はデモ演出用コマンドを生成する。デモ演出用コマンドは、上記の演出制御出力処理（図８中のステップＳ２１２）において演出制御装置１２４に出力される。デモ設定処理を実行すると、主制御ＣＰＵ７２は特別図柄遊技処理に復帰する。なお復帰時は、上記のように末尾アドレスに復帰する（以降も同様）。
【０２２５】
これに対し、第１特別図柄又は第２特別図柄のいずれかの作動記憶数カウンタの値が０より大きければ（Ｙｅｓ）、主制御ＣＰＵ７２は次にステップＳ２２００を実行する。
【０２２６】
ステップＳ２２００：主制御ＣＰＵ７２は、特別図柄記憶エリアシフト処理を実行する。この処理では、主制御ＣＰＵ７２はＲＡＭ７６の乱数記憶領域に記憶されている抽選用乱数（大当り決定乱数、大当り図柄乱数）のうち、第２特別図柄に対応する方を優先的に読み出す。このとき２つ以上のセクションに乱数が記憶されていれば、主制御ＣＰＵ７２は先頭のセクションから順に乱数を読み出して消去（消費）した後、残った乱数を１つずつ前のセクションに移動（シフト）させる。読み出した乱数は、例えば別の一時記憶領域に保存される。第２特別図柄に対応する乱数が記憶されていない場合、主制御ＣＰＵ７２は第１特別図柄に対応する乱数を読み出して一時記憶領域に保存する。一時記憶領域に保存された各乱数は、次の大当り判定処理で内部抽選に使用される。その結果、本実施形態では第１特別図柄よりも第２特別図柄の変動表示が優先的に行われることになる。なお、このような特別図柄別の優先順位を設けることなく、単純に記憶された順番で乱数が読み出されるプログラムであってもよい。またこの処理において、主制御ＣＰＵ７２はＲＡＭ７６に記憶されている作動記憶数カウンタ（第１特別図柄又は第２特別図柄のうち、乱数のシフトを行った方）の値を１つ減算し、減算後の値を「変動開始時作動記憶数」に設定する。これにより、上記の表示出力管理処理（図８中のステップＳ２１０）の中で第１特別図柄作動記憶ランプ３４ａ又は第２特別図柄作動記憶ランプ３５ａによる記憶数の表示態様が変化（１減少）する。ここまでの手順を終えると、主制御ＣＰＵ７２は次にステップＳ２３００を実行する。
【０２２７】
ステップＳ２３００：主制御ＣＰＵ７２は、大当り判定処理（内部抽選）を実行する。この処理では、主制御ＣＰＵ７２は、先ず大当り値の範囲を設定し、この範囲内に読み出した乱数値が含まれるか否かを判断する（抽選実行手段）。このとき設定される大当り値の範囲は、通常確率状態と高確率状態（確率変動機能作動時）とで異なり、高確率状態では通常確率状態よりも大当り値の範囲が約１０倍程度に拡大される。そして、このとき読み出した乱数値が大当り値の範囲内に含まれていれば、主制御ＣＰＵ７２は大当りフラグ（０１Ｈ）をセットし、次にステップＳ２４００に進む。
【０２２８】
上記の大当りフラグをセットしない場合、主制御ＣＰＵ７２は同じ大当り判定処理において、次に小当り値の範囲を設定し、この範囲内に読み出した乱数値が含まれるか否かを判断する（抽選実行手段）。ここでいう「小当り」は、非当選（はずれ）以外であるが、「大当り」とは異なる性質のものである。すなわち、「大当り」は上記の「高確率状態」や「時間短縮状態」に移行させる契機（遊技の節目）を発生させるものであるが、「小当り」はそのような契機を発生しない。ただし「小当り」は、「大当り」と同様に可変入賞装置３０を作動させる条件を満たすものとして位置付けられている。なお、このとき設定される小当り値の範囲は、通常確率状態と高確率状態（確率変動機能作動時）とで異なっていてもよいし、同じでもよい。いずれにしても、読み出した乱数値が小当り値の範囲内に含まれていれば、主制御ＣＰＵ７２は小当りフラグをセットし、次にステップＳ２４００に進む。このように、本実施形態では非当選以外に該当する当り範囲として、大当り値と小当り値の範囲が予めプログラム上で規定されているが、予め状態別の大当り判定テーブル、小当り判定テーブルをそれぞれＲＯＭ７４に書き込んでおき、これを読み出して乱数値と対比しながら大当り判定を行ってもよい。
【０２２９】
ステップＳ２４００：主制御ＣＰＵ７２は、先の大当り判定処理で大当りフラグに値（０１Ｈ）がセットされたか否かを判断する。大当りフラグに値（０１Ｈ）がセットされていなければ（Ｎｏ）、主制御ＣＰＵ７２は次にステップＳ２４０２を実行する。
【０２３０】
ステップＳ２４０２：主制御ＣＰＵ７２は、先の大当り判定処理で小当りフラグに値（０１Ｈ）がセットされたか否かを判断する。小当りフラグに値（０１Ｈ）がセットされていなければ（Ｎｏ）、主制御ＣＰＵ７２は次にステップＳ２４０４を実行する。なお、主制御ＣＰＵ７２は大当りフラグと小当りフラグとを別々に用意せずに、共通当りフラグの値によって大当り（例えば０１Ｈを設定）又は小当り（例えば０ＡＨを設定）を判別してもよい。
【０２３１】
ステップＳ２４０４：主制御ＣＰＵ７２は、はずれ時停止図柄決定処理を実行する。この処理では、主制御ＣＰＵ７２は、第１特別図柄表示装置３４又は第２特別図柄表示装置３５によるはずれ時の停止図柄番号データをセットする。また主制御ＣＰＵ７２は、演出制御装置１２４に送信するための停止図柄コマンド及び抽選結果コマンド（はずれ時）を生成する。これらコマンドは、演出制御出力処理（図８中のステップＳ２１２）において演出制御装置１２４に送信される。
【０２３２】
なお本実施形態では、第１特別図柄表示装置３４や第２特別図柄表示装置３５に７セグメントＬＥＤを用いているため、例えば、はずれ時の停止図柄の表示態様を常に１つのセグメント（中央のバー「−」）の点灯表示だけにしておき、停止図柄番号データを１つの値（例えば６４Ｈ）に固定することができる。この場合、プログラム上で使用する記憶容量を削減し、主制御ＣＰＵ７２の処理負荷を軽減して処理速度を向上することができる。
【０２３３】
ステップＳ２４０５：次に主制御ＣＰＵ７２は、はずれ時変動パターン決定処理を実行する。この処理では、主制御ＣＰＵ７２は、特別図柄について、はずれ時の変動パターン番号を決定する（変動パターン選択手段）。変動パターン番号は、特別図柄の変動表示の種類（パターン）を区別したり、変動表示にかかる変動時間に対応したりするものである。はずれ時の変動時間は、上記の「時間短縮状態」であるか否かによって異なってくるため、この処理において主制御ＣＰＵ７２は、遊技状態フラグをロードし、現在の状態が「時間短縮状態」であるか否かを確認する。「時間短縮状態」であれば、基本的にリーチ変動を行う場合を除き、はずれ時の変動時間は短縮された時間に設定される（短縮時変動時間決定手段）。また「時間短縮状態」でなくとも、リーチ変動を行う場合を除き、はずれ時の変動時間は例えばステップＳ２２００で設定した「変動表示開始時作動記憶数（０個〜３個）」に基づいて短縮される場合がある。なお、はずれ時の図柄の停止表示時間は変動パターンに関わらず一定（例えば０．５秒程度）である。主制御ＣＰＵ７２は、決定した変動時間（はずれ時）の値を変動タイマにセットするとともに、はずれ時の停止表示時間の値を停止図柄表示タイマにセットする。
【０２３４】
本実施形態では、内部抽選の結果、非当選に該当した場合、演出上で例えば「リーチ演出」を発生させてはずれとしたり、「リーチ演出」を発生させずにはずれとしたりする制御を行うこととしている。そして、「はずれ時変動パターン選択テーブル」には、予め複数種類の演出、例えば「非リーチ演出」、「リーチ演出」に対応した変動パターンが規定されており、非当選に該当した場合は、その中からいずれかの変動パターンが選択されることになる。なお、リーチ演出には、ノーマルリーチ演出、ロングリーチ演出、スーパーリーチ演出（ゲームリーチ演出、化粧リーチ演出、散歩リーチ演出）等といった様々なリーチ演出が含まれる。
【０２３５】
〔はずれ時変動パターン選択テーブルの例〕
図１５は、はずれ時変動パターン選択テーブルの一例を示す図である。
この選択テーブルは、はずれ時（非当選に該当した場合）に使用するテーブルである（変動パターン規定手段、変動時間規定手段）。また、この選択テーブルは、例えばその先頭アドレスから順番に「比較値」、「変動パターン番号」をそれぞれ１バイトずつセットにして記憶する構造である。「比較値」には、例えば８つの段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１」〜「８」が割り当てられている。
【０２３６】
変動パターン番号「１」〜「５」は、リーチ演出が行われずに、はずれとなる変動パターンに対応しており、変動パターン番号「６」〜「８」は、リーチ後にはずれとなる変動パターンに対応している。なお、このような変動パターン選択テーブルは、取得時演出判定処理（図１２）の事前判定処理においても使用される（大当り時も同様）。
【０２３７】
主制御ＣＰＵ７２は、取得した変動パターン決定乱数値を、上記の変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であったとすると、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「２」を選択する。
【０２３８】
〔図１４：特別図柄変動前処理を参照〕
以上のステップＳ２４０４，ステップＳ２４０５は、大当り判定結果がはずれ時（非当選以外の場合）の制御手順であるが、判定結果が大当り（ステップＳ２４００：Ｙｅｓ）又は小当り（ステップＳ２４０２：Ｙｅｓ）の場合、主制御ＣＰＵ７２は以下の手順を実行する。先ず、大当りの場合について説明する。
【０２３９】
ステップＳ２４１０：主制御ＣＰＵ７２は、大当り時停止図柄決定処理を実行する（当選種類決定手段、第１図柄当選種類決定手段、第２図柄当選種類決定手段）。この処理では、主制御ＣＰＵ７２は大当り図柄乱数に基づき、特別図柄別（第１特別図柄又は第２特別図柄）に今回の当選図柄の種類（大当り時停止図柄番号）を決定する。大当り図柄乱数値と当選図柄の種類との関係は、予め特別図柄判定データテーブルで規定されている（当選種類規定手段、第１図柄当選種類規定手段、第２図柄当選種類規定手段）。このため主制御ＣＰＵ７２は、大当り時停止図柄決定処理において大当り時停止図柄選択テーブルを参照し、その記憶内容から大当り図柄乱数に基づいて当選図柄の種類を決定することができる。
【０２４０】
〔大当り時の当選図柄〕
本実施形態では大当り時に選択的に決定される当選図柄として、大きく分けて１０種類が用意されている。１０種類の内訳は、「７ラウンド通常図柄１」、「７ラウンド通常図柄２」、「７ラウンド通常図柄３」、「１４ラウンド通常図柄１」、「１４ラウンド通常図柄２」、「１４ラウンド通常図柄３」、「１４ラウンド確変図柄１」、「１４ラウンド確変図柄２」、「７ラウンド確変図柄１」、「７ラウンド確変図柄２」である。なお、１０種類の当選図柄の各当選図柄は、さらに複数の当選図柄を含んでいてもよい。例えば「７ラウンド通常図柄１」であれば、「７ラウンド通常図柄１ａ」、「７ラウンド通常図柄１ｂ」、「７ラウンド通常図柄１ｃ」、・・・といった具合である。
【０２４１】
また本実施形態では、第１特別図柄と第２特別図柄とでは、それぞれに対応する内部抽選の大当り時に選択される当選図柄の種類が異なっている。すなわち、第１特別図柄に対応する内部抽選の大当り時には、「７ラウンド通常図柄１〜３」、「１４ラウンド確変図柄１」、「７ラウンド確変図柄１，２」のいずれかが選択される。
【０２４２】
一方、第２特別図柄に対応する内部抽選の大当り時には、「１４ラウンド通常図柄１〜３」、「１４ラウンド確変図柄１，２」のいずれかが選択されることになる。このため主制御ＣＰＵ７２は、今回の大当りの結果が第１特別図柄に対応するものであるか、第２特別図柄に対応するものであるかによって当選図柄として選択可能な対象を区別している。
【０２４３】
〔第１特別図柄大当り時停止図柄選択テーブル〕
図１６は、第１特別図柄大当り時停止図柄選択テーブルの構成列を示す図である。主制御ＣＰＵ７２は、今回の大当りの結果が第１特別図柄に対応する場合、図１６に示される第１特別図柄大当り時停止図柄選択テーブルを参照して当選図柄の種類を決定する。
【０２４４】
第１特別図柄大当り時停止図柄選択テーブル中、左カラムには当選図柄別の振分値が示されており、各振分値「６」，「７」，「８」，「４」，「４８」，「２７」は分母を１００とした場合の割合に相当する。また左から２番目のカラムには、各振分値に対応する「７ラウンド通常図柄１」、「７ラウンド通常図柄２」、「７ラウンド通常図柄３」、「１４ラウンド確変図柄１」、「７ラウンド確変図柄１」、「７ラウンド確変図柄２」が示されている。すなわち、第１特別図柄に対応する大当り時には、「７ラウンド通常図柄１」が選択される割合は１００分の６（＝６％）であり、「７ラウンド通常図柄２」が選択される割合は１００分の７（＝７％）である。また、「７ラウンド通常図柄３」が選択される割合は１００分の８（＝８％）であり、「１４ラウンド確変図柄１」が選択される割合は１００分の４（＝４％）である。また、「７ラウンド確変図柄１」が選択される割合は１００分の４８（＝４８％）であり、「７ラウンド確変図柄２」が選択される割合は１００分の２７（＝２７％）である。各振分値の大きさは、大当り図柄乱数を用いた当選図柄別の選択比率に相当する。したがって、全体として第１特別図柄についての確変図柄の選択比率は７９％である。
【０２４５】
いずれにしても、今回の大当りの結果が第１特別図柄に対応する場合、主制御ＣＰＵ７２は大当り図柄乱数に基づいて選択抽選を行い、第１特別図柄大当り時停止図柄選択テーブルに示される選択比率で当選図柄を選択的に決定する。また第１特別図柄大当り時停止図柄選択テーブルには、左から３番目のカラムに示されるように当選時の停止図柄コマンドとして例えば２バイトのコマンドデータが規定されている。停止図柄コマンドは、例えばＭＯＤＥ値−ＥＶＥＮＴ値の組み合わせで記述されており、このうち上位バイトのＭＯＤＥ値「Ｂ１Ｈ」は、今回の当選図柄が第１特別図柄の大当り時に選択されたものであることを表している。また下位バイトのＥＶＥＮＴ値「００Ｈ」，「０１Ｈ」，「０２Ｈ」，「０６Ｈ」，「０８Ｈ」，「０９Ｈ」は、それぞれ選択テーブル中で対応する当選図柄の種類を表している。このため例えば、今回の大当りの結果が第１特別図柄に対応するものであり、当選図柄として「７ラウンド通常図柄１」が選択された場合、当選時の停止図柄コマンドは「Ｂ１Ｈ００Ｈ」で記述されることになる。
【０２４６】
以上のように、主制御ＣＰＵ７２は第１特別図柄大当り時停止図柄選択テーブルから当選図柄を選択すると、そのときの停止図柄コマンドを生成する。生成した停止図柄コマンドは、例えば上記の演出制御出力処理において演出制御装置１２４に送信される。また主制御ＣＰＵ７２は、選択した当選図柄に基づいて第１特別図柄についての大当り時停止図柄番号を決定する。
【０２４７】
〔時短回数〕
第１特別図柄大当り時停止図柄選択テーブルの左から４番目のカラム（右カラム）には、大当り遊技の終了後に付与される時短回数（限度回数）の値が示されている。時短回数の具体的な値は、以下の通りである。
【０２４８】
「７ラウンド通常図柄１」に該当した場合、時短回数は０回付与される。なお、時短回数が０回付与されるとは、実質的に時短回数が付与されない状態と同様の状態を意味する。
「７ラウンド通常図柄２」に該当した場合、時短回数は０回付与される。
「７ラウンド通常図柄３」に該当した場合、時短回数は０回付与される。
なお、「７ラウンド通常図柄１〜３」については、時間短縮状態中での当選であれば、それぞれ３０回、５０回、１００回の時短回数を付与することとしてもよい。
【０２４９】
「１４ラウンド確変図柄１」に該当した場合、時短回数は１００００回付与される。
「７ラウンド確変図柄１」に該当した場合、時短回数は１００００回付与される。
「７ラウンド確変図柄２」に該当した場合、時短回数は０回付与される。したがって、「７ラウンド確変図柄２」で当選した場合、高確率状態には移行するが、時間短縮状態には移行されないため、いわゆる潜伏確変状態に移行される。
【０２５０】
〔第２特別図柄大当り時停止図柄選択テーブル〕
図１７は、第２特別図柄大当り時停止図柄選択テーブルの構成列を示す図である。主制御ＣＰＵ７２は、今回の大当りの結果が第２特別図柄に対応する場合、図１７に示される第２特別図柄大当り時停止図柄選択テーブルを参照して当選図柄の種類を決定する。
【０２５１】
第２特別図柄大当り時停止図柄選択テーブルにおいても、その左カラムには当選図柄別の振分値が示されており、各振分値「６」，「７」，「８」，「４」，「７５」は分母を１００とした場合の割合に相当する。同様に左から２番目のカラムには、各振分値に対応する「１４ラウンド通常図柄１」、「１４ラウンド通常図柄２」、「１４ラウンド通常図柄３」、「１４ラウンド確変図柄１」、「１４ラウンド確変図柄２」が示されている。すなわち、第２特別図柄に対応する大当り時においては、「１４ラウンド通常図柄１」が選択される割合は１００分の６（＝６％）であり、「１４ラウンド通常図柄２」が選択される割合は１００分の７（＝７％）である。また、「１４ラウンド通常図柄３」が選択される割合は１００分の８（＝８％）であり、「１４ラウンド確変図柄１」が選択される割合は１００分の４（＝４％）である。また、「１４ラウンド確変図柄２」が選択される割合は１００分の７５（＝７５％）である。したがって第２特別図柄についても、全体として確変図柄の選択比率は７９％である。ただし、第２特別図柄大当り時停止図柄選択テーブルには、「７ラウンド通常図柄１〜３」、「７ラウンド確変図柄１，２」についての振分値は設定されていない。
【０２５２】
今回の大当りの結果が第２特別図柄に対応する場合、主制御ＣＰＵ７２は大当り図柄乱数に基づいて選択抽選を行い、第２特別図柄大当り時停止図柄選択テーブルに示される選択比率で当選図柄を選択的に決定する。同様に第２特別図柄大当り時停止図柄選択テーブルにも、その左から３番目のカラムに示されるように当選時の停止図柄コマンドとして例えば２バイトのコマンドデータが規定されている。ここでも停止図柄コマンドは、上記のＭＯＤＥ値−ＥＶＥＮＴ値の組み合わせで記述されており、このうち上位バイトのＭＯＤＥ値「Ｂ２Ｈ」は、今回の当選図柄が第２特別図柄の大当り時に選択されたものであることを表している。また下位バイトのＥＶＥＮＴ値「０３Ｈ」，「０４Ｈ」，「０５Ｈ」，「０６Ｈ」，「０７Ｈ」は、それぞれ選択テーブル中で対応する当選図柄の種類を表している。このため例えば、今回の大当りの結果が第２特別図柄に対応するものであり、当選図柄として「１４ラウンド通常図柄１」が選択された場合、停止図柄コマンドは「Ｂ２Ｈ０３Ｈ」で記述されることになる。
【０２５３】
以上のように、主制御ＣＰＵ７２は第２特別図柄大当り時停止図柄選択テーブルから当選図柄を選択すると、そのときの停止図柄コマンドを生成する。生成した停止図柄コマンドは、例えば上記の演出制御出力処理において演出制御装置１２４に送信される。また主制御ＣＰＵ７２は、選択した当選図柄に基づいて第２特別図柄についての大当り時停止図柄番号を決定する。
【０２５４】
〔時短回数〕
第２特別図柄大当り時停止図柄選択テーブルの左から４番目のカラム（右カラム）には、大当り遊技の終了後に付与される時短回数の値が示されている。時短回数の具体的な値は、以下の通りである。
「１４ラウンド通常図柄１」に該当した場合、時短回数は３０回付与される。
「１４ラウンド通常図柄２」に該当した場合、時短回数は５０回付与される。
「１４ラウンド通常図柄３」に該当した場合、時短回数は１００回付与される。
「１４ラウンド確変図柄１」に該当した場合、時短回数は１００００回付与される。
「１４ラウンド確変図柄２」に該当した場合、時短回数は１００００回付与される。
【０２５５】
なお、上記のように第１特別図柄と第２特別図柄とで、選択される当選図柄が異なっているのは、例えば以下の理由による。すなわち、「高確率状態」や「時間短縮状態」に移行した場合、通常時（時間短縮機能の非作動時）に比較して高頻度で可変始動入賞装置２８が作動するため、第２特別図柄についての作動記憶が途切れにくくなっている。そして、本実施形態では第１特別図柄よりも第２特別図柄についての記憶が優先して消費されることから、第２特別図柄についての当選種類から「７ラウンド通常大当り」や「７ラウンド確変大当り」を除外しておけば、特に「高確率状態」及び「時間短縮状態」で「７ラウンド通常大当り」や「７ラウンド確変大当り」を引きにくくなるため、それだけ遊技者の利益を高めることができるという利点がある。
【０２５６】
〔図１４：特別図柄変動前処理を参照〕
ステップＳ２４１２：次に主制御ＣＰＵ７２は、大当り時変動パターン決定処理を実行する。この処理では、主制御ＣＰＵ７２は先のステップＳ２２００でシフトした変動パターン決定乱数に基づいて第１特別図柄又は第２特別図柄の変動パターン（変動時間と停止表示時間）を決定する。また主制御ＣＰＵ７２は、決定した変動時間の値を変動タイマにセットするとともに、停止表示時間の値を停止図柄表示タイマにセットする。一般的に大当りリーチ変動の場合、はずれ時よりも長い変動時間が決定される。
【０２５７】
本実施形態では、内部抽選の結果、１４ラウンド大当り（１４ラウンド通常大当り又は１４ラウンド確変大当り）や７ラウンド大当り（７ラウンド通常大当り又は７ラウンド確変大当り）に該当した場合、演出上で例えば「リーチ演出」を発生させて大当りとする制御を行うこととしている。そして、「大当り当選時変動パターン選択テーブル」には、複数種類の「リーチ演出」に対応した変動パターンが規定されており、１４ラウンド大当りや７ラウンド大当りに該当した場合は、その中からいずれかの変動パターンが選択されることになる。なお、リーチ演出には、ノーマルリーチ演出、ロングリーチ演出、スーパーリーチ演出（ゲームリーチ演出、化粧リーチ演出、散歩リーチ演出）等といった様々なリーチ演出が含まれる。なお、時間短縮機能が作動している高確率状態での当選時には、長い変動時間を有する変動パターンを選択せずに、短い変動時間を有する変動パターン（リーチ演出を行わない変動パターン）を選択するようにしてもよい。この場合、内部状態別や特別図柄別の選択テーブルを用意する必要がある。この点については、はずれ時の変動パターン選択テーブルについていも同様である。
【０２５８】
〔大当り当選時変動パターン選択テーブルの例〕
図１８は、大当り当選時変動パターン選択テーブルの一例を示す図である。
この選択テーブルは、１４ラウンド大当りや７ラウンド大当りに当選した場合に使用するテーブルである（変動パターン規定手段、変動時間規定手段）。また、この選択テーブルは、例えばその先頭アドレスから順番に「比較値」、「変動パターン番号」をそれぞれ１バイトずつセットにして記憶する構造である。「比較値」には、例えば８つの段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１３」〜「２０」が割り当てられている。
【０２５９】
変動パターン番号「１３」〜「２０」は、いずれもリーチ演出が行われて当りとなる変動パターンに対応している。なお、このような変動パターン選択テーブルは、取得時演出判定処理（図１２）の事前判定処理においても使用される。
【０２６０】
主制御ＣＰＵ７２は、取得した変動パターン決定乱数値を、上記の変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であったとすると、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「１４」を選択する。
【０２６１】
〔図１４：特別図柄変動前処理を参照〕
ステップＳ２４１４：次に主制御ＣＰＵ７２は、大当り時その他設定処理を実行する。この処理では、主制御ＣＰＵ７２は先のステップＳ２４１０で決定した当選図柄の種類（大当り時停止図柄番号）が「７ラウンド確変図柄１，２」、「１４ラウンド確変図柄１，２」のいずれかである場合、遊技状態フラグとして確率変動機能作動フラグの値（０１Ｈ）をＲＡＭ７６のフラグ領域にセットする（高確率状態移行手段、確率変動機能作動手段）。また、主制御ＣＰＵ７２は、先のステップＳ２４１０で決定した当選図柄の種類が「７ラウンド通常図柄１〜３」、「１４ラウンド通常図柄１〜３」のいずれかである場合、遊技状態フラグとして確率変動機能作動フラグの値をリセットする（低確率状態設定手段、低確率状態移行手段）。
【０２６２】
また主制御ＣＰＵ７２は、先のステップＳ２４１０で決定した当選図柄の種類（大当り時停止図柄番号）が「１４ラウンド確変図柄１，２」、「７ラウンド確変図柄１」、「１４ラウンド通常図柄１〜３」のいずれかである場合、主制御ＣＰＵ７２は遊技状態フラグとして時間短縮機能作動フラグの値（０１Ｈ）をＲＡＭ７６のフラグ領域にセットする（時間短縮状態移行手段、時間短縮機能作動手段）。
【０２６３】
またステップＳ２４１４の処理において、主制御ＣＰＵ７２は大当り時停止図柄番号に基づいて第１特別図柄表示装置３４又は第２特別図柄表示装置３５による停止図柄（大当り図柄）の表示態様を決定する。合わせて主制御ＣＰＵ７２は、上記の停止図柄コマンド（大当り時）とともに抽選結果コマンド（大当り時）を生成する。これら停止図柄コマンド及び抽選結果コマンドもまた、演出制御出力処理において演出制御装置１２４に送信される。
【０２６４】
次に、小当り時の処理について説明する。
ステップＳ２４０７：主制御ＣＰＵ７２は、小当り時停止図柄決定処理を実行する。この処理では、主制御ＣＰＵ７２は大当り図柄乱数に基づき、小当り時の当選図柄の種類（小当り時停止図柄番号）を決定する。ここでも同様に、大当り図柄乱数値と小当り時の当選図柄の種類との関係が予め小当り時特別図柄選択テーブルで規定されている（当選種類規定手段）。なお本実施形態では、主制御ＣＰＵ７２の負荷を軽減するために大当り図柄乱数を用いて小当り時の当選図柄を決定しているが、別途専用の乱数を用いてもよい。
【０２６５】
〔小当り時の当選図柄〕
本実施形態では、小当り時の当選図柄は「２回開放小当り図柄」の１種類だけである。ただし、これ以外に例えば「１回開放小当り図柄」や「３回開放小当り図柄」等の別の種類が用意されていてもよい。上記のように内部抽選の結果としての「小当り」は、その後の状態が「高確率状態」や「時間短縮状態」に変化する契機とはならないため、この種のパチンコ機で必須となる「２ラウンド（２回開放）以上」の規定にとらわれることなく、「１回開放小当り図柄」を設けることができる。
【０２６６】
ステップＳ２４０８：次に主制御ＣＰＵ７２は、小当り時変動パターン決定処理を実行する。この処理では、主制御ＣＰＵ７２は先のステップＳ２２００でシフトした変動パターン決定乱数に基づいて第１特別図柄又は第２特別図柄の変動パターン（変動時間と停止表示時間）を決定する（変動パターン選択手段）。また主制御ＣＰＵ７２は、決定した変動時間の値を変動タイマにセットし、停止表示時間の値を停止図柄表示タイマにセットする。なお、本実施形態では小当りの場合にリーチ変動パターンを選択することもできるし、はずれ通常変動時と同等の変動パターンを選択することもできる。
【０２６７】
ステップＳ２４０９：次に主制御ＣＰＵ７２は、小当り時その他設定処理を実行する。この処理では、主制御ＣＰＵ７２は小当り時停止図柄番号に基づき、第１特別図柄表示装置３４又は第２特別図柄表示装置３５による停止図柄（小当り図柄）の表示態様を決定する。合わせて主制御ＣＰＵ７２は、演出制御装置１２４に送信する停止図柄コマンド及び抽選結果コマンド（小当り時）を生成する。これら停止図柄コマンド及び抽選結果コマンドもまた、演出制御出力処理において演出制御装置１２４に送信される。
【０２６８】
ステップＳ２４１５：次に主制御ＣＰＵ７２は、特別図柄変動開始処理を実行する。この処理では、主制御ＣＰＵ７２は変動パターン番号（はずれ時／当り時）に基づいて変動パターンデータを選択する。合わせて主制御ＣＰＵ７２は、ＲＡＭ７６のフラグ領域に特別図柄の変動開始フラグをセットする。そして主制御ＣＰＵ７２は、演出制御装置１２４に送信する変動開始コマンドを生成する。この変動開始コマンドもまた、上記の演出制御出力処理において演出制御装置１２４に送信される。以上の手順を終えると、主制御ＣＰＵ７２は特別図柄変動中処理（ステップＳ３０００）を次のジャンプ先に設定し、特別図柄遊技処理に復帰する。
【０２６９】
〔図１３：特別図柄変動中処理，特別図柄停止表示中処理〕
特別図柄変動中処理では、上記のように主制御ＣＰＵ７２は変動タイマの値をレジスタからタイマカウンタにロードし、その後、時間の経過（クロックパルスのカウント数又は割込カウンタの値）に応じてタイマカウンタの値をデクリメントする。そして主制御ＣＰＵ７２は、タイマカウンタの値を参照しつつ、その値が０になるまで上記のように特別図柄の変動表示を制御する。そして、タイマカウンタの値が０になると、主制御ＣＰＵ７２は特別図柄停止表示中処理（ステップＳ４０００）を次のジャンプ先に設定する。
【０２７０】
また特別図柄停止表示中処理では、主制御ＣＰＵ７２は停止図柄決定処理（図１４中のステップＳ２４０４，ステップＳ２４０７，ステップＳ２４１０）で決定した停止図柄に基づいて特別図柄の停止表示を制御する。また主制御ＣＰＵ７２は、演出制御装置１２４に送信する図柄停止コマンドを生成する。図柄停止コマンドは、上記の演出制御出力処理において演出制御装置１２４に送信される。特別図柄停止表示中処理の中で停止図柄を所定時間にわたり表示させると、主制御ＣＰＵ７２は図柄変動中フラグを消去する。
【０２７１】
〔特別図柄記憶エリアシフト処理〕
図１９は、上記の特別図柄記憶エリアシフト処理の手順例を示すフローチャートである。先の特別図柄変動前処理において、第１特別図柄又は第２特別図柄に対応する作動記憶カウンタの値が「０」より大であった場合（図１４中のステップＳ２１００：Ｙｅｓ）、主制御ＣＰＵ７２はこの特別図柄記憶エリアシフト処理を実行する。以下、各手順に沿って説明する。
【０２７２】
ステップＳ２２１０：主制御ＣＰＵ７２は、優先して消費する方の第２特別図柄に対応する作動記憶カウンタの値が「０」であるか否かを確認する。このとき、第２特別図柄に対応する作動記憶カウンタの値が「１」以上であれば（Ｎｏ）、主制御ＣＰＵ７２は次にステップＳ２２１２に進む。
【０２７３】
ステップＳ２２１２：主制御ＣＰＵ７２は、記憶エリアをシフトする対象の特別図柄として第２特別図柄を指定する。この指定は、例えば対象図柄指定値として「０２Ｈ」をセットすることで行われる。
【０２７４】
ステップＳ２２１４：一方、第２特別図柄に対応する作動記憶カウンタの値が「０」であった場合（ステップＳ２２１０：Ｙｅｓ）、主制御ＣＰＵ７２は記憶エリアをシフトする対象の特別図柄として第１特別図柄を指定する。この場合の指定は、例えば対象図柄指定値として「０１Ｈ」をセットすることで行われる。
【０２７５】
ステップＳ２２１６：上記のステップＳ２２１２又はステップＳ２２１４のいずれかで指定した対象の特別図柄について、主制御ＣＰＵ７２はＲＡＭ７６の乱数記憶領域をシフトする。なお、具体的な処理の内容については、先の特別図柄変動前処理において既に述べたとおりである。
【０２７６】
ステップＳ２２１８：次いで主制御ＣＰＵ７２は、対象の特別図柄について作動記憶カウンタの値を減算する。例えば、今回の記憶エリアをシフトする対象が第２特別図柄であれば、主制御ＣＰＵ７２は第２特別図柄に対応する作動記憶カウンタの値を減算（−１）する。
【０２７７】
ステップＳ２２２０：そして主制御ＣＰＵ７２は、減算後の作動記憶カウンタの値から「変動開始時作動記憶数」を設定する。なお、ここでは第１特別図柄と第２特別図柄の両方について、作動記憶カウンタの値を加算した上で「変動開始時作動記憶数」を設定してもよい。
【０２７８】
ステップＳ２２２２：また主制御ＣＰＵ７２は、今回の記憶エリアをシフトする対象の特別図柄が第２特別図柄であるか否かを確認する。
ステップＳ２２２４：対象が第２特別図柄であった場合（ステップＳ２２２２：Ｙｅｓ）、主制御ＣＰＵ７２は第２特別図柄に関して作動記憶数減少時演出コマンドをセットする。ここでセットされる演出コマンドもまた、１ワード長のコマンドとして生成されるが、その構成は上述した「作動記憶数増加時演出コマンド」と対照的である。すなわち、作動記憶数減少時演出コマンドは、コマンド種別を表す上位バイトの先行値（例えば「ＢＣＨ」）に対して、減少後の作動記憶数を表す下位バイトの値（例えば「００Ｈ」〜「０３Ｈ」）を付加するとともに、下位バイトの値については、「消費に伴う作動記憶数の減少」を意味する加算値（例えば「１０Ｈ」）をさらに付加（論理和）したものである。したがって下位バイトについては、加算値「１０Ｈ」を論理和することでその第２の位が「１」となり、この値によって「作動記憶数の減少による結果（変化情報）」であることを表したものとなる。つまり、コマンドの下位バイトが「１３Ｈ」であれば、それは前回までの作動記憶数「４」（コマンド表記は「１４Ｈ」）が１つ減少した結果、今回の作動記憶数が「３」（コマンド表記は「１３Ｈ」）となったことを表している。同様に、下位バイトが「１２Ｈ」〜「１０Ｈ」であれば、それは前回までの作動記憶数「３」〜「１」（コマンド表記は「１３Ｈ」〜「１１Ｈ」）がそれぞれ１つ減少した結果、今回の作動記憶数が「２」〜「０」（コマンド表記は「１２Ｈ」〜「１０Ｈ」）となったことを表している。なお上記の先行値「ＢＣＨ」は、今回の演出コマンドが第２特別図柄についての作動記憶数コマンドであることを表す値である。
【０２７９】
ステップＳ２２２６：なお、今回の対象が第１特別図柄であった場合（ステップＳ２２２２：Ｎｏ）、主制御ＣＰＵ７２は第１特別図柄に関して作動記憶数減少時演出コマンドをセットする。この場合のコマンドは、先行値が第１特別図柄についての作動記憶数コマンドであることを表す値（例えば「ＢＢＨ」）となる以外は上記と同じである。
【０２８０】
ステップＳ２２２８：そして主制御ＣＰＵ７２は、演出コマンド出力処理を実行する。この処理は、先のステップＳ２２２４又はステップＳ２２２６でセットした作動記憶数減少時演出コマンドを演出制御装置１２４に対して送信するためのものである（記憶数通知手段）。
以上の手順を終えると、主制御ＣＰＵ７２は特別図柄変動前処理（図１４）に復帰する。
【０２８１】
〔特別図柄停止表示中処理〕
次に図２０は、特別図柄停止表示中処理の手順例を示すフローチャートである。以下、各手順に沿って説明する。
【０２８２】
ステップＳ４１００：主制御ＣＰＵ７２は、停止図柄表示タイマの値を減算（割込周期分だけデクリメント）する。
【０２８３】
ステップＳ４２００：そして主制御ＣＰＵ７２は、今回減算した停止図柄表示タイマの値に基づき、停止表示時間が終了したか否かを判断する。具体的には、停止図柄表示タイマの値が０以下でなければ、主制御ＣＰＵ７２は未だ停止表示時間が終了していないと判断する（Ｎｏ）。この場合、主制御ＣＰＵ７２は特別図柄遊技処理に復帰し、次の割込周期においても実行選択処理（図１３中のステップＳ１０００）からジャンプして特別図柄停止表示中処理を繰り返し実行する。
【０２８４】
これに対し、停止図柄表示タイマの値が０以下であれば、主制御ＣＰＵ７２は停止表示時間が終了したと判断する（Ｙｅｓ）。この場合、主制御ＣＰＵ７２は次にステップＳ４２５０を実行する。
【０２８５】
ステップＳ４２５０：主制御ＣＰＵ７２は、図柄停止コマンドを生成する。図柄停止コマンドは、上記の演出制御出力処理において演出制御装置１２４に送信される。また主制御ＣＰＵ７２は、ここで図柄変動中フラグを消去する。
【０２８６】
ステップＳ４３００：ここで主制御ＣＰＵ７２は、大当りフラグの値（０１Ｈ）がセットされているか否かを確認する。大当りフラグの値（０１Ｈ）がセットされている場合（Ｙｅｓ）、主制御ＣＰＵ７２は次にステップＳ４３５０を実行する。
【０２８７】
〔当選時〕
ステップＳ４３５０：主制御ＣＰＵ７２は、ジャンプテーブルのジャンプ先を「可変入賞装置管理処理」に設定する。
ステップＳ４４００：そして主制御ＣＰＵ７２は、制御上の内部状態フラグとして「大役開始（大当り遊技中）」をセットする。また合わせて主制御ＣＰＵ７２は、大当り中を表す状態コマンドを生成する。大当り中を表す状態コマンドは、上記の演出制御出力処理において演出制御装置１２４に送信される。
【０２８８】
ステップＳ４５００：そして主制御ＣＰＵ７２は、連続作動回数コマンドを生成する。連続作動回数コマンドは、先の大当り時停止図柄決定処理（図１４中のステップＳ２４１０）で決定された大当り図柄の種類（停止図柄番号）に基づいて生成することができる。例えば、大当り図柄の種類がいずれかの「１４ラウンド確変図柄」であれば、連続作動回数コマンドは「１４ラウンド」を表す値（最大回数）として生成される。また「７ラウンド確変図柄」の場合、連続作動回数コマンドは「７ラウンド」を表す値として生成される。生成された連続作動回数コマンドは、上記の演出制御出力処理において演出制御装置１２４に送信される。
【０２８９】
大当り時に以上の手順を終えると、主制御ＣＰＵ７２は特別図柄遊技処理に復帰する。
【０２９０】
〔非当選時〕
これに対し、大当り時以外の場合は以下の手順が実行される。
すなわち主制御ＣＰＵ７２は、ステップＳ４３００において大当りフラグの値（０１Ｈ）がセットされていないと判断した場合（Ｎｏ）、次にステップＳ４６００を実行する。
【０２９１】
ステップＳ４６００：主制御ＣＰＵ７２は、次に小当りフラグの値（０１Ｈ）がセットされているか否かを確認する。そして小当りフラグの値（０１Ｈ）もセットされておらず、単純にはずれである場合（Ｎｏ）、主制御ＣＰＵ７２は次にステップＳ４６０２を実行する。
【０２９２】
ステップＳ４６０２：主制御ＣＰＵ７２は、ジャンプテーブルのジャンプ先アドレスとして特別図柄変動前処理のアドレスをセットする。
【０２９３】
ステップＳ４６０５：これに対し、小当りフラグの値（０１Ｈ）がセットされていた場合（ステップＳ４６００：Ｙｅｓ）、主制御ＣＰＵ７２はジャンプテーブルのジャンプ先アドレスとして可変入賞装置管理処理のアドレスをセットする。
【０２９４】
ステップＳ４６０６：そして主制御ＣＰＵ７２は、制御上の内部状態フラグとして「小当り開始（小当り中）」をセットする。また合わせて主制御ＣＰＵ７２は、小当り中を表す状態コマンドを生成する。小当り中を表す状態コマンドは、上記の演出制御出力処理において演出制御装置１２４に送信される。
【０２９５】
ステップ４６１０：次に主制御ＣＰＵ７２は、回数切りカウンタの値をロードする。「回数切りカウンタ」は、「高確率状態」や「時間短縮状態」においてそれぞれのカウンタ値がＲＡＭ７６の確変カウント領域、時短カウント領域にセットされている。なお、ここでは「回数切り」としているが、「高確率状態」の場合の回数切りカウンタの値は、極端に膨大な値（例えば１００００回以上）に設定することができる。このような膨大な値を設定することで、実質的に次回の当選が得られるまで「高確率状態」が継続することを確率的に保証することができる。なお、「高確率状態」ではなく単独の「時間短縮状態」だけである場合、回数切りカウンタは標準的な数値（例えば３０回、５０回、１００回等）に設定される。
【０２９６】
ステップＳ４６２０：主制御ＣＰＵ７２は、ロードしたカウンタ値が０であるか否かを確認する。このとき、既に回数切りカウンタ値が０であれば（Ｙｅｓ）、主制御ＣＰＵ７２は特別図柄遊技処理に復帰する。一方、回数切りカウンタ値が０でなかった場合（Ｎｏ）、回数切りカウンタ値コマンドを生成してから、主制御ＣＰＵ７２は次にステップＳ４６３０を実行する。
【０２９７】
ステップＳ４６３０：主制御ＣＰＵ７２は、回数切りカウンタ値をデクリメント（１減算）する。
ステップＳ４６４０：そして主制御ＣＰＵ７２は、その減算結果が０でないか否かを判断する。減算の結果、回数切りカウンタの値が０でなかった場合（Ｙｅｓ）、主制御ＣＰＵ７２は特別図柄遊技処理に復帰する。これに対し、回数切りカウンタの値が０になった場合（Ｎｏ）、主制御ＣＰＵ７２はステップＳ４６５０に進む。
【０２９８】
ステップＳ４６５０：ここで主制御ＣＰＵ７２は、回数切り機能作動時のフラグをリセットする。リセットされるのは、確率変動機能作動フラグ又は時間短縮機能作動フラグであるが、上記のように「高確率状態」で回数切りカウンタの値が０になることは実質的にはないため、実用上でリセットされるのは時間短縮機能作動フラグである。これにより、特別図柄の停止表示を経て時間短縮状態が終了する。以上の手順を終えると、特別図柄遊技処理に復帰する。
【０２９９】
〔表示出力管理処理〕
次に図２１は、割込管理処理の中で実行される表示出力管理処理（図８中のステップＳ２１０）の構成例を示すフローチャートである。表示出力管理処理は、特別図柄表示設定処理（ステップＳ１２００）、普通図柄表示設定処理（ステップＳ１２１０）、状態表示設定処理（ステップＳ１２２０）、作動記憶表示設定処理（ステップＳ１２３０）、連続作動回数表示設定処理（ステップＳ１２４０）のサブルーチン群を含む構成である。
【０３００】
このうち特別図柄表示設定処理（ステップＳ１２００）と普通図柄表示設定処理（ステップＳ１２１０）、作動記憶表示設定処理（ステップＳ１２３０）、については、既に述べたように第１特別図柄表示装置３４、第２特別図柄表示装置３５、普通図柄表示装置３３、普通図柄作動記憶ランプ３３ａ、第１特別図柄作動記憶ランプ３４ａ及び第２特別図柄作動記憶数表示ランプ３５ａの各ＬＥＤに対して印加する駆動信号を生成及び出力する処理である。
【０３０１】
状態表示設定処理（ステップＳ１２２０）及び連続作動回数表示設定処理（ステップＳ１２４０）については、遊技状態表示装置３８の各ＬＥＤに対して印加する駆動信号を生成及び出力する処理である。先ず状態表示設定処理では、主制御ＣＰＵ７２は、確率変動機能作動フラグ又は時間短縮機能作動フラグの値に応じてそれぞれ確率変動状態表示ランプ３８ｃ、時短状態表示ランプ３８ｄの点灯を制御する。例えば、パチンコ機１の電源投入時において確率変動機能作動フラグに値（０１Ｈ）がセットされていれば、主制御ＣＰＵ７２は確率変動状態表示ランプ３８ｃに対応するＬＥＤに対して点灯信号を出力する。なお確率変動状態表示ランプ３８ｃは、この後に特別図柄の変動表示が行われると、確率変動機能作動フラグがセットされていても非表示に（消灯）切り替えられる。一方、時間短縮機能作動フラグに値（０１Ｈ）がセットされていれば、特に電源投入時であるか否かに関わらず、主制御ＣＰＵ７２は時短状態表示ランプ３８ｄに対応するＬＥＤに対して点灯信号を出力する。
【０３０２】
また主制御ＣＰＵ７２は、連続作動回数表示設定処理において大当り種別表示ランプ３８ａ，３８ｂの点灯を制御する。具体的には、主制御ＣＰＵ７２は上記の連続作動回数コマンドの値に基づき、大当り種別表示ランプ３８ａ，３８ｂのいずれかに対する点灯信号を出力する。このとき点灯信号を出力する対象となるのは、連続作動回数コマンドで指定された大当り図柄に対応するいずれかの表示ランプ３８ａ，３８ｂである。例えば、連続作動回数コマンドの値が「１４ラウンド」を指定するものであれば、主制御ＣＰＵ７２は「１４ラウンド（１４Ｒ）」を表すランプ３８ｂに対して点灯信号を出力する。また連続作動回数コマンドの値が「７ラウンド」を指定するものであれば、主制御ＣＰＵ７２は「７ラウンド（７Ｒ）」を表すランプ３８ａに対して点灯信号を出力する。
【０３０３】
〔可変入賞装置管理処理〕
次に、可変入賞装置管理処理の詳細について説明する。図２２は、可変入賞装置管理処理の構成例を示すフローチャートである。可変入賞装置管理処理は、遊技プロセス選択処理（ステップＳ５１００）、大入賞口開放パターン設定処理（ステップＳ５２００）、大入賞口開閉動作処理（ステップＳ５３００）、大入賞口閉鎖処理（ステップＳ５４００）、終了処理（ステップＳ５５００）のサブルーチン群を含む構成である。
【０３０４】
ステップＳ５１００：遊技プロセス選択処理において、主制御ＣＰＵ７２は次に実行するべき処理（ステップＳ５２００〜ステップＳ５５００のいずれか）のジャンプ先を選択する。すなわち主制御ＣＰＵ７２は、ジャンプテーブルから次に実行するべき処理のプログラムアドレスをジャンプ先のアドレスとして選択し、また戻り先のアドレスとして可変入賞装置管理処理の末尾をスタックポインタにセットする。いずれの処理を次のジャンプ先として選択するかは、これまでに行われた処理の進行状況によって異なる。例えば、未だ可変入賞装置３０の作動（開閉動作）を開始していない状況であれば、主制御ＣＰＵ７２は次のジャンプ先として大入賞口開放パターン設定処理（ステップＳ５２００）を選択する。一方、既に大入賞口開放パターン設定処理が完了していれば、主制御ＣＰＵ７２は次のジャンプ先として大入賞口開閉動作処理（ステップＳ５３００）を選択し、大入賞口開閉動作処理まで完了していれば、次のジャンプ先として大入賞口閉鎖処理（ステップＳ５４００）を選択する。また、設定された連続作動回数（ラウンド数）にわたって大入賞口開閉動作処理及び大入賞口閉鎖処理が繰り返し実行されると、主制御ＣＰＵ７２は次のジャンプ先として終了処理（ステップＳ５５００）を選択する。以下、それぞれの処理についてさらに詳しく説明する。
【０３０５】
〔大入賞口開放パターン設定処理〕
図２３は、大入賞口開放パターン設定処理の手順例を示すフローチャートである。この処理は、大当り時又は小当り時にそれぞれ可変入賞装置３０を開閉動作する回数や各開放の時間等の条件を設定するためのものである。以下、各手順に沿って説明する。
【０３０６】
ステップＳ５２０２：主制御ＣＰＵ７２は、現在の遊技状態が大役中、つまりＲＡＭ７６のフラグ領域に大当りフラグの値（０１Ｈ）がセットされているか否かを確認する。大当りフラグの値がセットされていれば（Ｙｅｓ）、主制御ＣＰＵ７２は次にステップＳ５２０４に進む。一方、大当りフラグの値がセットされていなければ（Ｎｏ）、主制御ＣＰＵ７２はステップＳ５２１２に進む。なお、この手順は小当りフラグの値を参照する内容に書き換えてもよい（ただしＹｅｓ／Ｎｏの論理は逆となる。）。
【０３０７】
〔大当り時の手順〕
先ず、大当り時の手順は以下となる。
ステップＳ５２０４：主制御ＣＰＵ７２は、図柄別開放パターン設定処理を実行する。この処理では、主制御ＣＰＵ７２は今回の該当する当選図柄に応じて大入賞口の開放パターン（ラウンドごとの開放回数及び各開放の時間）やラウンド間のインターバル時間、１ラウンド中のカウント数（最大入賞回数）を設定する。なお当選図柄別の開放パターンについては、先の特別図柄遊技処理（図１３）において〔複数の当選種類〕の項目で説明した通りである。またラウンド間のインターバル時間は、例えば「７ラウンド図柄」及び「１４ラウンド図柄」については数秒（例えば２秒〜２．５秒）程度に設定されるものとする。なお、１ラウンド中のカウント数（最大入賞回数）は全ての当選図柄について例えば９個であるが、極端な短時間（０．１秒程度）の開放中に入賞が発生することはほとんどない（不能ではないが極めて困難である）。
【０３０８】
ステップＳ５２０６：主制御ＣＰＵ７２は、先の大当り時停止図柄決定処理（図１４中のステップＳ２４１０）で選択した大当り時当選図柄に基づき、今回の大当り遊技における実行ラウンド数を設定する。具体的には、当選図柄として大分類の「１４ラウンド図柄」を選択していれば、主制御ＣＰＵ７２は実行ラウンド数を１４回に設定する。また、当選図柄として「７ラウンド図柄」を選択していれば、主制御ＣＰＵ７２は実行ラウンド数を７回に設定する。ここで設定した実行ラウンド数は、プログラム上で対応する値（７回なら「６」、１４回なら「１３」）として、例えばＲＡＭ７６のバッファ領域に格納される。
【０３０９】
ステップＳ５２０８：次に主制御ＣＰＵ７２は、先のステップＳ５２０４で設定した大入賞口開放パターンに基づき、大当り時開放タイマを設定する。ここで設定したタイマの値は、可変入賞装置３０を作動する際の１回あたりの開放時間となる。なお、大当り時開放タイマの値として２９．０秒程度が設定されていれば、その開放時間は１回の開放中に大入賞口への入賞が容易に発生する充分な時間（例えば発射制御基板セット１７４により遊技球が１０個以上発射される時間、好ましくは６秒以上）となる。一方、大当り開放タイマの値として０．１秒が設定されていれば、その開放時間は１回の開放中に大入賞口への入賞が不能ではなくとも、ほとんど発生しない（困難となる）短時間（例えば１秒より短い時間、好ましくは発射制御基板セット１７４による遊技球の発射間隔よりも短い時間）となる。
【０３１０】
ステップＳ５２１０：そして主制御ＣＰＵ７２は、先のステップＳ５２０４で設定した大入賞口開放パターンに基づき、大当り時インターバルタイマを設定する。ここで設定したタイマの値は、大当り中のラウンド間での待機時間となる。
【０３１１】
ステップＳ５２２０：以上の手順を終えると、主制御ＣＰＵ７２は次のジャンプ先を大入賞口開閉動作処理に設定し、可変入賞装置管理処理に復帰する。
【０３１２】
〔小当り時の手順〕
ステップＳ５２１２：一方、小当りの場合（ステップＳ５２０２：Ｎｏ）、主制御ＣＰＵ７２は、「小当り時開放パターン」を設定する。本実施形態の場合、「小当り時開放パターン」については、例えば１回目と２回目とでそれぞれ「０．１秒開放」の開放パターンが設定される。なお「小当り」については「ラウンド」という概念がないことから、「開放パターン」についても「１回目の開放」、「２回目の開放」といった表記となる。
【０３１３】
ステップＳ５２１４：主制御ＣＰＵ７２は、先のステップＳ５２１２で設定した大入賞口開放パターンに基づき、大入賞口の開放回数を例えば２回に設定する。ここで設定した開放回数は、例えばＲＡＭ７６のバッファ領域に格納される。
【０３１４】
ステップＳ５２１６：次に主制御ＣＰＵ７２は、小当り時開放タイマを設定する。ここで設定したタイマの値は、可変入賞装置３０を作動する際の１回あたりの開放時間となる。なお本実施形態では、上記のように小当り時開放タイマの値として０．１秒が設定されており、このような開放時間は１回の開放中に大入賞口への入賞がほとんど発生しない（困難となる）短時間（例えば１秒より短い時間、好ましくは発射装置ユニットによる遊技球の発射間隔よりも短い時間）となる。
【０３１５】
ステップＳ５２１８：主制御ＣＰＵ７２は、小当り時インターバルタイマを設定する。ここで設定したタイマの値は、小当り時に可変入賞装置３０を複数回にわたり開閉動作させる際の１回ごとの待機時間となるが、このタイマ値は例えば２秒程度に設定される。
【０３１６】
ステップＳ５２２０：小当り時に以上の手順を終えると、主制御ＣＰＵ７２は次のジャンプ先を大入賞口開閉動作処理に設定し、可変入賞装置管理処理に復帰する。そして主制御ＣＰＵ７２は、次に大入賞口開閉動作処理を実行する。
【０３１７】
〔大入賞口開閉動作処理〕
図２４は、大入賞口開閉動作処理の手順例を示すフローチャートである。この処理は主に、可変入賞装置３０の開閉動作を制御するためのものである。以下、手順に沿って説明する。
【０３１８】
ステップＳ５３０２：主制御ＣＰＵ７２は、大入賞口を開放させる。具体的には、大入賞口ソレノイド９０に対して印加する駆動信号を出力する。これにより、可変入賞装置３０が作動して閉止状態から開放状態に移行する。
【０３１９】
ステップＳ５３０４：次に主制御ＣＰＵ７２は、開放タイマカウントダウン処理を実行する。この処理では、先の大入賞口開放パターン設定処理（図２３中のステップＳ５２０８又はステップＳ５２１６）で設定した開放タイマのカウントダウンを実行する。
【０３２０】
ステップＳ５３０６：続いて主制御ＣＰＵ７２は、開放時間が終了したか否かを確認する。具体的には、カウントダウン処理後の開放タイマの値が０以下であるか否かを確認し、未だ開放タイマの値が０以下になっていなければ（Ｎｏ）、主制御ＣＰＵ７２は次にステップＳ５３０８を実行する。
【０３２１】
ステップＳ５３０８：主制御ＣＰＵ７２は、入賞球数カウント処理を実行する。この処理では、開放時間内に可変入賞装置３０（開放中の大入賞口）に入賞した遊技球の個数をカウントする。具体的には、主制御ＣＰＵ７２は開放時間内にカウントスイッチ８４から入力された入賞検出信号に基づいて、カウント数の値をインクリメントする。
【０３２２】
ステップＳ５３１０：次に主制御ＣＰＵ７２は、現在のカウント数が所定数（９個）未満であるか否かを確認する。この所定数は、上記のように開放１回（大当り中の１ラウンド、小当り時の１回）あたりに許容する入賞球数の上限（賞球数の上限）を定めたものである。未だカウント数が所定数に達していなければ（Ｙｅｓ）、主制御ＣＰＵ７２は可変入賞装置管理処理に復帰する。そして、次に可変入賞装置管理処理を実行すると、現段階ではジャンプ先が大入賞口開閉動作処理に設定されているので、主制御ＣＰＵ７２は上記のステップＳ５３０２〜ステップＳ５３１０の手順を繰り返し実行する。
【０３２３】
上記のステップＳ５３０６で開放時間が終了したと判断するか（Ｙｅｓ）、もしくはステップＳ５３１０でカウント数が所定数に達したことを確認すると（Ｎｏ）、主制御ＣＰＵ７２は次にステップＳ５３１２を実行する。なお、小当り時の開放は、開放タイマの値が短時間に設定されているので、通常、主制御ＣＰＵ７２はステップＳ５３１０でカウント数が所定数に達したことを確認するより先に、ステップＳ５３０６で開放時間が終了したと判断する場合がほとんどである。
【０３２４】
ステップＳ５３１２：主制御ＣＰＵ７２は、大入賞口を閉止させる。具体的には、大入賞口ソレノイド９０に印加していた駆動信号の出力を停止する。これにより、可変入賞装置３０が開放状態から閉止状態に復帰する。
【０３２５】
ステップＳ５３１４：次に主制御ＣＰＵ７２は、インターバル待機処理を実行する。この処理では、主制御ＣＰＵ７２は上記の大入賞口開放パターン設定処理（図２３中のステップＳ５２１０又はステップＳ５２１８）で設定したインターバルタイマのカウントダウンを実行する。そして、インターバルタイマの値が０以下になると、次に主制御ＣＰＵ７２はステップＳ５３１６に進む。
【０３２６】
ステップＳ５３１６：主制御ＣＰＵ７２は、大役中（大当り遊技中）であるか否かを確認する。現在の遊技が大役中であれば（Ｙｅｓ）、主制御ＣＰＵ７２は次にステップＳ５３１８を実行する。これに対し、現在の遊技が小当りであれば（Ｎｏ）、主制御ＣＰＵ７２は次にステップＳ５３２２に進む。
【０３２７】
ステップＳ５３１８：主制御ＣＰＵ７２は、開放回数カウンタの値をインクリメントする。なお、開放回数カウンタの値は、例えば初期値を０としてＲＡＭ７６のカウント領域に記憶されている。
【０３２８】
ステップＳ５３２０：主制御ＣＰＵ７２は、インクリメント後の開放回数カウンタの値が現ラウンド内で設定した回数に達しているか否かを確認する。ここで、「現ラウンド内で設定した回数」を判断しているのは、例えば「大当り中の１ラウンド内で可変入賞装置３０を複数回にわたり開放動作させる」という開放パターンに対応するためである。なお本実施形態では、特にこのような開放パターンを採用していないので、「現ラウンド内で設定した回数」は、各ラウンドで１回ずつに設定されている。したがって、通常は１回の開閉動作でカウンタ値が設定した回数に達するため（Ｙｅｓ）、主制御ＣＰＵ７２は次にステップＳ５３２２に進むことになる。
【０３２９】
なお、上記のように１ラウンド内で複数回の開閉動作を繰り返すパターンを採用した場合、１回の開放終了時に未だカウンタ値が設定した回数に達していないことになる（Ｎｏ）。この場合、主制御ＣＰＵ７２は可変入賞装置管理処理に復帰すると、現段階ではジャンプ先が大入賞口開閉動作処理に設定されているので、上記のステップＳ５３０２〜ステップＳ５３２０までの手順を繰り返し実行する。その結果、ステップＳ５３１８で開放回数カウンタのインクリメントが進み、そして、カウンタ値が設定した回数に達すると（Ｙｅｓ）、主制御ＣＰＵ７２は次にステップＳ５３２２に進むことになる。
【０３３０】
ステップＳ５３２２：主制御ＣＰＵ７２は次のジャンプ先を大入賞口閉鎖処理に設定し、可変入賞装置管理処理に復帰する。そして、次に可変入賞装置管理処理を実行すると、主制御ＣＰＵ７２は次に大入賞口閉鎖処理を実行する。
【０３３１】
〔大入賞口閉鎖処理〕
図２５は、大入賞口閉鎖処理の手順例を示すフローチャートである。この大入賞口閉鎖処理は、可変入賞装置３０の作動を継続したり、その作動を終了したりするためのものである。以下、手順に沿って説明する。
【０３３２】
ステップＳ５４０１：先ず主制御ＣＰＵ７２は、現在の遊技が大役（大当り遊技）中であるか否かを確認し、大役中であれば（Ｙｅｓ）、主制御ＣＰＵ７２は次にステップＳ５４０２を実行する。
【０３３３】
ステップＳ５４０２：主制御ＣＰＵ７２は、上記のラウンド数カウンタをインクリメントする。これにより、例えば１ラウンド目が終了し、２ラウンド目に向かう段階でラウンド数カウンタの値は「１」となっている。
【０３３４】
ステップＳ５４０４：主制御ＣＰＵ７２は、インクリメント後のラウンド数カウンタの値が設定した実行ラウンド数に達しているか否かを確認する。具体的には、主制御ＣＰＵ７２はインクリメント後のラウンド数カウンタの値（１〜１４）を参照し、その値が設定した実行ラウンド数（１減算後の１〜１４）未満であれば（Ｎｏ）、次にステップＳ５４０５を実行する。
【０３３５】
ステップＳ５４０５：主制御ＣＰＵ７２は、現在のラウンド数カウンタの値からラウンド数コマンドを生成する。このコマンドは、上記のように演出制御出力処理において演出制御装置１２４に送信されるものである。演出制御装置１２４は、受信したラウンド数コマンドに基づいて現在のラウンド数を確認することができる。
【０３３６】
ステップＳ５４０６：主制御ＣＰＵ７２は、次のジャンプ先を大入賞口開閉動作処理に設定する。
【０３３７】
ステップＳ５４０８：そして主制御ＣＰＵ７２は、入賞球数カウンタをリセットし、可変入賞装置管理処理に復帰する。
【０３３８】
主制御ＣＰＵ７２が次に可変入賞装置管理処理を実行すると、遊技プロセス選択処理（図２２中のステップＳ５１００）で主制御ＣＰＵ７２は次のジャンプ先である大入賞口開閉動作処理を実行する。そして、大入賞口開閉動作処理の実行後は大入賞口閉鎖処理の実行を経て、主制御ＣＰＵ７２は再び大入賞口閉鎖処理を実行し、上記のステップＳ５４０２〜ステップＳ５４０８を繰り返し実行する。これにより、実際のラウンド数が設定した実行ラウンド数（７回又は１４回）に達するまでの間、可変入賞装置３０の開閉動作が連続して実行される。
【０３３９】
実際のラウンド数が設定した実行ラウンド数に達した場合（ステップＳ５４０４：Ｙｅｓ）、主制御ＣＰＵ７２は次にステップＳ５４１０を実行する。
【０３４０】
ステップＳ５４１０，ステップＳ５４１２：この場合、主制御ＣＰＵ７２はラウンド数カウンタをリセット（＝０）すると、次のジャンプ先を終了処理に設定する。
【０３４１】
ステップＳ５４０８：そして主制御ＣＰＵ７２は、入賞球数カウンタをリセットし、可変入賞装置管理処理に復帰する。これにより、次に主制御ＣＰＵ７２が可変入賞装置管理処理を実行すると、今度は終了処理が選択されることになる。
【０３４２】
〔小当り時〕
これに対し、小当りの場合は以下の手順となる（特例作動実行手段）。
ステップＳ５４１１：主制御ＣＰＵ７２は現在の遊技が大役中でないことを確認すると（ステップＳ５４０１：Ｎｏ）、開放回数カウンタの値をインクリメントする。
【０３４３】
ステップＳ５４１３：次に主制御ＣＰＵ７２は、インクリメント後の開放回数カウンタの値が設定した開放回数に達したか否かを確認する。開放回数は、先の大入賞口開放パターン設定処理（図２３中のステップＳ５２１４）で設定したものである。未だ開放回数カウンタの値が設定した開放回数に達していなければ（Ｎｏ）、主制御ＣＰＵ７２はステップＳ５４１６を実行する。
【０３４４】
ステップＳ５４１６：主制御ＣＰＵ７２は、次のジャンプ先を大入賞口開閉動作処理に設定する。
ステップＳ５４０８：そして主制御ＣＰＵ７２は、入賞球数カウンタをリセットし、可変入賞装置管理処理に復帰する。
【０３４５】
主制御ＣＰＵ７２が次に可変入賞装置管理処理を実行すると、遊技プロセス選択処理（図２２中のステップＳ５１００）で主制御ＣＰＵ７２は次のジャンプ先である大入賞口開閉動作処理を実行する。そして、大入賞口開閉動作処理の実行後は大入賞口閉鎖処理の実行を経て、主制御ＣＰＵ７２は再び大入賞口閉鎖処理を実行し、上記のステップＳ５４０１〜ステップＳ５４１３（Ｎｏ）を経てステップＳ５４１６、ステップＳ５４０８を繰り返し実行する。これにより、実際の開放回数が設定した開放回数（２回）に達するまでの間、可変入賞装置３０の開閉動作が繰り返し実行される。
【０３４６】
小当り時の実際の開放回数が設定した開放回数に達した場合（ステップＳ５４１３：Ｙｅｓ）、主制御ＣＰＵ７２は次にステップＳ５４１４を実行する。
【０３４７】
ステップＳ５４１４，ステップＳ５４１２：この場合、主制御ＣＰＵ７２は開放回数カウンタをリセット（＝０）すると、次のジャンプ先を終了処理に設定する。
【０３４８】
ステップＳ５４０８：そして主制御ＣＰＵ７２は、入賞球数カウンタをリセットし、可変入賞装置管理処理に復帰する。これにより、次に主制御ＣＰＵ７２が可変入賞装置管理処理を実行すると、今度は終了処理が選択されることになる。
【０３４９】
〔終了処理〕
図２６は、終了処理の手順例を示すフローチャートである。この終了処理は、可変入賞装置３０の作動を終了する際の条件を整えるためのものである。以下、手順例に沿って説明する。
【０３５０】
ステップＳ５５０２：主制御ＣＰＵ７２は、大当りフラグの値（０１Ｈ）がセットされているか否かを確認し、大当りフラグの値がセットされていれば（Ｙｅｓ）、主制御ＣＰＵ７２は次にステップＳ５５０３を実行する。
【０３５１】
ステップＳ５５０３，ステップＳ５５０４：この場合、主制御ＣＰＵ７２は大当りフラグをリセット（００Ｈ）する。これにより、主制御ＣＰＵ７２の制御処理上で大当り遊技状態は終了する。また主制御ＣＰＵ７２は、ここで内部状態フラグから「大当り中」を消去し、制御処理上で内部状態としての大役終了を宣言する。
【０３５２】
ステップＳ５５０５：また主制御ＣＰＵ７２は、ここで連続作動回数コマンドを消去する。
ステップＳ５５０６：次に主制御ＣＰＵ７２は、確率変動機能作動フラグの値（０１Ｈ）がセットされているか否かを確認する。このフラグは、先の特別図柄変動前処理中の大当り時その他設定処理（図１４中のステップＳ２４１４）でセットされるものである。
【０３５３】
ステップＳ５５０８：確率変動機能作動フラグの値がセットされている場合（ステップＳ５５０６：Ｙｅｓ）、主制御ＣＰＵ７２は確率変動回数（例えば１００００回程度）を設定する。設定した確率変動回数の値は、例えばＲＡＭ７６の確変カウンタ領域に格納されて上記の回数切りカウンタ値となる。ここで設定した確率変動回数は、これ以降の遊技で特別図柄の変動（内部抽選）を高確率状態で行う上限回数となる。ただし、上記のように１００００回程度の膨大な回数を設定した場合、そこまで非当選が続くことは確率的にほとんどないので（高確率時の当選確率が例えば２０分の１〜３９分の１程度）、実質的には次回の当選まで高確率状態が続くことになる。これとは逆に、高確率状態に実質的な上限を設ける場合、確率変動回数は現実的な回数（例えば１０回程度）に設定される（いわゆる回数切り確変）。なお、確率変動機能作動フラグの値がセットされていなければ（ステップＳ５５０６：Ｎｏ）、主制御ＣＰＵ７２はステップＳ５５０８を実行しない。
【０３５４】
ステップＳ５５１０：次に主制御ＣＰＵ７２は、時間短縮機能作動フラグの値（０１Ｈ）がセットされているか否かを確認する。このフラグもまた、先の特別図柄変動前処理中の大当り時その他設定処理（図１４中のステップＳ２４１４）でセットされるものである。
【０３５５】
ステップＳ５５１２：そして、時間短縮機能作動フラグの値がセットされている場合（ステップＳ５５１０：Ｙｅｓ）、主制御ＣＰＵ７２は時間短縮回数（例えば１００回程度又は１００００回程度）を設定する。設定した時間短縮回数の値は、上記のようにＲＡＭ７６の時短カウント領域に格納される。ここで設定した時間短縮回数は、これ以降の遊技で特別図柄の変動時間を短縮化する上限回数となる。なお、時間短縮機能作動フラグの値がセットされていなければ（ステップＳ５５１０：Ｎｏ）、主制御ＣＰＵ７２はステップＳ５５１２を実行しない。
【０３５６】
ステップＳ５５１４：そして主制御ＣＰＵ７２は、各種のフラグに基づいて状態指定コマンドを生成する。具体的には、大当りフラグのリセット又は大役終了に伴い、遊技状態として「通常中」を表す状態指定コマンドを生成する。また、高確率状態機能作動フラグがセットされていれば、内部状態として「高確率中」を表す状態指定コマンドを生成し、時間短縮機能作動フラグがセットされていれば、内部状態として「時間短縮中」を表す状態指定コマンドを生成する。これら状態指定コマンドは、演出制御出力処理において演出制御装置１２４に送信される。
【０３５７】
ここまでの手順は大当りの場合であるが、小当りの場合（ステップＳ５５０２：Ｎｏ）は以下の手順が実行される。
【０３５８】
ステップＳ５５２０，ステップＳ５５２２：小当りの場合、主制御ＣＰＵ７２は小当りフラグの値をリセット（００Ｈ）し、また内部状態フラグから「小当り中」を消去する。なお小当りの場合、特に内部的な条件装置は作動しないため、このような手順は単にフラグの消去を目的としたものである。
【０３５９】
ステップＳ５５１６：いずれにしても、以上の手順を経ると主制御ＣＰＵ７２は次のジャンプ先を大入賞口開放パターン設定処理に設定する。
【０３６０】
ステップＳ５５１８：そして主制御ＣＰＵ７２は、特別図柄遊技処理の中の実行選択処理（図１３中のステップＳ１０００）でのジャンプ先を特別図柄変動前処理に設定する。以上の手順を終えると、主制御ＣＰＵ７２は可変入賞装置管理処理に復帰する。
【０３６１】
〔ゲームフロー〕
図２７は、パチンコ機１において展開されるゲームフローについて説明する図である。
パチンコ機１で遊技を開始する場合、〔Ｆ１〕通常状態から遊技が開始される。「通常状態」は、「非時間短縮状態」であり、特別図柄の当選確率は、基本的には低確率（低確率状態）である。ただし、〔Ｆ１２〕祭りゾーンから〔Ｆ１〕通常状態に移行された場合は、特別図柄の当選確率が高確率となっている場合もある。この点については後述する。
【０３６２】
〔Ｆ１〕通常状態では、「店内ステージ」又は「繁華街ステージ」を行き来することによりゲームが進行していく。この時点で遊技者には、演出上で登場する複数のキャラクターのうち、いずれかを最初のキャラクター（第１キャラクター）として選択する機会が与えられている。ここで選択した最初のキャラクターは、初当り時の大当り遊技中に登場するメインのキャラクターとなる。なお、キャラクターの選択と演出への登場についてはさらに後述する。
【０３６３】
〔Ｆ１〕通常状態にて、〔Ｆ２〕１４ラウンド確変大当り１に当選すると、〔Ｆ３〕１４ラウンド大当り遊技が行われる（スペシャルボーナス）。このとき上記のように、遊技者が選択しておいた最初のキャラクターを登場させた演出（第１キャラクター演出）が実行される。また、〔Ｆ２〕１４ラウンド確変大当り１に当選した場合は「特定条件」を満たすことで、大当り遊技中の演出で「完了演出」が行われ、次の新キャラクター（第２キャラクター）を選択する機会が遊技者に付与される。なお、このような「完了演出」や新キャラクターの選択操作等についても後述する。
【０３６４】
〔Ｆ３〕１４ラウンド大当り遊技の終了後、ゲームフロー上で〔Ｆ４〕花火モードに移行する。「花火モード」は、特別図柄の当選確率が高確率（高確率状態）であり、かつ、時間短縮状態（いわゆる電チューサポート状態）である。〔Ｆ４〕花火モード中も第２特別図柄の変動が優先して行われることから、そこでの当選種類は基本的に〔Ｆ５〕１４ラウンド通常大当り１〜３、〔Ｆ８〕１４ラウンド確変大当り１又は２となる。なお、第２特別図柄に対応する作動記憶数が０になり、第１特別図柄が変動して大当りになる場合もあり得るが、ここでは便宜上、第１特別図柄が変動するパターンを想定しない。
【０３６５】
〔Ｆ４〕花火モードにて、〔Ｆ５〕１４ラウンド通常大当り１〜３に当選すると、〔Ｆ６〕１４ラウンド大当り遊技が行われ（ゴルフチャンス失敗）、〔Ｆ７〕海岸モードに移行される。この場合の流れは、上記の「完了演出」とは異なる「非完了演出」が大当り遊技中に発生するものとなり、先に選択していた新キャラクター（第２キャラクター）に関して演出上で「完了」とはならない。なお、「非完了演出」についても後述する。
【０３６６】
「海岸モード」は、特別図柄の当選確率が低確率（低確率状態）であり、かつ、時間短縮状態である。「海岸モード」にて所定の変動回数（例えば３０回、５０回、１００回の変動回数）が経過すると、〔Ｆ１〕通常状態に移行する。
【０３６７】
〔Ｆ７〕海岸モードでは、上述した時間短縮機能の作動により可変始動入賞装置２８が高頻度で作動し、〔Ｆ１〕通常状態に比較して下始動入賞口２８ａへの入賞が高頻度で発生する。このため、〔Ｆ７〕海岸モード中は第２特別図柄の変動が優先して行われることから、そこでの当選種類は基本的に〔Ｆ１４〕１４ラウンド通常大当り１〜３、〔Ｆ１５〕１４ラウンド確変大当り１又は２となる。なお、第２特別図柄に対応する作動記憶数が０になり、第１特別図柄が変動して大当りになる場合もあり得るが、ここでは便宜上、第１特別図柄が変動するパターンを想定しない。
【０３６８】
〔Ｆ７〕海岸モード中に当選すると、〔Ｆ１４〕１４ラウンド通常大当り１〜３、〔Ｆ１５〕１４ラウンド確変大当り１又は２のいずれに該当した場合も〔Ｆ６〕１４ラウンド大当り遊技が行われる（ゴルフチャンス演出）。このときの演出には、前回の大当り遊技中の演出で登場したキャラクター（第２キャラクター）が再登場し、遊技者にとっては前回の失敗（ゴルフチャンス失敗）に対するリベンジ演出となる。なお、このような「リベンジ演出」についても後述する。
【０３６９】
〔Ｆ７〕海岸モードから〔Ｆ１４〕１４ラウンド通常大当り１〜３に該当した場合、特定条件（確変大当り該当）を満たさないため、上記の「リベンジ演出」でまた失敗（非完了）となり、〔Ｆ７〕海岸モードに戻される。
【０３７０】
これに対し、〔Ｆ７〕海岸モードから〔Ｆ１５〕１４ラウンド確変大当り１又は２に該当した場合、特定条件（確変大当り該当）を満たすため、上記の「リベンジ演出」で成功（完了）となり、次の新キャラクター（第３キャラクター）を選択する権利が遊技者に付与される。そして、大当り遊技終了後は〔Ｆ４〕花火モードに復帰（再突入）することができる。
【０３７１】
また〔Ｆ４〕花火モードにて、〔Ｆ８〕１４ラウンド確変大当り１又は２に当選すると、〔Ｆ６〕１４ラウンド大当り遊技が行われ（ゴルフチャンス成功）、先に選択していたキャラクター（第３キャラクター）については「完了」となる。そして、大当り遊技の終盤までに別のキャラクター（次回以降のキャラクター）を選択する権利が遊技者に付与される。また大当り遊技終了後は〔Ｆ４〕花火モードが継続する。継続した〔Ｆ４〕花火モード中は、選択していた別のキャラクターがメインで登場する。なお、「花火モード」中の演出例についても後述する。
【０３７２】
そして以後は、〔Ｆ４〕花火モードから〔Ｆ８〕１４ラウンド確変大当り１又は２に当選し続けることで、〔Ｆ６〕１４ラウンド大当り遊技が行われ（ゴルフチャンス成功）、前回の大当り遊技中に選択していたキャラクターについて「完了演出」が行われる。そして、大当り遊技の終盤までにまた別のキャラクター（次回以降のキャラクター）を選択する権利が遊技者に付与される。そして、大当り遊技終了後は〔Ｆ４〕花火モードが継続し、新たに選択した別のキャラクターがメインで登場する。
【０３７３】
上記とは別に、例えば図２７中に破線で示されているように、〔Ｆ４〕花火モードから〔Ｆ９〕１４ラウンド確変大当り１に当選すると、〔Ｆ３〕１４ラウンド大当り遊技が行われ（スペシャルボーナス）、また〔Ｆ４〕花火モードが継続するという流れであってもよい。この場合の流れでは、先に選択していたキャラクター（第３キャラクター）が〔Ｆ３〕１４ラウンド大当り遊技中の演出に登場し、そこで「完了演出」が行われる。そして、大当り遊技の終盤までに別のキャラクター（次回以降のキャラクター）を選択する権利が遊技者に付与される。また大当り遊技終了後は〔Ｆ４〕花火モードが継続する。継続した〔Ｆ４〕花火モード中は、選択していた別のキャラクターがメインで登場する。
【０３７４】
そして、同様に以後は、〔Ｆ４〕花火モードから〔Ｆ９〕１４ラウンド確変大当り１に当選した場合でも、〔Ｆ３〕１４ラウンド大当り遊技が行われ（スペシャルボーナス）、前回の大当り遊技中に選択していたキャラクターについて「完了演出」が行われることとしてもよい。そして、大当り遊技の終盤までにまた別のキャラクター（次回以降のキャラクター）を選択する権利が遊技者に付与され、大当り遊技終了後は〔Ｆ４〕花火モードが継続し、新たに選択した別のキャラクターがメインで登場する態様であってもよい。
【０３７５】
一方、〔Ｆ１〕通常状態にて、〔Ｆ１０〕７ラウンド確変大当り２、又は、７ラウンド通常大当り１〜３に当選すると、〔Ｆ１１〕７ラウンド大当り遊技が行われ（ダーツチャンス失敗）、〔Ｆ１２〕祭りゾーンに移行される。「祭りゾーン」は、「７ラウンド確変大当り２」に当選した場合は特別図柄の当選確率が高確率となり、「７ラウンド通常大当り１〜３」に当選した場合は特別図柄の当選確率が低確率となる。また「祭りゾーン」は、非時間短縮状態である。「祭りゾーン」にて所定の変動回数（例えば４０回の変動回数）が経過すると、〔Ｆ１〕通常状態に移行する。ただし、特別図柄の当選確率は維持されたまま〔Ｆ１〕通常状態に移行されるため、特別図柄の当選確率が高確率状態のまま〔Ｆ１〕通常状態に移行される場合もある。
【０３７６】
また、〔Ｆ１〕通常状態にて、〔Ｆ１３〕７ラウンド確変大当り１に当選すると、〔Ｆ１１〕７ラウンド大当り遊技が行われ（ダーツチャンス成功）、〔Ｆ４〕花火モードに移行される。
【０３７７】
〔演出画像の例〕
次に、パチンコ機１において実際に液晶表示器４２に表示される演出画像について、いくつかの例を挙げて説明する。以上のように、パチンコ機１において大当りの内部抽選が行われると、主制御ＣＰＵ７２による制御の下で変動パターン（変動時間）を決定し、第１特別図柄や第２特別図柄による変動表示が行われる（図柄表示手段）。ただし、上記のように第１特別図柄や第２特別図柄そのものは７セグメントＬＥＤによる点灯・点滅表示であるため、見た目上の訴求力に乏しい。そこでパチンコ機１では、上記のように演出図柄を用いた変動表示演出が行われている。
【０３７８】
演出図柄には、例えば左演出図柄、中演出図柄、右演出図柄の３つが含まれており、これらは液晶表示器４２の画面上で左・中・右に並んで表示される（図１参照）。各演出図柄は、例えば数字の「１」〜「７」とともにキャラクターが付された絵札をデザインしたものとなっている。各演出図柄については、数字が「１」〜「７」の降順に並んだ図柄列を構成している。このような図柄列は、画面上の左領域・中領域・右領域でそれぞれ縦方向に流れる（スクロールする）ようにして変動表示される。
【０３７９】
〔演出図柄の構成〕
図２８は、変動表示演出及び結果表示演出で用いられる演出図柄の構成例を示す図である。図２８には、例えば上述した３本の図柄列のうち、左図柄列を構成する７つの演出図柄（参照符号Ａ１〜Ａ７，Ｂ１〜Ｂ７）が横一列に並べられた状態で示されている。以下、演出図柄の構成例について適宜、参照符号を付しながら説明する。
【０３８０】
演出図柄は、その構成要素として、演出図柄の図柄列に関する配列の順番を示す配列画像（数字画像；参照符号Ｘ１〜Ｘ７，Ｙ１〜Ｙ７）と、演出図柄を装飾する装飾画像（キャラクター画像；参照符号Ｓ１〜Ｓ７，Ｔ１〜Ｔ７）とを組み合わせて予め規定されている（演出図柄要素規定手段）。
【０３８１】
〔数字画像〕
数字画像は、演出図柄の図柄列に関する配列の順番を示す画像であり、具体的には数字の「１」〜「７」を表す画像がある。また、クラブＡに対応する演出図柄の数字画像については、黒塗りの数字画像が用いられており、クラブＢに対応する演出図柄の数字画像については、白塗りの数字画像が用いられている。
【０３８２】
〔キャラクター画像〕
キャラクター画像は、それぞれが個性を有する複数種類のキャラクターを模した画像であり、具体的には、サービス営業を行う従業員（例えばキャバクラ嬢）の画像である。
キャラクター画像は、個々に異なった人物が表現されており、外見上で髪形や顔つき、装飾品等の違いが表されることにより、そこには各キャラクターとしての個性（人物としての個性）が表現されている。
【０３８３】
〔代表キャラクター画像〕
また、キャラクター画像には、複数種類の通常キャラクター画像（参照符号Ｓ１〜Ｓ６，Ｔ１〜Ｔ６）と、その複数種類の通常キャラクター画像を代表する代表キャラクター画像（参照符号Ｓ７，Ｔ７）とが規定されている。本実施形態では、数字画像の「１」〜「６」と組み合わされているキャラクター画像は、通常キャラクター画像として設定されており（例えば一般キャバクラ嬢）、数字画像の「７」と組み合わされているキャラクター画像は、代表キャラクター画像として設定されている（例えばＮｏ．１キャバクラ嬢）。
【０３８４】
〔店舗〕
また、本実施形態では、２つの店舗により、遊技内容が展開することとなっている。
図２８中（Ａ）に示すように、上段の演出図柄Ａ１〜Ａ７は、同一店舗のクラブＡ（同一の選択グループ）に所属するものであり、クラブＡには１つの代表キャラクター画像Ａ７と６つの通常キャラクター画像Ａ１〜Ａ６とが含まれている。
【０３８５】
また図２８中（Ｂ）に示すように、下段の演出図柄Ｂ１〜Ｂ７は、同一店舗のクラブＢ（同一の選択グループ）に所属するものであり、クラブＢには１つの代表キャラクター画像Ｔ７と６つの通常キャラクター画像Ｔ１〜Ｔ６とが含まれている。
【０３８６】
〔演出図柄の対応関係〕
演出図柄の数字画像とキャラクター画像とは、基本的には予め組みになって対応付けられている。例えば、数字画像「１」（Ｘ１）に関して説明すると、数字画像「１」（Ｘ１）にはキャラクター画像Ｓ１が予め対応付けられており、これら数字画像「１」（Ｘ１）とキャラクター画像Ｓ１とがセットになって１つの演出図柄Ａ１を構成している。
【０３８７】
また、数字画像「７」（Ｙ７）に関して説明すると、数字画像「７」（Ｙ７）にはキャラクター画像Ｔ７が予め対応付けられており、これら数字画像「７」（Ｙ７）とキャラクター画像Ｔ７とがセットになって１つの演出図柄Ｂ７を構成している。
【０３８８】
いずれにしても、各演出図柄Ａ１〜Ａ７，Ｂ１〜Ｂ７は、それぞれが構成要素として有する数字画像「１」〜「７」（Ｘ１〜Ｘ７，Ｙ１〜Ｙ７）の違いによって互いの種類を区別することもできるし、キャラクター画像Ｓ１〜Ｓ７，Ｔ１〜Ｔ７の違いによっても互いの種類を区別することができる。なお、このような演出図柄の各種画像データは、例えば予め演出表示制御装置１４４（ＶＤＰ１５２）の画像ＲＯＭ１５４に記憶されている。
【０３８９】
そして、本実施形態では、遊技者の好みにより、これら演出図柄の構成を変更することができる。以下、演出図柄の構成を変更する場合の流れについて説明する。
【０３９０】
〔待機用デモ画面の表示例〕
図２９は、待機用デモ画面の表示例を示す連続図である。待機用デモ画面は、例えば以下のプロセスを経て表示される。
【０３９１】
〔結果表示演出〕
図２９中（Ａ）：例えば、前回の内部抽選においてはずれ（非当選）となり、特別図柄表示装置３４により特別図柄が非当選を表す態様で停止表示されている場合、あるいはパチンコ機１においてその日の最初に遊技を開始する場合（いわゆる朝一の状態）を想定する。このとき液晶表示器４２の画面上では、非当選の結果を表す態様で結果表示演出が行われている。そして、このとき特別図柄作動記憶数は既に０個であり、マーカＭ１，Ｍ２は全て非表示（表示数０）となっている。
【０３９２】
図２９中（Ｂ）：この状態で、上始動入賞口２６又は下始動入賞口２８ａへの入賞、つまり新たな抽選契機が発生しなければ、次に特別図柄の変動表示を開始する条件は満たされないため、そのまましばらくの間は表示画面上で目立った変化が生じることはない。したがってこの場合、前回の変動に対応した結果表示演出が表示されたままとなる。
【０３９３】
〔待機用デモ画面への移行〕
図２９中（Ｃ）：新たな抽選契機が発生しない状態が所定時間（例えば３０秒程度）にわたり継続すると、液晶表示器４２の画面がそれまでの結果表示演出から「タイトル画面」に切り替わる。この例では、画面全体がホワイトアウトし、その中央位置にパチンコ機１の機種名を表す情報（「ＣＲ花火嬢」）が表示されている。
【０３９４】
このような「タイトル画面」は、パチンコ機１の機種名やゲームコンセプト（例えば演出の中心となる存在や概念）を視覚的に周囲にアピールするとともに、未だパチンコ機１に遊技客が付いていない状態（いわゆる「空き台」）であれば、その旨を外見上で判りやすくするものである。
【０３９５】
図２９中（Ｄ）：その後しばらくすると、上記の「タイトル画面」に重ねて、演出切替ボタン４５の画像が表示され、演出切替ボタン４５の押下を遊技者に対して促す演出が行われる。遊技者が演出切替ボタン４５の押し込み操作を行うと、以下のデモ中キャラクター選択演出に移行するが、遊技者が演出切替ボタン４５の押し込み操作を行わない場合、「タイトル画面」は、その後さらにアニメーションや動画等を用いた表示態様に変化していく。
【０３９６】
〔デモ中キャラクター選択演出の演出例〕
図３０は、デモ中キャラクター選択演出の演出例を示す連続図である。デモ中キャラクター選択演出は、例えば以下のプロセスを経て実行される。
【０３９７】
〔操作説明〕
図３０中（Ａ）：デモ中キャラクター選択演出の初期の段階では、操作方法の説明が行われる。具体的には、演出切替ボタン４５及びジョグダイアル４５ａの画像が液晶画面に表示され、その周囲の領域には、ジョグダイアル４５ａを左右に回転させることを促す画像（矢印の画像）が表示される。また、液晶画面内では、女性のキャラクターが操作方法を説明する言葉（「ジョグを回して選択してね！」）を発する画像が表示される。このような操作説明により、初めて遊技を行う遊技者に対しては、操作方法を分かりやすく教示することができる。
【０３９８】
〔選択画面〕
図３０中（Ｂ）：デモ中キャラクター選択演出が進行すると、クラブＡの看板の画像と、クラブＢの看板の画像とが左右に分かれて表示され、それらの看板の下に各クラブの構成員が６名ずつ表示される。この際、演出図柄の数字画像である「１」〜「６」に対応する通常キャラクター画像Ｓ１〜Ｓ６，Ｔ１〜Ｔ６は表示されるが、演出図柄の数字画像である「７」に対応する代表キャラクター画像Ｓ７，Ｔ７（図２８参照）は表示されない。すなわち、デモ中キャラクター選択演出では、代表キャラクター画像Ｓ７，Ｔ７は選択できないこととなっている。
【０３９９】
また、１２種類のキャラクター画像のうち、１つのキャラクター画像（図３０中（Ｂ）では左上隅のキャラクター画像）の周囲には、ターゲットマークＴＭが表示されている。このターゲットマークＴＭは、遊技者が好みのキャラクター画像を選択するためのマークとなっており、ターゲットマークＴＭの内部にあるキャラクター画像が選択対象となることを表している。
【０４００】
〔選択処理〕
図３０中（Ｃ）：遊技者がジョグダイアル４５ａを左右に回転させると、その操作入力に応じてターゲットマークＴＭが移動される。図示の例では、遊技者がジョグダイアル４５ａを右に５回分回転させたことで、下段の左から３番目のキャラクター画像Ｓ６にターゲットマークＴＭの照準が合わされたことが表現されている。
【０４０１】
そしてこの状態で、遊技者が演出切替ボタン４５を押下すると、ターゲットマークＴＭの照準が合わされている下段の左から３番目のキャラクター画像Ｓ６が、遊技者により選択されたことになる（第１キャラクターの選択）。なお、遊技者により演出切替ボタン４５の操作がなされない場合、所定時間の経過後に待機用デモ画面へ移行する。
【０４０２】
図３１は、新たな演出図柄を生成する際のキャラクター画像の配列の変更内容を説明する概念図である。なお、ここでは、クラブＡに対応する演出図柄について説明する。
【０４０３】
〔演出図柄生成処理前〕
図３１中（Ａ）：演出図柄生成処理を行う前の段階では、演出図柄は予め定められた順番に従って並んでいる（初期設定の状態）。この配列の順番は、図２８中（Ａ）に示す配列と同様である。ここでは、遊技者により、演出図柄Ａ６のキャラクター画像Ｓ６が選択されたものとする。
【０４０４】
〔演出図柄生成処理〕
図３１中（Ｂ）：演出図柄生成処理では、演出切替ボタン４５にて遊技者により選択されたキャラクター画像Ｓ６を「３」の演出図柄Ａ３と組み合わせるとともに、「３」の演出図柄Ａ３に組み合わされていた元のキャラクター画像Ｓ３を「６」の演出図柄Ａ６と組み合わせて新たな演出図柄が生成される（演出図柄生成手段）。
【０４０５】
〔演出図柄生成処理後〕
図３１中（Ｃ）：演出図柄生成処理を行った後の段階では、「３」の演出図柄Ａ３のキャラクター画像Ｓ３と、「６」の演出図柄Ａ６のキャラクター画像Ｓ６とが入れ替えられて、新たな演出図柄が生成されることとなる。
【０４０６】
図３２は、演出図柄生成処理による演出図柄の変化について説明する図である。
図３２中（Ａ）：液晶表示器４２の画面上では、非当選の結果を表す態様で結果表示演出が行われており、演出図柄の並びは、左から「３」−「４」−「７」となっている。
【０４０７】
図３２中（Ｂ）：ここで、デモ中キャラクター選択演出にて遊技者がキャラクター画像Ｓ６を選択した場合を想定すると、上述した演出図柄生成処理が行われることにより、演出図柄の並びは、「３」−「４」−「７」の状態のままであるが、「３」の演出図柄のキャラクター画像が、キャラクター画像Ｓ３からキャラクター画像Ｓ６に変更される。
【０４０８】
ここで、本実施形態では、演出図柄による変動表示演出や停止表示演出にとは別に、遊技者により選択されたキャラクター画像を液晶画面の右上部分（扇形形状の表示領域Ｐ）に継続して表示することとしている（選択装飾画像継続表示演出実行手段）。これにより、遊技者は、自ら選択したキャラクター画像Ｓ６を遊技中にも簡単に確認することができる。
【０４０９】
そして、この表示領域Ｐに表示されるキャラクター画像に関しても、上述した演出図柄生成処理が行われることにより、キャラクター画像Ｓ３からキャラクター画像Ｓ６に変更されることとなる。この表示領域Ｐを設定することにより、仮に、遊技者がどのキャラクター画像を自ら選択したのかを忘れてしまった場合であっても、自ら選択したキャラクター画像を容易に（一見して）把握することができる。
【０４１０】
図３２中（Ｃ）：なお、デモ中キャラクター選択演出にて遊技者がキャラクター画像Ｔ６（図２８参照）を選択した場合を想定すると、上述した演出図柄生成処理が行われることにより、演出図柄の並びは、「３」−「４」−「７」の状態のままであるが、「３」の演出図柄のキャラクター画像が、キャラクター画像Ｓ３からキャラクター画像Ｔ６に変更される。この場合、キャラクター画像Ｔ６は、クラブＢに所属するキャラクター画像であるため、「４」の演出図柄、及び「７」の演出図柄に関しても、クラブＢに対応するキャラクター画像Ｔ４，Ｔ７に変更される。なお、表示領域Ｐに関しても、キャラクター画像Ｓ３からキャラクター画像Ｔ６に変更されることとなる。
【０４１１】
図３３は、特別図柄の変動表示及び停止表示に対応させた演出画像の例を示す連続図である。なお、ここでは非当選（はずれ）時の特別図柄の変動について、演出図柄を用いて行われる変動表示演出と停止表示演出の一例を表している。この変動表示演出は、特別図柄（ここでは第１特別図柄とするが、第２特別図柄でもよい。）が変動表示を開始してから、停止表示（確定停止を含む）するまでの間に行われる一連の演出に該当する。また停止表示演出は、特別図柄が停止表示されたことと、そのときの内部抽選の結果を演出図柄の組み合わせとして表す演出である。ここでは先ず、制御処理の具体的な内容を説明する前に、本実施形態で採用されている変動１回ごとの変動表示演出と停止表示演出の基本的な流れについて説明する。
【０４１２】
〔変動表示前〕
図３３中（Ａ）：例えば、特別図柄が変動を開始する前の状態（デモ演出中でない状態）で、液晶表示器４２の画面内には３本の演出図柄の列が大きく表示されている。このとき特別図柄の停止表示に合わせて、演出図柄も停止表示された状態にある。また液晶表示器４２の画面右上の表示領域Ｐには、遊技者が選択したキャラクター画像Ｓ６が表示されている。
【０４１３】
また液晶表示器４２の画面下部には、第１特別図柄及び第２特別図柄それぞれの作動記憶数を表すマーカ（図中に参照符号Ｍ１，Ｍ２を付す）が表示されるものとなっている。これらマーカＭ１，Ｍ２は、それぞれの表示個数が対応する第１特別図柄、第２特別図柄の作動記憶数（第１特別図柄作動記憶ランプ３４ａ、第２特別図柄作動記憶ランプ３５ａの表示数）を表しており、遊技中の作動記憶数の変化に連動して表示個数も増減する。またマーカＭ１，Ｍ２は、視覚的な判別を容易にするため第１特別図柄に対応するマーカＭ１が例えば円（○）の図形で表示され、第２特別図柄に対応するマーカＭ２が例えばハートの図形で表示されている。なお図３３中（Ａ）の例では、マーカＭ１が４つとも点灯表示されることで第１特別図柄の作動記憶数が４個であることを表し、マーカＭ２が全て非表示（破線で示す）になることで第２特別図柄の作動記憶数が０個であることを表している。
【０４１４】
また演出図柄の変動表示中、例えば液晶表示器４２の画面下部には第４図柄（図中に参照符号Ｚ１，Ｚ２を付す）が表示されている。この第４図柄Ｚ１，Ｚ２は、上記の左・中・右演出図柄に続く「第４の演出図柄」であり、演出図柄の変動表示中はこれに同期して変動表示されている。なお第４図柄Ｚ１，Ｚ２は、単純なマーク（例えば「□」の図形）に色彩を付しただけのものであり、例えばその表示色を変化させることで変動表示を表現することができる。第４図柄Ｚ１は、第１特別図柄に対応しており、第４図柄Ｚ２は、第２特別図柄に対応している。
【０４１５】
また第４図柄Ｚ１，Ｚ２については、はずれに対応する態様（例えば白表示色）で停止表示されている。これは、結果表示演出が正しく行われており、パチンコ機１が正常に動作しているということを客観的に明らかにするためのものである。したがって、「はずれ」ではなく、実際に内部抽選の結果が「７ラウンド大当り」や「１４ラウンド大当り」であれば、それらに対応する態様（例えば赤表示色や緑色表示色等）で第４図柄Ｚ１，Ｚ２は停止表示される。
【０４１６】
〔変動表示演出開始〕
図３３中（Ｂ）：例えば第１特別図柄の変動開始に同期して、液晶表示器４２の表示画面上で３本の図柄列がスクロール変動することで変動表示演出が開始される（図柄演出実行手段）。すなわち、第１特別図柄の変動開始に同期して、液晶表示器４２の表示画面内で左演出図柄、中演出図柄、右演出図柄の列が縦方向にスクロールする（流れる）ようにして変動表示演出が開始される。なお図中、演出図柄の変動表示は単に下向きの矢印で示されている。また変動表示中、個々の演出図柄が透けた状態で表示（透過表示）されることにより、このとき表示画面内には演出図柄の背景となる画像（背景画像）が視認しやすい状態で表示されている。
【０４１７】
この場合の背景画像は、例えば夜の繁華街の背景とともに高層ビル群や夜のネオン街が表示され、それらの中に２つの店舗（クラブＡ及びクラブＢ）が溶け込んでいる風景を表現したものである。このような背景画像は、演出上での滞在ステージが例えば「繁華街ステージ」であることを表現している。本実施形態において「繁華街ステージ」は、上記の変動時間短縮機能が非作動であり、また確率変動機能も非作動である通常状態に対応するものとする。この他にも演出上で各種のステージ・ゾーン・モードが設けられており、各種のステージ・ゾーン・モードごとに風景や情景の異なる背景画像が用意されている（状態表示演出実行手段）。これらステージ・ゾーン・モードの違いは、内部的な「時間短縮状態」に対応するものであったり、「高確率状態」に対応するものであったりする。なお、内部状態別に対応するステージ等についてはさらに後述する。ここでは特に図示していないが、この後、例えば表示画面内にキャラクターやアイテム等の画像を表示させることで、予告演出が行われる態様であってもよい。
【０４１８】
また、演出図柄の変動表示中、液晶表示器４２の画面下部では第４図柄Ｚ１が変動表示されており、第４図柄Ｚ１は、その表示色を変化させることで変動表示を表現している。
【０４１９】
〔左図柄停止〕
図３３中（Ｃ）：例えば、ある程度の時間（変動時間の半分程度）が経過すると、最初に左演出図柄が変動を停止する。この例では、画面の中段位置に数字の「５」を表す演出図柄が停止したことを表している。なお、ここでは背景画像の図示を省略している（これ以降も同様）。
【０４２０】
〔作動記憶数減少時の演出例〕
ここで、先の図３３中（Ｂ）に示されているように、変動開始に伴って第１特別図柄の作動記憶数が１個分減少するため、それに連動してマーカＭ１の表示個数が１個分減少されている。例えば、それまでに作動記憶数が４個あったとすると、マーカＭ１において最も以前（古い）の記憶数表示が１個だけ非表示となり、内部抽選によって消費される演出が合わせて行われる。これにより、第１特別図柄に関して作動記憶数が減少したことを演出上でも遊技者に教示することができる。
【０４２１】
そして、図３３中（Ｃ）の例においては、記憶順で先頭にあった作動記憶が消費されて残りが３個になったため、画面上に残った３つのマーカＭ１がそれぞれ１個分ずつ一方向（ここでは左方向）へずれていく演出が行われている。これにより、作動記憶数の変化の前後関係を正確に演出上で表現するとともに、遊技者に対して「作動記憶が消費されて１つ減った」ということを直感的に分かりやすく教示することができる。
【０４２２】
〔右演出図柄停止〕
図３３中（Ｄ）：左演出図柄に続いて、その後に右演出図柄が変動を停止する。この例では、画面の中段位置に数字の「３」を表す演出図柄が停止したことを表している。この時点で既にリーチ状態が発生しないことは確定しているので、今回の変動が非リーチ（通常）変動であるということが見た目上でほとんど明らかとなっている。なお、ここではすべりパターン等によるリーチ変動を除くものとする。「すべりパターン」とは、例えば一旦は数字の「４」を表す演出図柄が停止した後、図柄列が１図柄分すべって数字の「５」を表す演出図柄が停止し、それによってリーチに発展するというものである。あるいは、一旦は数字の「６」を表す演出図柄が停止した後、図柄列が逆向きに１図柄分すべって数字の「５」を表す演出図柄が停止し、それによってリーチに発展するパターンもある。またその他にも、例えば「１」等の全くかけ離れた数字を表す演出図柄が一旦停止した後、画面上にキャラクターが出現して右演出図柄列を再変動させると、数字の「５」を表す演出図柄が停止してリーチに発展するといったパターンもある。
【０４２３】
〔停止表示演出〕
図３３中（Ｅ）：第１特別図柄の停止表示に同期して、最後の中演出図柄が停止する。今回の内部抽選の結果が非当選であって、第１特別図柄が非当選（はずれ）の態様で停止表示される場合、演出図柄も同様に非当選（はずれ）の態様で停止表示演出が行われる。すなわち、図示の例では、画面の中段位置に数字の「１」を表す演出図柄が停止したことを表しており、この場合、演出図柄の組み合わせは「５」−「１」−「３」のはずれ目であるため、今回の変動は通常の「はずれ」に該当したことが演出上で表現されている。このとき、第４図柄Ｚ１は、はずれに対応する態様（例えば白表示色）で停止表示される。
【０４２４】
以上は、１回の変動ごとに演出図柄を用いて行われる変動表示演出と結果表示演出（非当選時）の一例である。このような演出を通じて、遊技者に当選に対する期待感を抱かせるとともに、最終的に内部抽選の結果を演出上で明確に教示することができる。
【０４２５】
また、上記の例は非当選時についてのものであるが、大当り（当選）時には変動表示演出中にリーチ演出が実行された後、結果表示演出において演出図柄が大当りの態様で停止表示される。このとき演出図柄の停止表示態様は、基本的には主制御ＣＰＵ７２によって内部的に選択された当選図柄（第１特別図柄表示装置３４又は第２特別図柄表示装置３５の停止表示態様）に対応させて選択される。
【０４２６】
〔各ステージの説明〕
図３４は、ステージ演出で登場する各ステージについて説明する図である。
図３４中（Ａ）：店内ステージ（クラブＡ）は、キャラクター画像Ａ１〜Ａ７が所属しているクラブＡの店内を表すステージであり、遊技者がキャラクター画像Ａ１〜Ａ６のいずれかを選択した場合に利用される。
【０４２７】
図３４中（Ｂ）：繁華街ステージは、店内ステージとは逆の店外のステージであり、遊技者がいずれのキャラクター画像Ａ１〜Ａ６，Ｂ１〜Ｂ６を選択した場合であっても利用される。
【０４２８】
図３４中（Ｃ）：店内ステージ（クラブＢ）は、キャラクター画像Ｂ１〜Ｂ７が所属しているクラブＢの店内を表すステージであり、遊技者がキャラクター画像Ｂ１〜Ｂ６のいずれかを選択した場合に利用される。
【０４２９】
このため、例えば、遊技者がクラブＡに所属するキャラクター画像Ａ１を選択した場合、クラブＡの店内ステージと繁華街ステージとを行き来することになり、遊技者がクラブＢに所属するキャラクター画像Ｂ１を選択した場合、クラブＢの店内ステージと繁華街ステージとを行き来することになる。したがって、遊技者によりクラブＡに所属するキャラクター画像Ａ１が選択された場合、クラブＢの店内ステージに移行されることはない。
【０４３０】
このため、遊技者が好みのキャラクター画像を選択すると、そのキャラクター画像が属する店舗が自動的に決定され、変動表示演出に際しては、遊技者が選択したキャラクター画像が属する店舗内（クラブＡ又はクラブＢの店内ステージ）での演出が実行されることとなる。したがって、単純に好みのキャラクター画像を選択するという遊技性のみならず、キャラクター画像が属する店舗に関する演出も展開されることとなり、遊技性の多様性を向上させることができる。
【０４３１】
〔ステージ移行時の演出例（１）〕
図３５は、繁華街ステージから店内ステージへステージが移行する際の演出例を示す連続図である。
【０４３２】
〔変動表示演出〕
図３５中（Ａ）：特別図柄の変動開始に略同期して、液晶表示器４２の画面上で左演出図柄、中演出図柄、右演出図柄の列が縦方向（例えば上から下）にスクロールするようにして変動表示演出が開始される。ここでの背景画像は、「繁華街ステージ」に対応する背景画像である。また液晶表示器４２の画面右上の表示領域Ｐには、遊技者が選択したキャラクター画像Ｓ６が表示されている。
【０４３３】
〔ボーイ登場演出〕
図３５中（Ｂ）：次に、変動表示演出の比較的初期において、ボーイ登場演出が行われる。このボーイ登場演出では、ボーイの画像が画面の右側に表示され、そのボーイが「いらっしゃいませ」という言葉を発する演出が行われる。この演出により、遊技者に対してその後にステージ移行するといったことを示唆することができる。
【０４３４】
〔扉閉演出〕
図３５中（Ｃ）：例えば、それまでの背景画像が図３５中（Ａ）に示される「繁華街ステージ」に対応する画像であったとすると、液晶画面の両側から扉が出現し、中央でぴしゃりと閉じる扉閉演出が行われる。このような扉閉演出は、それまでの表示画面を一旦覆い隠すことで、遊技者の目を惹き付ける目的で行われる。なお、画面の左上隅位置では、演出図柄を縮小した状態で変動表示演出が実行されている（「変動中」−「変動中」−「変動中」）。
【０４３５】
〔扉開演出〕
図３５中（Ｄ）：次に、閉じていた扉が表示画面の奥側に移動して、扉が大きく開かれる動作を表す扉開演出が行われる。このような扉開演出は、例えば遊技者に対して、扉が開いた先の結果に興味を抱かせる意味で行われる。なお、画面の左上隅位置では、演出図柄を縮小した状態で変動表示演出が実行されている（「１」−「変動中」−「変動中」）。
【０４３６】
〔ステージ移行演出〕
図３５中（Ｅ）：扉が開かれた段階で、背景画像がクラブＡの店舗内を表す態様に変化する。「店内ステージ」の背景画像は、例えばクラブＡの店内の様子が表現された画像である。このようなステージ移行演出を実行することにより、演出上で異なるステージに移行したことを遊技者に対して視覚的に訴求させることができ、それによって遊技の展開に入り込ませる効果があり、遊技を継続しようとするモチベーションを維持させることができる。
【０４３７】
ここで、遊技者が選択したキャラクター画像Ｓ６は、クラブＡに属するキャラクター画像であるため、ステージの移行先はクラブＡの店内ステージとなる。また、画面の左上隅位置では、演出図柄を縮小した状態で変動表示演出が実行されている（「１」−「変動中」−「５」）。なお、仮に遊技者がクラブＢに属するキャラクター画像を選択していたものとすると、ステージの移行先はクラブＢの店内ステージとなる。
【０４３８】
〔停止表示演出〕
図３５中（Ｆ）：特別図柄の停止表示に同期して、最後の中演出図柄が停止する。特別図柄がはずれ図柄で停止表示されていれば、演出図柄も同様にはずれの態様で結果表示演出が行われる。この結果表示演出は、ステージ移行されたクラブＡの店内ステージにて行われる。
【０４３９】
〔ステージ移行時の演出例（２）〕
図３６は、店内ステージから繁華街ステージへステージが移行する際の演出例を示す連続図である。この演出例は、図３５に示す繁華街ステージから店内ステージへステージが移行する演出例とは逆の演出例である。
【０４４０】
〔変動表示演出〕
図３６中（Ａ）：特別図柄の変動開始に略同期して、液晶表示器４２の画面上で左演出図柄、中演出図柄、右演出図柄の列が縦方向（例えば上から下）にスクロールするようにして変動表示演出が開始される。ここでの背景画像は、「クラブＡの店内ステージ」に対応する背景画像である。
【０４４１】
〔ボーイ登場演出〕
図３６中（Ｂ）：次に、変動表示演出の比較的初期において、ボーイ登場演出が行われる。このボーイ登場演出では、ボーイの画像が画面の右側に表示され、そのボーイが「お帰りですね」という言葉を発する演出が行われる。この演出により、遊技者に対してその後にステージ移行するといったことを示唆することができる。
【０４４２】
〔扉閉演出〕
図３６中（Ｃ）：例えば、それまでの背景画像が図３６中（Ａ）に示される「店内ステージ」に対応する画像であったとすると、液晶画面の両側から扉が出現し、中央でぴしゃりと閉じる扉閉演出が行われる。なお、画面の左上隅位置では、演出図柄を縮小した状態で変動表示演出が実行されている（「変動中」−「変動中」−「変動中」）。
【０４４３】
〔扉開演出〕
図３６中（Ｄ）：次に、閉じていた扉が表示画面の奥側に移動して、扉が大きく開かれる動作を表す扉開演出が行われる。なお、画面の左上隅位置では、演出図柄を縮小した状態で変動表示演出が実行されている（「２」−「変動中」−「変動中」）。
【０４４４】
〔ステージ移行演出〕
図３６中（Ｅ）：扉が開かれた段階で、背景画像が夜の繁華街を表す態様に変化する。「繁華街ステージ」の背景画像は、例えば高層ビル群や夜のネオン街等の様子が表現された画像である。また、画面の左上隅位置では、演出図柄を縮小した状態で変動表示演出が実行されている（「２」−「変動中」−「６」）。
【０４４５】
〔停止表示演出〕
図３６中（Ｆ）：特別図柄の停止表示に同期して、最後の中演出図柄が停止する。特別図柄がはずれ図柄で停止表示されていれば、演出図柄も同様にはずれの態様で結果表示演出が行われる。この結果表示演出は、ステージ移行された繁華街ステージにて行われる。
【０４４６】
〔繁華街ステージでのリーチ演出例〕
図３７及び図３８は、繁華街ステージに滞在している場合に実行されるリーチ演出の流れを示す連続図である。ここではリーチ演出の他に、変動表示演出や停止表示演出及び予告演出が含まれるものとする。その他にも、変動表示演出中に実行される予告演出の一例を説明する。
【０４４７】
以下のリーチ演出は、第１特別図柄表示装置３４において大当り時の変動パターンによる変動表示が行われた後、第１特別図柄が例えば「７ラウンド通常図柄」や「７ラウンド確変図柄」の態様（例えば７セグメントＬＥＤの「己」，「ヨ」，「口」，「巳」，「Ｆ」，「Ｅ」，「Ｌ」，「Γ」等）で停止表示されるまでに実行される。なお図３７及び図３８中、各演出図柄を数字のみに簡略化して示している。また上記のマーカＭ１，Ｍ２や第４図柄Ｚ１，Ｚ２については、ここでの図示を省略している。以下、演出の流れに沿って説明する。
【０４４８】
〔変動表示演出〕
図３７中（Ａ）：特別図柄の変動開始に略同期して、液晶表示器４２の画面上で左演出図柄、中演出図柄、右演出図柄の列が縦方向（例えば上から下）にスクロールするようにして変動表示演出が開始される。また液晶表示器４２の画面右上の表示領域Ｐには、遊技者が選択したキャラクター画像Ｓ６が表示されている。
【０４４９】
〔リーチ発生前予告演出（１段階目）〕
図３７中（Ｂ）：次に、変動表示演出の比較的初期において、遊技者が選択したキャラクター画像Ｓ６を用いた１段階目のリーチ発生前予告演出が行われる。このリーチ発生前予告演出は、予め定められた順序にしたがって１段階から複数段階（例えば２〜５段階）まで、段階的に態様の変化が進行していく予告演出である。このリーチ発生前予告演出で用いられるキャラクター画像は、遊技者が予め選択したキャラクター画像Ｓ６であるため、表示領域Ｐに表示されているキャラクター画像Ｓ６と、予告演出で用いられるキャラクター画像Ｓ６は一致している。そして、このキャラクター画像は、画面上で変動表示されている演出図柄の手前に位置し、例えば画面の左端からひょっこりと出現するようにして表示される（その他の出現の態様でもよい。）。なお、ここでいう「リーチ発生前予告」とは、いずれかの演出図柄が停止表示される前にリーチの可能性や大当りの可能性を予告するという意味である。このような「リーチ発生前予告演出」を実行することで、遊技者に対して「リーチに発展するかも知れない＝大当りの可能性が高まる」という期待感を抱かせる効果が得られる。
【０４５０】
〔リーチ発生前予告演出（２段階目）〕
図３７中（Ｃ）：リーチ発生前予告演出の１段階目の態様が実行された後、続いてリーチ発生前予告演出の態様の変化が２段階目に進行する。ここでは２段階目のリーチ発生前予告演出として、１段階目と同じキャラクター画像Ｓ６を用いた演出が行われている。具体的には、画面の右端から１段階目と同じキャラクター画像Ｓ６が追加で出現し、先に表示されていたキャラクター画像Ｓ６の前面に重なって表示される。また、このとき表示されるキャラクター画像Ｓ６は、先に表示されていたキャラクター画像Ｓ６よりもサイズが大きい。そして、キャラクター画像Ｓ６で表現されたキャラクターが台詞（例えば「リーチになるよ」等）を発するという、音響出力による演出もあわせて行われる。
【０４５１】
このような２段階目のリーチ発生前予告演出は、先の図３７中（Ｂ）で行われたリーチ発生前予告演出（１段階目）からさらに一歩進んだ発展型である。このように発展していく「リーチ発生前予告演出」の態様を称して、一般的に「ステップアップ予告」等と表現することがある。ここではリーチ発生前予告演出で２段階目の絵柄画像が出現する例を挙げているが、３段階目、４段階目、５段階目の絵柄画像が次々と出現して表示される演出態様であってもよい。また、例えば３段階目、４段階目、５段階目の絵柄画像が次々と出現して表示されるごとに、そのサイズが拡大されるものとしてもよい。ただし、これらの段階に進んでもリーチ発生前予告演出に用いられるキャラクター画像は、基本的には同一のキャラクター画像Ｓ６が用いられる。なお、この段階でも演出図柄の変動表示は継続されている。いずれにしても、リーチ発生前予告演出の態様の変化をより多くの段階まで進行させることにより、今回の変動で大当りになる可能性（期待度）が高いことを遊技者に示唆することができる（例えば、５段階目まで進行すると最大の期待度を示唆する等。）。
【０４５２】
〔左演出図柄の停止〕
図３７中（Ｄ）：変動表示演出の中期にさしかかり、やがて左演出図柄の変動表示が停止される。なお、この時点で画面の左側位置に数字の「６」を表す演出図柄が停止している。
【０４５３】
〔リーチ状態の発生〕
図３７中（Ｅ）：そして左演出図柄に続き、例えば右演出図柄の変動表示が停止される。この時点で、画面の右側位置には数字の「６」を表す演出図柄が停止していることから、画面上に横一線状（１本のライン上）に数字の「６」−「変動中」−「６」のリーチ状態が発生している。そして画面上には、リーチ状態となる１本のラインを強調する画像が合わせて表示される。また、合わせて「リーチ！」等の音声を出力する演出が行われる。なお、リーチ状態が発生した場合、それ以降は全画面表示によるリーチ演出が行われるようになることが多いため、リーチ状態が発生した時点で、表示領域Ｐとともに、キャラクター画像Ｓ６を消去するようにしてもよい。
【０４５４】
〔ゲームリーチ演出〕
図３８中（Ｆ）：例えば画面の中央に「ゲームリーチ」の文字の画像が出現し、画面の右側に遊技者が選択したキャラクター画像Ｓ６が出現する演出が行われる。これにより、遊技者に対してこれから遊技者が選択したキャラクター画像Ｓ６によってゲームリーチ演出が展開するということを教示することができる。現在の滞在ステージは、繁華街ステージであるため、繁華街のモチーフに沿ったリーチ演出（例えば、ゲームセンター内での演出）が行われる。なお、画面の左上隅位置では、演出図柄を縮小した状態で変動表示演出が実行されている（「６」−「変動中」−「６」）。
【０４５５】
図３８中（Ｇ）：例えばクレーンゲームのアームが「ぬいぐるみ」を掴みながら、画面の左側から右側へ移動していく演出が行われている。そして、画面右下の景品取り出し口に「ぬいぐるみ」を無事に落下させることができれば、大当りとなる展開である。
【０４５６】
〔結果表示演出（はずれ時）〕
図３８中（Ｈ）：「失敗・・」の文字とともに、「ぬいぐるみ」が景品取り出し口に落下しない演出が行われると、はずれ（非当選）であることを意味している。画面の左上隅位置では、演出図柄を縮小した状態で結果表示演出が実行されている（「６」−「７」−「６」）。
【０４５７】
図３８中（Ｉ）：この場合は、特別図柄の確定停止表示に略同期して、演出図柄としての結果表示演出についても確定停止表示が行われる。演出図柄の確定停止表示は、例えば左・中・右演出図柄をそれぞれ初期の大きさに復元した状態で行われる。
【０４５８】
〔結果表示演出（当り時）〕
図３８中（Ｊ）：「成功！！」の文字とともに、「ぬいぐるみ」が景品取り出し口に落下する演出が行われると、当り（当選）であることを意味している。画面の左上隅位置では、演出図柄を縮小した状態で結果表示演出が実行されている（「６」−「６」−「６」）。
【０４５９】
図３８中（Ｋ）：この場合は、特別図柄の確定停止表示に略同期して、演出図柄としての結果表示演出についても確定停止表示が行われる。演出図柄の確定停止表示は、例えば左・中・右演出図柄をそれぞれ初期の大きさに復元した状態で行われる。このような確定停止表示を行うことで、最終的な当選種類が演出上で確定したことを遊技者に対して教示することができる。
【０４６０】
〔店内ステージでのリーチ演出例〕
図３９及び図４０は、店内ステージに滞在している場合に実行されるリーチ演出の流れを示す連続図である。ここではリーチ演出の他に、変動表示演出や停止表示演出及び予告演出が含まれるものとする。その他にも、変動表示演出中に実行される予告演出の一例を説明する。
【０４６１】
以下のリーチ演出は、第１特別図柄表示装置３４において大当り時の変動パターンによる変動表示が行われた後、第１特別図柄が例えば「７ラウンド通常図柄」や「７ラウンド確変図柄」の態様（例えば７セグメントＬＥＤの「己」，「ヨ」，「口」，「巳」，「Ｆ」，「Ｅ」，「Ｌ」，「Γ」等）で停止表示されるまでに実行される。以下、演出の流れに沿って説明する。なお、以下の説明では、上述したリーチ演出の演出例と共通する事項については、その説明を適宜省略する。
【０４６２】
〔変動表示演出〕
図３９中（Ａ）：特別図柄の変動開始に略同期して、液晶表示器４２の画面上で左演出図柄、中演出図柄、右演出図柄の列が縦方向（例えば上から下）にスクロールするようにして変動表示演出が開始される。また液晶表示器４２の画面右上の表示領域Ｐには、遊技者が選択したキャラクター画像Ｓ６が表示されている。
【０４６３】
〔リーチ発生前予告演出（１段階目）〕
図３９中（Ｂ）：次に、変動表示演出の比較的初期において、遊技者が選択したキャラクター画像Ｓ６を用いた１段階目のリーチ発生前予告演出が行われる。このリーチ発生前予告演出で用いられるキャラクター画像Ｓ６は、先の繁華街ステージのリーチ演出で説明したものと同様に、遊技者が予め選択したキャラクター画像Ｓ６である。したがって、液晶表示器４２の表示領域Ｐに表示されているキャラクター画像Ｓ６と、予告演出で用いられるキャラクター画像Ｓ６は一致している。
【０４６４】
〔リーチ発生前予告演出（２段階目）〕
図３９中（Ｃ）：リーチ発生前予告演出の１段階目の態様が実行された後、続いてリーチ発生前予告演出の態様の変化が２段階目に進行する。ここでは２段階目のリーチ発生前予告演出として、１段階目と同じキャラクター画像Ｓ６を用いた演出が行われている。具体的には、画面の右端から１段階目と同じキャラクター画像Ｓ６が追加で出現し、先に表示されていたキャラクター画像Ｓ６の前面に重なって表示される。
【０４６５】
〔左演出図柄の停止〕
図３９中（Ｄ）：変動表示演出の中期にさしかかり、やがて左演出図柄の変動表示が停止される。なお、この時点で画面の左側位置に数字の「５」を表す演出図柄が停止している。
【０４６６】
〔リーチ状態の発生〕
図３９中（Ｅ）：そして左演出図柄に続き、例えば右演出図柄の変動表示が停止される。この時点で、画面の右側位置には数字の「５」を表す演出図柄が停止していることから、画面上に横一線状（１本のライン上）に数字の「５」−「変動中」−「５」のリーチ状態が発生している。そして画面上には、リーチ状態となる１本のラインを強調する画像が合わせて表示される。また、合わせて「リーチ！」等の音声を出力する演出が行われる。
【０４６７】
〔化粧リーチ演出〕
図４０中（Ｆ）：例えば画面の中央に「化粧リーチ」の文字の画像が出現し、画面の右側に遊技者が選択したキャラクター画像Ｓ６が出現する演出が行われる。また、キャラクター画像Ｓ６で表現された女性キャラクターの周囲には、女性キャラクターが化粧（メイク）に使用する綿つきのスティック（メイク道具）や口紅の画像が表示される演出が行われている。これにより、遊技者に対してこれから遊技者が選択したキャラクター画像Ｓ６によって化粧リーチ演出が展開されるということを教示することができる。また現在の滞在ステージは、店内ステージであるため、店内のモチーフに沿ったリーチ演出（例えば、店内の控え室内での演出）が行われる。なお、画面の左上隅位置では、演出図柄を縮小した状態で変動表示演出が実行されている（「５」−「変動中」−「５」）。
【０４６８】
図４０中（Ｇ）：例えば遊技者が選択したキャラクター画像Ｓ６により表現された女性キャラクターが「スティック」や「口紅」を使いながら、自らの顔面に化粧を施している演出が行われている。そして、この化粧が上手くいけば、大当りとなる展開である。
【０４６９】
〔結果表示演出（はずれ時）〕
図４０中（Ｈ）：「いまいち・・」の文字とともに、さえない表情を浮かべるキャラクター画像Ｓ６が表示されると、はずれ（非当選）であることを意味している。画面の左上隅位置では、演出図柄を縮小した状態で結果表示演出が実行されている（「５」−「６」−「５」）。
【０４７０】
図４０中（Ｉ）：この場合は、特別図柄の確定停止表示に略同期して、演出図柄としての結果表示演出についても確定停止表示が行われる。演出図柄の確定停止表示は、例えば左・中・右演出図柄をそれぞれ初期の大きさに復元した状態で行われる。
【０４７１】
〔結果表示演出（当り時）〕
図４０中（Ｊ）：「ばっちり！！」の文字とともに、にこやかな表情を浮かべるキャラクター画像Ｓ６が表示されると、当り（当選）であることを意味している。なお、画面の左上隅位置では、演出図柄を縮小した状態で結果表示演出が実行されている（「５」−「５」−「５」）。
【０４７２】
図４０中（Ｋ）：この場合は、特別図柄の確定停止表示に略同期して、演出図柄としての結果表示演出についても確定停止表示が行われる。演出図柄の確定停止表示は、例えば左・中・右演出図柄をそれぞれ初期の大きさに復元した状態で行われる。このような確定停止表示を行うことで、最終的な当選種類が演出上で確定したことを遊技者に対して教示することができる。
【０４７３】
上述した「ゲームリーチ演出」や「化粧リーチ演出」は、同一の変動パターンによって実行されている（例えば、図１８に示す変動パターン「１５」等）。すなわち、１つの変動パターン（同じ変動パターン）であっても、滞在ステージに応じて、滞在ステージ専用のリーチ演出が実行されるため、演出内容を多様化することができるとともに、メイン制御側での変動パターンの容量を削減することができる。
【０４７４】
〔繁華街ステージ及び店内ステージ共通のリーチ演出例〕
図４１〜図４３は、滞在ステージに関わらずに実行されるリーチ演出の流れを示す連続図である。なお以下の説明では、上述した各リーチ演出の演出例と共通する事項については、その説明を適宜省略する。
【０４７５】
〔変動表示演出〕
図４１中（Ａ）：特別図柄の変動開始に略同期して、液晶表示器４２の画面上で左演出図柄、中演出図柄、右演出図柄の列が縦方向（例えば上から下）にスクロールするようにして変動表示演出が開始される。また液晶表示器４２の画面右上の表示領域Ｐには、遊技者が選択したキャラクター画像Ｓ６が表示されている。なお、ここでの背景画像は、「繁華街ステージ」に対応する背景画像であっても、「店内ステージ」に対応する背景画像であってもよい。
【０４７６】
〔リーチ発生前予告演出（１段階目）；チャンスアップ〕
図４１中（Ｂ）：次に、変動表示演出の比較的初期において、キャラクター画像を用いた１段階目のリーチ発生前予告演出が行われる。このリーチ発生前予告演出で用いられるキャラクター画像は、先の繁華街ステージや店内ステージのリーチ演出で説明した通常予告演出とは異なり、遊技者が予め選択したキャラクター画像Ｓ６ではなく、代表キャラクター画像Ｓ７を利用した強予告演出となっている。したがって、液晶表示器４２の画面右上の表示領域Ｐに表示されているキャラクター画像Ｓ６と、強予告演出で用いられる代表キャラクター画像Ｓ７とは一致していない。なお、強予告演出とは、通常予告演出よりも当選の態様で演出図柄が停止表示される可能性が高いことを示唆する演出である。
【０４７７】
〔リーチ発生前予告演出（２段階目）〕
図４１中（Ｃ）：リーチ発生前予告演出の１段階目の態様が実行された後、続いてリーチ発生前予告演出の態様の変化が２段階目に進行する。ここでは２段階目のリーチ発生前予告演出として、１段階目と同じ代表キャラクター画像Ｓ７を用いた演出が行われている。具体的には、画面の右端から１段階目と同じ代表キャラクター画像Ｓ７が追加で出現し、先に表示されていた代表キャラクター画像Ｓ７の前面に重なって表示される。そして、代表キャラクター画像Ｓ７で表現されたキャラクターが台詞（例えば「熱いわ！」等）を発するという、音響出力による演出もあわせて行われる。
【０４７８】
〔リーチ発生前予告演出（１段階目）〕
図４１中（Ｄ）：ここで説明するリーチ発生前予告演出は、図４１中（Ｂ）（Ｃ）にて説明した強予告演出よりも、さらに当選の態様で演出図柄が停止表示される可能性が高いことを示唆する演出である（大当り確定予告演出としてもよい）。
【０４７９】
変動表示演出の比較的初期において、キャラクター画像を用いた１段階目のリーチ発生前予告演出が行われる。このリーチ発生前予告演出で用いられるキャラクター画像は、先の強予告演出で説明したものとも異なり、特殊なキャラクターを採用した特殊キャラクター画像Ｃ１である。したがって、液晶表示器４２の画面右上の表示領域Ｐに表示されているキャラクター画像Ｓ６と、この予告演出で用いられる特殊キャラクター画像Ｃ１とは一致していない。
【０４８０】
〔リーチ発生前予告演出（２段階目）〕
図４１中（Ｅ）：リーチ発生前予告演出の１段階目の態様が実行された後、続いてリーチ発生前予告演出の態様の変化が２段階目に進行する。ここでは２段階目のリーチ発生前予告演出として、１段階目と同じ特殊キャラクター画像Ｃ１を用いた演出が行われている。具体的には、画面の右端から１段階目と同じ特殊キャラクター画像Ｃ１が追加で出現し、先に表示されていた特殊キャラクター画像Ｃ１の前面に重なって表示される。そして、特殊キャラクター画像Ｃ１で表現されたキャラクターが台詞（例えば「もらったわ！」等）を発するという、音響出力による演出もあわせて行われる。
【０４８１】
〔左演出図柄の停止〕
図４１中（Ｆ）：変動表示演出の中期にさしかかり、やがて左演出図柄の変動表示が停止される。なお、この時点で画面の左側位置に数字の「７」を表す演出図柄が停止している。
【０４８２】
〔リーチ状態の発生〕
そして左演出図柄に続き、例えば右演出図柄の変動表示が停止される。この時点で、画面の右側位置には数字の「７」を表す演出図柄が停止していることから、画面上に横一線状（１本のライン上）に数字の「７」−「変動中」−「７」のリーチ状態が発生している。そして画面上には、リーチ状態となる１本のラインを強調する画像が合わせて表示される。また、合わせて「リーチ！」等の音声を出力する演出が行われる。
【０４８３】
〔リーチ発生後予告演出〕
図４１中（Ｇ）：リーチ状態が発生して暫くすると、例えば「ハート」の図形を表す画像が群をなして画面上を斜めに過ぎっていくリーチ発生後予告演出が行われる。この場合、突然、画面上に「ハート群」の画像が流れていくように表示されるため、これによって遊技者に対する視覚的な訴求力を高めることができる。このような視覚的に賑やかなリーチ発生後予告演出を実行することで、遊技者に対してさらに大きな期待感を抱かせる効果が得られる。
【０４８４】
〔散歩リーチ演出〕
図４２中（Ｈ）：例えば画面の中央に「散歩リーチ」の文字の画像が出現し、代表キャラクターの画像Ｓ７が出現する演出が行われる。これにより、代表キャラクターの画像Ｓ７によって散歩リーチ演出が展開するということを教示することができる。なお、画面の左上隅位置では、演出図柄を縮小した状態で変動表示演出が実行されている（「７」−「変動中」−「７」）。
【０４８５】
また「散歩リーチ演出」は、遊技者により選択されたキャラクター画像Ｓ６ではなく、キャラクター画像Ｓ６が所属している店舗の代表キャラクター画像Ｓ７を利用して実行される。
【０４８６】
この「散歩リーチ演出」は、滞在ステージに関わらずに実行されるリーチ演出であるため、「繁華街」や「店内」のモチーフとは異なる場面でのリーチ演出（例えば、公園内での演出）として実行される。また「散歩リーチ演出」は、上述した「ゲームリーチ演出」や「化粧リーチ演出」等の通常リーチ演出よりも当選の態様で演出図柄が停止表示される可能性が高いことを示唆する強リーチ演出である。
【０４８７】
上述した「ゲームリーチ演出」や「化粧リーチ演出」等の通常リーチ演出を実行する場合は、遊技者が選択した「キャラクター画像Ｓ６」によって「ゲームリーチ演出」や「化粧リーチ演出」等の通常リーチ演出が実行されるが、この散歩リーチ演出（強リーチ演出）においては、遊技者が選択した「キャラクター画像Ｓ６」が属する店舗（クラブＡ）の「代表キャラクター画像Ｓ７」を利用してリーチ演出が実行される。
【０４８８】
したがって、遊技者によりキャラクター画像Ｓ１〜Ｓ６が選択されていれば、代表キャラクター画像Ｓ７によって散歩リーチが展開されるが、遊技者によりキャラクター画像Ｔ１〜Ｓ６が選択されていれば、代表キャラクター画像Ｔ７によって散歩リーチが展開される。なお、代表キャラクター画像Ｓ７，Ｔ７ではなく、チャンスアップキャラクターや大当り確定キャラクターとして「特殊キャラクター画像Ｃ１」（図４１中（Ｄ）（Ｅ）参照）を利用して散歩リーチ演出を行ってもよい。
【０４８９】
図４２中（Ｉ）：例えば代表キャラクター画像Ｓ７により表現される女性キャラクターが公園内の道路上にたたずんでいる演出が行われており、その女性キャラクターが遊技者を見つめている演出が行われている。なお、画面の左上隅位置では、演出図柄を縮小した状態で変動表示演出が実行されている（「７」−「変動中」−「７」）。
【０４９０】
図４２中（Ｊ）：そして、その代表キャラクター画像Ｓ７で表現された女性キャラクターが首をかしげながら徐々に大きく表示される演出が行われる。この演出は、女性キャラクターが近づいてくるような演出となるため、遊技者の緊張感を向上させることができる。なお、画面の左上隅位置では、演出図柄を縮小した状態で変動表示演出が実行されている（「７」−「変動中」−「７」）。
【０４９１】
図４３中（Ｋ）：その後、代表キャラクター画像Ｓ７で表現された女性キャラクターがさらに大きく表示され、女性キャラクターの顔がアップで表示される演出が行われる。この場合、そのキャラクターが何らかの台詞を発するという内容（又は、無言のままという内容でもよい）の演出が行われる。図示の例では、真剣な表情の女性キャラクターが表示されている。
【０４９２】
この状態において、代表キャラクター画像Ｓ７で表現された女性キャラクターがにっこり笑えば当りとなり、女性キャラクターが泣いてしまえばはずれとなる展開である。したがって、この局面は散歩リーチ演出の最終段階であり、遊技としても最も盛り上がる部分である。そのため、適宜カットイン予告等をこの場面で同時に行ってもよい。なお、画面の左上隅位置では、演出図柄を縮小した状態で変動表示演出が実行されている（「７」−「変動中」−「７」）。
【０４９３】
〔結果表示演出（はずれ時）〕
図４３中（Ｌ）：「ごめんね・・」の文字とともに、代表キャラクター画像Ｓ７で表現された悲しげな表情を浮かべる女性キャラクターが表示されると、はずれ（非当選）であることを意味している。画面の左上隅位置では、演出図柄を縮小した状態で結果表示演出が実行されている（「７」−「１」−「７」）。
【０４９４】
図４３中（Ｍ）：この場合は、特別図柄の確定停止表示に略同期して、演出図柄としての結果表示演出についても確定停止表示が行われる。演出図柄の確定停止表示は、例えば左・中・右演出図柄をそれぞれ初期の大きさに復元した状態で行われる。
【０４９５】
〔結果表示演出（当り時）〕
図４３中（Ｎ）：「ありがとう！！」の文字とともに、代表キャラクター画像Ｓ７で表現された満面の笑みを浮かべる女性キャラクターが表示されると、当り（当選）であることを意味している。画面の左上隅位置では、演出図柄を縮小した状態で結果表示演出が実行されている（「７」−「７」−「７」）。
【０４９６】
図４３中（Ｏ）：この場合は、特別図柄の確定停止表示に略同期して、演出図柄としての結果表示演出についても確定停止表示が行われる。演出図柄の確定停止表示は、例えば左・中・右演出図柄をそれぞれ初期の大きさに復元した状態で行われる。このような確定停止表示を行うことで、最終的な当選種類が演出上で確定したことを遊技者に対して教示することができる。
【０４９７】
このように、遊技中に頻繁に実行される通常予告演出（通常リーチ演出）に関しては遊技者が選択したキャラクター画像Ｓ６が用いられることとなるが、通常予告演出よりもチャンスアップとなる強予告演出（強リーチ演出）に関しては代表キャラクター画像Ｓ７等が用いられることとなり、多様な遊技性を実現することができる。
【０４９８】
〔大役中演出（特別遊技演出）〕
図４４及び図４５は、７ラウンド大当り遊技中に実行される大役中演出の例を部分的に示す連続図である。
【０４９９】
〔１ラウンド〕
図４４中（Ａ）：大当り遊技の１ラウンド目が開始されると、「大当り中」という遊技の進行状況に対応した内容の大役中演出が実行される。大役中演出では、例えば画面内に「ＲＯＵＮＤ１」のラウンド数に対応する文字情報が表示される。また画面の右下隅位置には、今回の当選図柄に対応した演出図柄（ここでは数字の「６」）が表示されている。このように、大当り遊技中も引き続き当選図柄（いわゆる「残し目」）を表示しておくことで、遊技者に対して「６の演出図柄で当選した」という情報を引き続き教示することができる。また、表示画面の左側領域には、大当り遊技が開始される前に遊技者により選択されていたキャラクター画像Ｓ６が表示されている（第１キャラクター演出）。これにより、大当り遊技においても、遊技者により選択されていたキャラクター画像Ｓ６が引き続き登場することを示唆している。
【０５００】
〔２ラウンド、継続可否演出〕
図４４中（Ｂ）：大当り遊技の２ラウンド目からは、遊技者が選択したキャラクター画像Ｓ６に関する遊技が、大当り遊技の終了後にも継続するか否かの継続可否演出が実行される。図示の例では、「ダーツチャンス」の文字が表示されるとともに、ダーツの的の画像が表示される演出が行われている。
【０５０１】
〔３ラウンド〕
図４４中（Ｃ）：大当り遊技の３ラウンド目では、遊技者が選択したキャラクター画像Ｓ６により表現された女性キャラクターよって、ダーツの矢が投げられる演出が行われる。この際、女性キャラクターの投げた矢が的の中央に刺されば成功となり、女性キャラクターの投げた矢が的に刺ささらなければ失敗となる展開である。
【０５０２】
〔４ラウンド、非継続演出〕
図４５中（Ｄ）：キャラクター画像Ｓ６により表現された女性キャラクターの投げた矢がダーツの的に刺さらない態様の演出が行われると、遊技者が選択したキャラクター画像Ｓ６に関する遊技が継続しないことを意味する非継続演出が行われる。この演出が選択される場合は、「７ラウンド通常大当り１〜３」、「７ラウンド確変大当り２」に該当していた場合である。
【０５０３】
〔７ラウンド〕
図４５中（Ｅ）：そして、最終の７ラウンドに移行すると、画面内には「ＲＯＵＮＤ７」のラウンド数に対応する文字情報が表示される。図示の例では、遊技者が選択したキャラクター画像Ｓ６が「またね！」の言葉を発する演出が行われている。つまり、この場合は最初に選択されたキャラクター画像Ｓ６（第１キャラクター）について演出上での進展ないし決着は見られず、むしろキャラクター画像Ｓ６から演出上で距離をおかれたかのような印象があるため、そこから最初の選択したキャラクター画像Ｓ６について「未だ完了（クリア）していない」という観念が遊技者に想起される。
【０５０４】
〔大役終了時〕
図４５中（Ｆ）：大当り遊技が終了するタイミング（終了処理中）において、この後に移行する内部状態を教示する内容の大役終了演出が実行される。この例では、例えば画面内に「祭りゾーン突入」という文字情報が表示されている。このような大役終了演出を実行することにより、大当り遊技終了後の特典として「祭りゾーン」（非時間短縮状態での低確率状態又は高確率状態）に移行することを遊技者に教示することができる。
【０５０５】
〔４ラウンド、継続演出〕
図４５中（Ｇ）：一方、キャラクター画像Ｓ６により表現された女性キャラクターの投げた矢がダーツの中央に刺ささる態様の演出が行われると、遊技者が選択したキャラクター画像Ｓ６に関する遊技が、大当り遊技が終了した後にも継続することを意味する継続演出が行われる。この演出が選択される場合は、「７ラウンド確変大当り１」に該当していた場合である。
【０５０６】
〔７ラウンド〕
図４５中（Ｈ）：そして、最終の７ラウンドに移行すると、画面内には「ＲＯＵＮＤ７」のラウンド数に対応する文字情報が表示される。図示の例では、遊技者により選択されたキャラクター画像Ｓ６により表現された女性キャラクターが「がんばるぞ！」といった言葉を発する画像が表示されている。
【０５０７】
〔大役終了時〕
図４５中（Ｉ）：大当り遊技が終了するタイミング（終了処理中）において、この後に移行する内部状態を教示する内容の大役終了演出が実行される。この例では、例えば画面内に「花火モード突入」という文字情報が表示されている。このような大役終了演出を実行することにより、大当り遊技終了後の特典として「花火モード」（時間短縮状態での高確率状態）に移行することを遊技者に教示することができる。
【０５０８】
本実施形態では、ゲームフロー上で初当りから「花火モード」に移行する場合、最初に選択されたキャラクター画像Ｓ６について初回大当り遊技中の演出で「完了」とはならず、「花火モード」からの大当り中に持ち越しとなる。つまり、この場合は最初に選択されたキャラクター画像Ｓ６（第１キャラクター）について演出上での進展ないし決着は見られず、引き続きキャラクター画像Ｓ６の選択が有効（継続中）であるとの印象を遊技者に与え、キャラクター画像Ｓ６について「完了した」という観念が遊技者に想起されることを防止している。
【０５０９】
〔大役中演出（特別遊技演出）〕
次に図４６及び図４７は、例えばゲームフロー上の通常状態（図２７の〔Ｆ１〕）から「１４ラウンド確変大当り１」に該当した場合の大役遊技中に実行される大役中演出の例を部分的に示す連続図である。
【０５１０】
〔１ラウンド〕
図４６中（Ａ）：大当り遊技の１ラウンド目が開始されると、「大当り中」という遊技の進行状況に対応した内容の大役中演出が実行される。大役中演出では、例えば画面内に「ＲＯＵＮＤ１」のラウンド数に対応する文字情報が表示される。また画面の右下隅位置には、今回の当選図柄に対応した演出図柄（ここでは数字の「７」）が表示されている。このように、大当り遊技中も引き続き当選図柄（いわゆる「残し目」）を表示しておくことで、遊技者に対して「７の演出図柄で当選した」という情報を引き続き教示することができる。
【０５１１】
〔第１キャラクター演出〕
また、表示画面の左側領域には、大当り遊技が開始される前に遊技者により選択されていたキャラクター画像Ｓ６（第１キャラクター）が表示されている。さらに、表示画面の下側中央領域には、「スペシャルボーナス」の文字が表示されている。このように、初当り時に「１４ラウンド確変大当り１」に該当すると、最初に遊技者が選択していたキャラクター画像６をメインに登場させた大当り遊技中の演出（第１キャラクター演出）が例えば１ラウンド目から実行されることになる。
【０５１２】
〔２ラウンド〕
図４６中（Ｂ）：大当り遊技の２ラウンド目からは、大役中演出として遊技者が選択したキャラクター画像Ｓ６に関する特殊演出が実行される。この場合、先に説明した継続可否演出に続く継続演出や、後述する完了可否演出に続く完了演出は実行されない。図示の例では、ワイングラスの画像とともに、遊技者が選択したキャラクター画像Ｓ６のスペシャル映像等が表示されている。
【０５１３】
〔５ラウンド〕
図４６中（Ｃ）：大当り遊技の５ラウンド目に関しても、引き続き、遊技者が選択したキャラクター画像Ｓ６のスペシャル映像等が、シャンデリアの画像とともに表示されている。
【０５１４】
〔完了演出〕
本実施形態では、通常状態からの当選時に「１４ラウンド確変大当り１」に該当した場合、最初に選択していたキャラクター（例えばキャラクター画像６で表される第１キャラクター）については、大当りの時点で無条件に「完了（クリア）」となる。したがって、この場合はキャラクター画像Ｓ６に関する特殊演出が「完了演出」に相当する。すなわち、図４６中（Ｂ），（Ｃ）に示されているように、演出上でキャラクター画像Ｓ６が遊技者に対して強い親近感を抱く様子が表現されることで、遊技者に対して「最初の選択したキャラクターに対する進展ないし決着がついた」という観念を想起させることができる。また、このような態様の「完了演出」は、例えば大当り遊技の１ラウンド目から９ラウンド目（中間回数）までの間に実行される。なお、選択したキャラクター画像Ｓ６を登場させる演出は、２ラウンド目以降から開始されることとしてもよい。
【０５１５】
〔１０ラウンド、大役中新キャラクター選択演出〕
図４７中（Ｄ）：大当り遊技の１０ラウンド目では、遊技者が選択していたキャラクター画像Ｓ６以外のキャラクター画像Ｓ１〜Ｓ５を選択するための大役中新キャラクター選択演出が実行される。この際、新たに選択可能となるキャラクター画像は、今回クリア（完了演出の対象）となるキャラクター画像Ｓ６以外のキャラクター画像Ｓ１〜Ｓ５（第２キャラクター）である。しかも、新たに選択可能となるキャラクター画像は、今回クリアとなるキャラクター画像Ｓ６が所属している店舗（クラブＡ）のみから選択可能であり、他の店舗（クラブＢ）のキャラクター画像Ｔ１〜Ｔ６は選択することができない。
【０５１６】
キャラクター画像の選択方法は、上述したデモ中キャラクター選択演出での操作方法と同様であり、遊技者は、演出切替ボタン４５及びジョグダイアル４５ａを操作して好みのキャラクター画像を選択することができる（第２選択操作受付手段）。ここでは、遊技者によりキャラクター画像Ｓ１が選択されたものとする。なお、大役中新キャラクター選択演出は、１０ラウンド目で行うこととしているが、１０ラウンド目のみらずその後の複数ラウンド（１０ラウンド目から最終ラウンド）にまたがって演出を継続させてもよい。なお、大当り中ラウンド動作の１４回目が最終ラウンド（１４ラウンド）となる。
【０５１７】
大当り遊技の１０ラウンド目にて、大役中新キャラクター選択演出を実行している理由は、新たなキャラクター画像を選択する演出を最終ラウンド（１４ラウンド）より手前のラウンドで行うことにより、大役中新キャラクター選択演出に対して充分な時間を確保し、新たなキャラクター画像を選択する演出（選択演出）が途中で終了してしまうことを防止するためである。
【０５１８】
〔１４ラウンド〕
図４７中（Ｅ）：そして、最終の１４ラウンドに移行すると、画面内には「ＲＯＵＮＤ１４」のラウンド数に対応する文字情報が表示され、遊技者が新たに選択したキャラクター画像Ｓ１により表現された女性キャラクターが「よろしくね！」という台詞を発する演出が実行される。この演出により、次の遊技対象となるキャラクター画像Ｓ１を遊技者に対して印象付けることができる。
【０５１９】
〔大役終了時〕
図４７中（Ｆ）：大当り遊技が終了するタイミング（終了処理中）において、この後に移行する内部状態を教示する内容の大役終了演出が実行される。この例では、例えば画面内に「花火モード突入」という文字情報が表示されている。このような大役終了演出を実行することにより、大当り遊技終了後の特典として「花火モード」（時間短縮状態での高確率状態）に移行することを遊技者に教示することができる。
【０５２０】
〔祭りゾーンの演出例〕
図４８は、祭りゾーンの演出例を示す連続図である。なお、祭りゾーンは、「７ラウンド通常大当り１〜３」、「７ラウンド確変大当り２」の大役遊技後に移行されるゾーンであり、低確率状態又は高確率状態での非時間短縮状態に該当する。以下、演出の流れについて順を追って説明する。
【０５２１】
図４８中（Ａ）：例えば、大当り遊技終了後から１回目の変動表示が行われることで、「祭りゾーン」の状態で演出図柄の変動表示が行われている。祭りゾーンの背景画像は、祭りを深く印象付けるために、「太鼓」や「提灯」、「うちわ」等の画像をモチーフとした背景画像となっている。
【０５２２】
図４８中（Ｂ）：そして、大当り遊技終了後から１回目の変動（非当選時）が終了したことにより、すべての演出図柄が停止表示されている（「２」−「２」−「５」）。
【０５２３】
図４８中（Ｃ）：次回の変動が開始されると、大当り遊技終了後から２回目の変動表示が行われる。この祭りゾーンは、規定の変動回数（例えば４０変動）が経過した段階で終了となる。そして、祭りゾーンが終了すると、「繁華街ステージ」又は「店内ステージ」に移行される。
【０５２４】
〔花火モードの演出例〕
図４９は、花火モードの演出例を示す連続図である。なお、花火モードは、「７ラウンド確変大当り１」、「１４ラウンド確変大当り１，２」の大役遊技後に移行されるモードであり、時間短縮状態での高確率状態に該当する。以下、演出の流れについて順を追って説明する。
【０５２５】
図４９中（Ａ）：例えば、大当り遊技終了後から１回目の変動表示が行われることで、「花火モード」の状態で演出図柄の変動表示が行われている。花火モードの背景画像は、花火のモチーフを深く印象付けるために、「夜空に花火が打ち上げられる情景」とともに、遊技者が前回の大当り中に選択したキャラクターが花火を観賞している背景画像となっている。「花火モード」に関しては、遊技者が前回の大当り遊技中に選択したキャラクターの画像を画面一杯に表示させて演出を行うために、演出図柄は、画面の左上隅位置で縮小した状態で変動表示演出が実行されている（「変動中」−「変動中」−「変動中」）。
【０５２６】
このように、先の大当り遊技中に２番目のキャラクター（第２キャラクター）が有効に選択された場合は、大当り遊技終了後に行われる特別図柄の変動表示と並行して、２番目のキャラクターを出現させるキャラクター演出表示（第２キャラクター演出表示）を行うとともに、大当り遊技終了後から次回（再度）の大当り遊技状態となるまでの所定期間（例えば「高確率状態」）において、特別図柄の変動表示を実行する度に２番目のキャラクター演出表示を毎回連続的に実行することが好適である。これにより、遊技者に対して先の大当り遊技中に２番目のキャラクターを選択できたという達成感をより強く与えることが可能となる。なお、第２キャラクター演出表示において、第２キャラクターを主役のごとくメインで活躍させる演出表示とするとより効果的である。
【０５２７】
なお、ここでは便宜上、初当り時の「７ラウンド確変大当り１」から花火モードに移行した場合を考慮して、キャラクター画像Ｓ６を演出例に用いているが、ゲームフロー上で通常状態（図２７の〔Ｆ１〕）から「１４ラウンド確変大当り１」に該当すると、その大当り遊技中に次のキャラクターを選択する権利が付与されるため、実際には２番目に遊技者が選択した別のキャラクターが「花火モード」中の演出で登場することになる。
【０５２８】
したがって、以下に示す「キャラクター画像Ｓ６」は、最初に選択されたキャラクター（第１キャラクター）の場合もあるし、２番目以降に選択されたキャラクター（第２キャラクター、第３キャラクター、次回以降キャラクター）の場合もあるものとする。
【０５２９】
図４９中（Ｂ）：そして、大当り遊技終了後から１回目の変動（非当選時）が終了したことにより、すべての演出図柄が停止表示されている（「２」−「５」−「６」）。遊技者が選択したキャラクター画像Ｓ６についても画面の中央部分にて拡大表示されている。
【０５３０】
図４９中（Ｃ）：次回の変動が開始されると、大当り遊技終了後から２回目の変動表示が行われる。この花火モードは、次の大当りに当選するまで継続される（実際には１００００変動のみであるが、花火モードがそれ以上継続する確率は確率的に極めて低い確率である）。なお、遊技者が選択したキャラクター画像Ｓ６（２番目以降に選択されたキャラクターの場合もある）は、画面の右側部分に移動して表示され続けている。
【０５３１】
花火モード中の大当り演出に関しては、上述した各リーチ演出を経て大当りとしてもよいが、上述した各リーチ演出は実行せずに、不図示の可動体（役物）が登場したら大当りとしたり、特定の演出（例えば、選択キャラクターが徐々に大きく表示され最大限に大写しに表示されたら大当りとなる演出）が実行されたら大当りとしてもよい。
【０５３２】
〔大役中演出（特別遊技演出）〕
図５０〜図５３は、花火モード（図２７の〔Ｆ４〕）から「１４ラウンド確変大当り１」、「１４ラウンド確変大当り２」又は「１４ラウンド通常大当り１〜３」に該当した場合の大役遊技中に実行される大役中演出の例を部分的に示す連続図である。
【０５３３】
〔１ラウンド〕
図５０中（Ａ）：大当り遊技の１ラウンド目が開始されると、「大当り中」という遊技の進行状況に対応した内容の大役中演出が実行される。大役中演出では、例えば画面内に「ＲＯＵＮＤ１」のラウンド数に対応する文字情報が表示される。また画面の右下隅位置には、今回の当選図柄に対応した演出図柄（ここでは数字の「１」）が表示されている。このように、大当り遊技中も引き続き当選図柄（いわゆる「残し目」）を表示しておくことで、遊技者に対して「１の演出図柄で当選した」という情報を引き続き教示することができる。
【０５３４】
〔第２キャラクター演出〕
ここでは、最初に選択されたキャラクターについて「完了演出（図４６）」が既に実行され、初回の大当り遊技中に行われた選択演出（図４７）を経て、２番目のキャラクターが選択されている場合を想定する。このとき表示画面の左側領域には、前回の大当り遊技中に遊技者により選択された２番目のキャラクター（ここではキャラクター画像Ｓ６を例としているが、その他のキャラクター画像Ｓ１でもよい）が表示されている。これにより、２回目の大当り遊技において、遊技者により前回の大当り遊技中に選択された２番目のキャラクターが引き続き登場することになる。
【０５３５】
〔２ラウンド〕
図５０中（Ｂ）：大当り遊技の２ラウンド目からは、大役中演出として遊技者が選択したキャラクター画像Ｓ６に関する遊技が完了するか否かの完了可否演出が（第２キャラクター演出の一部として）実行される。図示の例では、完了可否演出として「ゴルフチャンス」の文字とともに、ゴルフ場の画像が表示されている。
【０５３６】
〔３ラウンド〕
図５０中（Ｃ）：例えば「ゴルフチャンス」の具体的な内容として、ゴルフ場の背景画像と、ゴルフ場に備えつけられたグリーン、旗、カップ等が表示されている。
【０５３７】
〔４ラウンド〕
図５１中（Ｄ）：例えば遊技者が選択したキャラクター画像Ｓ６により表現される女性キャラクターがクラブを持って、これからゴルフのショットに望む情景が表現されており、この後実際に女性キャラクターがゴルフボールを打ち込む画像が表示される。
【０５３８】
〔５ラウンド〕
図５１中（Ｅ）：例えば女性キャラクターが打ち込んだゴルフボールが、ゴルフコースのグリーンにまで飛んでいく画像が表示される。
【０５３９】
〔６ラウンド〕
図５１中（Ｆ）：例えばゴルフコースのグリーンにオンしたゴルフボールが速度を落としながら、ゆっくりとカップに近づいていく画像が表示される。
【０５４０】
〔７ラウンド、失敗演出〕
図５２中（Ｇ）：「１４ラウンド通常大当り１〜３」に該当していた場合、ゴルフボールの進行方向が急に変わり、ゴルフボールがカップに入らない態様の失敗演出が行われる。
【０５４１】
〔８ラウンド、非完了演出〕
図５２中（Ｈ）：大当り遊技の８ラウンド目では、遊技者が選択したキャラクター画像Ｓ６に関する遊技が完了しないことを示す内容の非完了演出が実行される。具体的には、遊技者が選択したキャラクター画像Ｓ６により表現された女性キャラクターが涙を流して悔しがる演出が行われる。このような「非完了演出」の態様により、遊技者に対して「２番目に選択したキャラクターについては演出上で進展ないし決着が得られなかった」という印象を抱かせることができる。
【０５４２】
〔１４ラウンド〕
図５３中（Ｉ）：そして、最終の１４ラウンドに移行すると、画面内には「ＲＯＵＮＤ１４」のラウンド数に対応する文字情報が表示される。図示の例では、遊技者が選択したキャラクター画像Ｓ６が「またね！」の言葉を発する演出が行われている。
【０５４３】
〔大役終了時〕
図５３中（Ｊ）：大当り遊技が終了するタイミング（終了処理中）において、この後に移行する内部状態を教示する内容の大役終了演出が実行される。この例では、例えば画面内に「海岸モード突入」という文字情報が表示されている。このような大役終了演出を実行することにより、大当り遊技終了後の特典として「海岸モード突入」（低確率状態での時間短縮状態）に移行することを遊技者に教示することができる。
【０５４４】
〔７ラウンド、成功演出〕
図５２中（Ｋ）：一方、「１４ラウンド確変大当り２」に該当していた場合、ゴルフボールの進行方向が変わらずに、ゴルフボールがカップインする成功演出が行われる。
【０５４５】
〔８ラウンド、完了演出〕
図５２中（Ｌ）：大当り遊技の８ラウンド目では、遊技者が選択したキャラクター画像Ｓ６に関する遊技が完了することを示す内容の非完了演出が実行される。具体的には、遊技者が選択したキャラクター画像Ｓ６により表現された女性キャラクターがにっこり微笑む演出が行われる。このような「完了演出」の態様により、遊技者に対して「２番目に選択したキャラクターについては演出上で進展ないし決着が得られた（完了した）」という印象を与え、そこに一定の達成感や満足感を抱かせることができる。
【０５４６】
このように、大当り遊技中に２番目のキャラクターを登場させる演出（第２キャラクター演出）は、特別図柄の変動表示と並行して２番目のキャラクターを登場させる演出（例えば図４９の花火モード中）とは異なる態様の特別な演出表示（例えば、キャラクターとゴルフをプレーする態様）とすることで、遊技者に大当り中の優越感を付与することができる。この他にも例えば、大当り遊技中に２番目のキャラクターと遊技者との対戦を意識した演出表示を用いることで、遊技者が戦いの駆け引きを楽しめる内容とする態様も好適である。
【０５４７】
〔１０ラウンド、大役中新キャラクター選択演出〕
図５２中（Ｍ）：この例の場合、現在まで活躍していた女性キャラクターの完了演出が行われたため、別の新たなキャラクター（第３キャラクター）を選択する大役中新キャラクター選択演出が実行される。なお、演出内容については、図４７中（Ｄ）で説明した内容と同様である。なお、ここでは、遊技者により３番目のキャラクター（例えばキャラクター画像Ｓ１により表される）が選択されたものとする。
【０５４８】
〔１４ラウンド〕
図５３中（Ｎ）：そして、最終の１４ラウンドに移行すると、画面内には「ＲＯＵＮＤ１４」のラウンド数に対応する文字情報が表示され、遊技者が新たに選択したキャラクター画像Ｓ１により表現される女性キャラクターが「よろしくね！」と挨拶する画像が表示されている。この演出により、次の遊技対象となるキャラクター画像Ｓ１を遊技者に対して印象付けることができる。
【０５４９】
〔大役終了時〕
図５３中（Ｏ）：大当り遊技が終了するタイミング（終了処理中）において、この後に移行する内部状態を教示する内容の大役終了演出が実行される。この例では、例えば画面内に「花火モード突入」という文字情報が表示されている。このような大役終了演出を実行することにより、大当り遊技終了後の特典として「花火モード」（高確率状態での時間短縮状態）に移行することを遊技者に教示することができる。
【０５５０】
〔海岸モードの演出例〕
図５４は、海岸モードの演出例を示す連続図である。なお、海岸モードは、「１４ラウンド通常大当り１〜３」の大役遊技後に移行されるモードであり、時間短縮状態での低確率状態に該当する。以下、演出の流れについて順を追って説明する。
【０５５１】
図５４中（Ａ）：例えば、大当り遊技終了後から１回目の変動表示が行われることで、「海岸モード」の状態で演出図柄の変動表示が行われている。海岸モードの背景画像は、海岸モードのコンセプトである癒しの印象を表現するために、「砂浜」や「海」、「山」等の画像をモチーフとした背景画像となっている。
【０５５２】
図５４中（Ｂ）：そして、大当り遊技終了後から１回目の変動（非当選時）が終了したことにより、すべての演出図柄が停止表示されている（「３」−「１」−「７」）。なお、演出図柄については、花火モードと同様に、画面の左上隅位置で縮小した状態で変動表示演出及び停止表示演出を行うようにしてもよい。
【０５５３】
図５４中（Ｃ）：次回の変動が開始されると、大当り遊技終了後から２回目の変動表示が行われる。この海岸モードは、規定の時短回数（例えば「１４ラウンド通常大当り１」は３０回、「１４ラウンド通常大当り２」は５０回、「１４ラウンド通常大当り３」は１００回）が経過した段階で終了となる。そして、海岸モードが終了すると、「繁華街ステージ」又は「店内ステージ」に移行される。
【０５５４】
〔再登場演出〕
これに対し、「海岸モード」で当選（いわゆる時短中引き戻し）すると、その大当り遊技中は図５０に戻って前回と同じキャラクター（例としてキャラクター画像Ｓ６）を再登場させた演出が行われる。これにより、遊技者に対して「前回完了できなかったキャラクターに再チャレンジ（リベンジ）しよう」という意欲を沸き立たせ、遊技に対する積極性を持たせることができる。
【０５５５】
図５５及び図５６は、大役中新キャラクター選択演出の演出例を示す連続図である。
本実施形態では、大役中新キャラクター選択演出について、当選時に「１４ラウンド確変大当り１」又は「１４ラウンド確変大当り２」に該当し続けることで大当り遊技が継続（いわゆる連荘）して実行されると、毎回継続して新たなキャラクター（次回以降のキャラクター）を選択することができる。
【０５５６】
図５５中（Ａ）：例えば大当りが５回継続すると（初回の大当りは「１４ラウンド確変大当り１」に該当し、それ以降の大当りは「１４ラウンド確変大当り１」又は「１４ラウンド確変大当り２」に該当しているものとする。）、クラブＡの５つのキャラクター画像（最初に選択した第１キャラクター、初回の大当りで選択した第２キャラクター、２回目の大当りで選択した第３キャラクター、４回目の大当りで選択した次回以降のキャラクター、５回目の大当りで選択した次回以降のキャラクター）は既に選択済みとなるため、クラブＡの残りの１つのキャラクター画像Ｓ５のみが選択可能となる。なお、この時点で、クラブＡの代表キャラクター画像Ｓ７や、クラブＢのキャラクター画像Ｔ１〜Ｔ７は、選択することができない。
【０５５７】
図５５中（Ｂ）：大当りが６回継続すると、クラブＡの６つのキャラクター画像はすでに選択済みとなるため、クラブＡの代表キャラクター画像Ｓ７が選択可能となる。
【０５５８】
図５５中（Ｃ）：大当りが７回継続すると、クラブＡの７つのキャラクター画像はすでに選択済みとなり、クラブＡに所属するキャラクター画像を全て選択（クリア）したことになるため、今度はクラブＢに所属するキャラクター画像Ｔ１〜Ｔ６が選択可能となる。なお、この時点で、クラブＢの代表キャラクター画像Ｔ７は、選択することができない。
【０５５９】
図５６中（Ｄ）：大当りが１３回継続すると、クラブＢの６つのキャラクター画像Ｔ１〜Ｔ６はすでに選択済みとなるため、クラブＢの代表キャラクター画像Ｔ７が選択可能となる。
【０５６０】
図５６中（Ｅ）：大当りが１４回継続すると、クラブＡに所属するキャラクター画像Ｓ１〜Ｓ７と、クラブＢに所属するキャラクター画像Ｔ１〜Ｔ７とを全て演出上で完了（クリア）したことになるため、今度はクラブＣに所属する特殊キャラクター画像Ｃ１が選択可能となる。そして、これらの選択したキャラクター画像は、上述した大役中演出での演出例と同様に、それぞれの大役中演出にて活躍することとなる。
【０５６１】
このような遊技仕様により、異なるキャラクター画像をさらに選択していきたいという意欲を掻き立て、遊技者の遊技意欲を向上させることができる。
【０５６２】
〔キャラクター選択の流れのまとめ〕
図５７は、演出中に登場するキャラクターの選択の流れを示した選択フロー図である。以下、順を追ってキャラクター選択の流れについて説明する。
【０５６３】
〔Ｇ１：第１キャラクター選択〕
本実施形態においては、変動開始前のデモ演出中（図３０）において、遊技者が任意に最初のキャラクターを選択することができる。
【０５６４】
〔Ｇ２：初当り〕
初当りすると、当選図柄の種類に応じて選択フローに分岐が発生する。ここでは便宜上、初当り時に「１４ラウンド確変大当り１」に該当した場合と、「７ラウンド通常大当り１〜３」に該当した場合を想定する。
【０５６５】
〔Ｇ３：第１キャラクター完了演出〕
初当り時に「１４ラウンド確変大当り１」に該当した場合、図５７中に１点鎖線の囲みで示される〔Ａ１：１回目の大当り遊技〕の中で第１キャラクターについての完了演出（スペシャルボーナスによる完了演出）が実行される。これにより、選択フロー上は「第１キャラクターが完了（クリア）」となる。
【０５６６】
〔Ｇ４：第１キャラクター非完了演出（完了演出なし）〕
これに対し、初当り時に「１４ラウンド確変大当り１」以外、つまり「７ラウンド通常大当り１〜３」に該当した場合、〔Ａ１：１回目の大当り遊技〕の中で第１キャラクターについての完了演出は実行されない。これにより、選択フロー上は「第１キャラクターについて未完了（未クリア）」となる。
【０５６７】
〔Ｇ５：祭りゾーン〕
「第１キャラクターについて未完了（未クリア）」の場合、祭りゾーンに移行する。ここではキャラクターの選択フローに変化が発生しない。なお祭りゾーンからは、これまでと同じ第１キャラクターを選択した状態で〔Ｇ２〕初当りに移行する場合もあれば、一旦はデモ演出画面に戻り、選択対象を変更して〔Ｇ１〕第１キャラクター選択を行うことも可能である。
【０５６８】
〔Ｇ６：第２キャラクター選択〕
〔Ｇ３〕で第１キャラクターについての完了演出が実行された場合、大当り遊技中の１０ラウンド目から最終ラウンドまでの間に第２キャラクター選択の権利が遊技者に付与される。そして、第２キャラクターを選択した状態で〔Ａ１：１回目の大当り遊技〕が終了する。
【０５６９】
〔Ｇ７：大当り２連続目〕
大当りが２回連続した場合についても、当選図柄の種類に応じて選択フローに分岐が発生する。なお、２回目からの当選時は「１４ラウンド確変大当り１，２」に該当した場合と、「１４ラウンド通常大当り１〜３」に該当した場合を想定する。
【０５７０】
〔Ｇ８：第２キャラクター完了演出〕
２回目の大当り時に「１４ラウンド確変大当り１，２」に該当した場合、図５７中に１点鎖線の囲みで示される〔Ａ２：２回目の大当り遊技〕の中で第２キャラクターについての完了演出（ゴルフチャンス成功）が実行される。これにより、選択フロー上は「第２キャラクターまで完了（クリア）」となる。
【０５７１】
〔Ｇ９：第２キャラクター非完了演出〕
これに対し、２回目の大当り時に「１４ラウンド通常大当り１〜３」に該当した場合、〔Ａ２：２回目の大当り遊技〕の中で第２キャラクターについての非完了演出（ゴルフチャンス失敗）が実行される。これにより、選択フロー上は「第２キャラクターについて未完了（未クリア）」となる。
【０５７２】
〔Ｇ１０：海岸モード〕
「第２キャラクターについて未完了（未クリア）」の場合、海岸モードに移行する。ここではキャラクターの選択フローに変化が発生しない。海岸モードからは、これまでと同じ第２キャラクターを選択した状態で〔Ｇ７〕２回目の大当りに移行することにより、上記のように第２キャラクターを再登場させた「リベンジ演出」が行われる。
【０５７３】
「リベンジ演出」は、海岸モードからの引き戻し時に「１４ラウンド確変大当り１，２」に該当した場合、〔Ａ２〕引き戻し時の大当り遊技（実質的には３回目の大当り遊技）の中で〔Ｇ８〕第２キャラクターについての完了演出（リベンジ成功）となる。
一方、引き戻し時に「１４ラウンド通常大当り１〜３」に該当した場合、〔Ａ２〕引き戻し時の大当り遊技（実質的には３回目の大当り遊技）の中で第２キャラクターについての非完了演出（ゴルフチャンス失敗）が再度実行されるため、演出上でリベンジ失敗となる。
【０５７４】
なお海岸モードからは、「時間短縮状態」が終了して通常状態に戻る場合もある。この場合、一旦はデモ演出画面に戻り、そこで選択対象を変更して〔Ｇ１〕第１キャラクター選択を行うことが可能である。通常状態に戻る場合、大当りの連続回数はそこでリセットされる。
【０５７５】
〔Ｇ１１：第３キャラクター選択〕
〔Ｇ８〕で第２キャラクターについての完了演出が実行された場合、大当り遊技中の１０ラウンド目から最終ラウンドまでの間に第３キャラクター選択の権利が遊技者に付与される。そして、第３キャラクターを選択した状態で〔Ａ２：２回目の大当り遊技〕が終了する。
【０５７６】
〔Ｇ１２：大当り３連続目〕
大当りが３回連続した場合についても、当選図柄の種類に応じて選択フローに分岐が発生する。
【０５７７】
〔Ｇ１３：第３キャラクター完了演出〕
すなわち、３回目の大当り時に「１４ラウンド確変大当り１，２」に該当した場合、図５７中に１点鎖線の囲みで示される〔Ａ３：３回目の大当り遊技〕の中で第３キャラクターについての完了演出（ゴルフチャンス成功）が実行される。これにより、選択フロー上は「第３キャラクターまで完了（クリア）」となる。
【０５７８】
〔Ｇ１４：第３キャラクター非完了演出〕
これに対し、３回目の大当り時に「１４ラウンド通常大当り１〜３」に該当した場合、〔Ａ３：３回目の大当り遊技〕の中で第３キャラクターについての非完了演出（ゴルフチャンス失敗）が実行される。これにより、選択フロー上は「第３キャラクターについて未完了（未クリア）」となる。
【０５７９】
〔Ｇ１５：海岸モード〕
同様に、「第３キャラクターについて未完了（未クリア）」の場合、海岸モードに移行する。ここではキャラクターの選択フローに変化が発生しない。海岸モードからは、これまでと同じ第３キャラクターを選択した状態で〔Ｇ１２〕３回目の大当りに移行することにより、第３キャラクターを再登場させた「リベンジ演出」が行われる。
【０５８０】
ここでも同様に「リベンジ演出」は、海岸モードからの引き戻し時に「１４ラウンド確変大当り１，２」に該当した場合、〔Ａ３〕引き戻し時の大当り遊技（実質的には４回目以降の大当り遊技）の中で〔Ｇ１３〕第３キャラクターについての完了演出（リベンジ成功）となる。
一方、引き戻し時に「１４ラウンド通常大当り１〜３」に該当した場合、〔Ａ３〕引き戻し時の大当り遊技（実質的には４回目以降の大当り遊技）の中で第３キャラクターについての非完了演出（ゴルフチャンス失敗）が再度実行されるため、演出上でリベンジ失敗となる。
【０５８１】
なお海岸モードから通常状態に戻る流れや、一旦はデモ演出画面に戻り、そこで選択対象を変更して〔Ｇ１〕第１キャラクター選択を行う流れについてはこれまでと同様である。
【０５８２】
〔Ｇ１６：次キャラクター選択〕
〔Ｇ１３〕で第３キャラクターについての完了演出が実行された場合、大当り遊技中の１０ラウンド目から最終ラウンドまでの間に次キャラクター（次回以降のキャラクター）選択の権利が遊技者に付与される。そして、次キャラクターを選択した状態で〔Ａ３：３回目の大当り遊技〕が終了する。
【０５８３】
特に図示していないが、連続して「１４ラウンド確変大当り１」又は「１４ラウンド確変大当り２」に該当している限り、〔Ａ４〕，〔Ａ５〕，〔Ａ６〕，・・・〔Ａ１４〕の次回以降の大当り遊技でそれぞれ選択したキャラクターの完了演出が実行され、次キャラクターを選択する権利が遊技者に付与される。
【０５８４】
なお、ここでは１４回目の大当り遊技まで次キャラクターの選択が可能としているが、１５人以上のキャラクターを予め設定しておくことで、１５回目以降の大当り遊技でも次キャラクターの選択を可能としてもよい。
【０５８５】
また、途中で海岸モードに移行しても、引き戻し時に「１４ラウンド確変大当り１」又は「１４ラウンド確変大当り２」に該当すれば、前回まで選択していた同じキャラクターを再登場させた「リベンジ演出」が行われ、大当り遊技中に完了演出（リベンジ成功）が実行されて次キャラクターを選択する権利が遊技者に付与される。
【０５８６】
〔他の好適例〕
上記の例では、〔Ｇ１〕の初当り時に「１４ラウンド確変大当り１」に該当した場合に〔Ｇ３〕第１キャラクター完了演出を経て〔Ｇ６〕第２キャラクター選択のフローに進むこととしているが、例えば、第１特別図柄についての当選種類として「１４ラウンド通常大当り」を設定しておき、〔Ｇ１〕の初当り時に「１４ラウンド通常大当り」に該当した場合、大当り遊技中に第２キャラクターの選択演出（図４７中（Ｄ））を実行して２番目のキャラクター選択を遊技者に入力させつつ、その選択を無効とする演出（例えばキャラクターの指名に失敗する演出）を実行してもよい。このような好適例を採用した場合、さらに以下の好適な演出手法を採用することができる。
【０５８７】
すなわち好適例において、〔Ｇ６〕のキャラクター選択に代え、例えば〔Ｇ６．５〕第２キャラクター選択失敗（図示していない）を採用する。そして、〔Ｇ６．５〕第２キャラクター選択失敗からは〔Ｇ５〕祭りゾーンに進む選択フローとする。この場合、大当り遊技終了後の〔Ｇ６〕祭りゾーンは、内部状態が「高確率状態」であるか否かを意図的に開示しない演出上のモード（いわゆる電動チューリップのサポートなし）となる。このような大当り後のモード移行で突入する確変潜伏モード（高確率状態の潜伏の期待度があるモード）の間に、抽選契機で行う毎回の特別図柄の変動表示と並行して２番目のキャラクター演出表示（例えば図４９の花火モードに近似した演出表示）を連続的に行い、確変潜伏モードの経過時、又はその後の所定演出タイミングであっても２番目のキャラクター演出表示が発生する場合には、「高確率状態」であったことが開示される演出（確変報知演出）とすると好適である。これにより、確変潜伏モード経過の際まで２番目のキャラクターの選択が有効であるか否かの期待感を遊技者に付与することが可能となる。
【０５８８】
また、〔Ｇ２〕の初当り時に「１４ラウンド通常大当り」となり、特定条件（確変大当りの条件）が満たされずに上記の〔Ｇ６．５〕第２キャラクター選択失敗（選択が無効）となった場合においても、その選択を無効とされた第２キャラクターを一時的に記憶可能としておき、大当り遊技の終了後において抽選契機による特別図柄の停止表示された回数が予め定められた所定回数（例えば５０回）となるまでに次回（再度）の当選が得られた場合には、この次回（再度）の大当り遊技中（〔Ａ２〕大当り２連続目）に第２キャラクターを登場させた第２キャラクター演出が実行されることが好適である。これにより、遊技者に第２キャラクターを選択させた行為に対する喪失感を軽減させるとともに、次回の当選までにおける継続遊技のモチベーション向上を図ることができる。
【０５８９】
また、例えば〔Ａ６〕大当り６連続目や〔Ａ１３〕大当り１３連続目等の節目では、それまでの選択キャラクターについて完了演出が行われた後の次回キャラクター選択タイミングにおいて、いわゆる初当り（有利化されていない「低確率状態」での当り）から連続的に当選が発生し、それに基づいて予め定められた所定回数（例えば６回、１３回）の次キャラクター選択が達成されていることを条件に、それまで遊技者の選択を不可能にしていたキャラクター（例えば特殊キャラクター画像Ｃ１）を任意に選択可能としてもよい。これにより、これまで任意に選択できなかったキャラクターの選択目標の設定ができ、遊技継続の意欲向上を図ることができる。
【０５９０】
次に、以上の演出を具体的に実現するための制御手法の例について説明する。上述した変動表示演出やリーチ演出、リーチ発生前予告演出、記憶数表示演出、先読み予告演出等の進行対応演出や、これに連動したデモ中キャラクター選択演出、ステージ演出、大役中演出、大役中新キャラクター選択演出、着席時又は離席時の音声出力による演出等は、いずれも以下の制御処理を通じて制御されている。
【０５９１】
〔演出制御処理〕
図５８は、演出制御ＣＰＵ１２６により実行される演出制御処理の手順例を示すフローチャートである。この演出制御処理は、例えば図示しないリセットスタート（メイン）処理とは別にタイマ割込処理（割込管理処理）の中で実行される。演出制御ＣＰＵ１２６は、リセットスタート処理の実行中に所定の割込周期（例えば数十μｓ〜数ｍｓ周期）でタイマ割込を発生させ、タイマ割込処理を実行する。
【０５９２】
演出制御処理は、コマンド受信処理（ステップＳ４００）、人体感知演出管理処理（ステップＳ４０１）、作動記憶演出管理処理（ステップＳ４０２）、演出図柄管理処理（ステップＳ４０３）、表示出力処理（ステップＳ４０４）、ランプ駆動処理（ステップＳ４０６）、音響駆動処理（ステップＳ４０８）、演出乱数更新処理（ステップＳ４１０）及びその他の処理（ステップＳ４１２）のサブルーチン群を含む構成である。以下、各処理に沿って演出制御処理の基本的な流れを説明する。
【０５９３】
ステップＳ４００：コマンド受信処理において、演出制御ＣＰＵ１２６は主制御ＣＰＵ７２から送信される演出用のコマンドを受信する。また、演出制御ＣＰＵ１２６は受信したコマンドを解析し、それらを種類別にＲＡＭ１３０のコマンドバッファ領域に保存する。なお、主制御ＣＰＵ７２から送信される演出用のコマンドには、例えば特図先判定演出コマンド、（特別図柄）作動記憶数増加時演出コマンド、（特別図柄）作動記憶数減少時演出コマンド、始動口入賞音制御コマンド、デモ演出用コマンド、抽選結果コマンド、変動パターンコマンド、変動開始コマンド、停止図柄コマンド、図柄停止時コマンド、状態指定コマンド、ラウンド数コマンド、エラー通知コマンド、大当り終了演出コマンド、回数切りカウンタ値コマンド等がある。
【０５９４】
ステップＳ４０１：人体感知演出管理処理では、演出制御ＣＰＵ１２６は上述した着席時又は離席時に音声を出力させる演出の実行を制御する。例えば、この処理において演出制御ＣＰＵ１２６は、人体感知センサ４３からの検出信号に基づいて、遊技者の着席（遊技位置への来着）又は離席（遊技位置からの立ち去り）を判断し、それぞれの演出において出力させる音声パターンを選択し、選択中のキャラクターに応じて音質（声質）を設定する。そして、ここで選択されたキャラクター別の音声パターン番号に基づき、後の音響駆動処理（図５８中のステップＳ４０８）で音響駆動回路１３４が駆動される結果、実際にスピーカ５４，５５，５６等からキャラクター別の音声を出力させる演出が実行される。
【０５９５】
ステップＳ４０２：作動記憶演出管理処理では、演出制御ＣＰＵ１２６は上述した記憶数表示演出や、マーカＭ１，Ｍ２を用いた先読み予告演出の実行を制御する。
【０５９６】
ステップＳ４０３：演出図柄管理処理では、演出制御ＣＰＵ１２６は演出図柄を用いた変動表示演出や結果表示演出の内容を制御したり、可変入賞装置３０の開閉動作時の演出内容を制御したりする。またこの処理において、演出制御ＣＰＵ１２６は各種予告演出（リーチ発生前予告演出、リーチ発生後演出等）の演出パターンを選択したり、セリフ演出の演出パターンを選択したりする。なお、演出図柄管理処理の内容については、別の図面を参照しながらさらに後述する。
【０５９７】
ステップＳ４０４：表示出力処理では、演出制御ＣＰＵ１２６は演出表示制御装置１４４（表示制御ＣＰＵ１４６）に対して演出内容の基本的な制御情報（例えば、第１特別図柄及び第２特別図柄それぞれの作動記憶数、作動記憶演出パターン番号、先読み予告演出パターン番号、変動演出パターン番号、変動時予告演出番号、背景パターン番号等）を指示する。これにより、演出表示制御装置１４４（表示制御ＣＰＵ１４６及びＶＤＰ１５２）は指示された演出内容に基づいて液晶表示器４２による表示動作を制御する（演出実行手段）。
【０５９８】
ステップＳ４０６：ランプ駆動処理では、演出制御ＣＰＵ１２６はランプ駆動回路１３２に対して制御信号を出力する。これを受けてランプ駆動回路１３２は、制御信号に基づいて各種ランプ４６〜５２や盤面ランプ５３等を駆動（点灯又は消灯、点滅、輝度階調変化等）する。
【０５９９】
ステップＳ４０８：次の音響駆動処理では、演出制御ＣＰＵ１２６は音響駆動回路１３４に対して演出内容（例えば変動表示演出中やリーチ演出中、モード移行演出中、大当り演出中のＢＧＭ、音声データ等）を指示する。これにより、スピーカ５４，５５，５６から演出内容に応じた音が出力される。
【０６００】
ステップＳ４１０：演出乱数更新処理では、演出制御ＣＰＵ１２６はＲＡＭ１３０のカウンタ領域において各種の演出乱数を更新する。演出乱数には、例えば予告選択に用いられる乱数や通常の背景チェンジ抽選（演出抽選）に用いられる乱数等がある。
【０６０１】
ステップＳ４１２：その他の処理では、例えば演出用に可動体がある場合、演出制御ＣＰＵ１２６は可動体の駆動用ＩＣに対して制御信号を出力する。特に図示していないが、可動体は例えばソレノイドやステッピングモータ等の駆動源によって動作し、液晶表示器４２による画像の表示と同期して、又は単独で演出を行うものである。これらソレノイドやステッピングモータ等の駆動源は、例えば図４中のパネル電飾基板１３８に接続することができる。
【０６０２】
以上の演出制御処理を通じて、演出制御ＣＰＵ１２６はパチンコ機１における演出内容を統括的に制御することができる。次に、演出制御処理の中で実行される演出図柄管理処理の内容について説明する。
【０６０３】
〔演出図柄管理処理〕
図５９は、演出図柄管理処理の手順例を示すフローチャートである。演出図柄管理処理は、実行選択処理（ステップＳ５００）、演出図柄変動前処理（ステップＳ５０２）、演出図柄変動中処理（ステップＳ５０４）、演出図柄停止表示中処理（ステップＳ５０６）及び可変入賞装置作動時処理（ステップＳ５０８）のサブルーチン群を含む構成である。以下、各処理に沿って演出図柄管理処理の基本的な流れを説明する。
【０６０４】
ステップＳ５００：実行選択処理において、演出制御ＣＰＵ１２６は次に実行するべき処理（ステップＳ５０２〜ステップＳ５０８のいずれか）のジャンプ先を選択する。例えば、演出制御ＣＰＵ１２６は次に実行するべき処理のプログラムアドレスをジャンプ先のアドレスとし、また戻り先のアドレスとして演出図柄管理処理の末尾を「ジャンプテーブル」にセットする。いずれの処理を次のジャンプ先として選択するかは、これまでに行われた処理の進行状況によって異なる。例えば、未だ変動表示演出を開始していない状況であれば、演出制御ＣＰＵ１２６は次のジャンプ先として演出図柄変動前処理（ステップＳ５０２）を選択する。一方、既に演出図柄変動前処理が完了していれば、演出制御ＣＰＵ１２６は次のジャンプ先として演出図柄変動中処理（ステップＳ５０４）を選択し、演出図柄変動中処理まで完了していれば、次のジャンプ先として演出図柄停止表示中処理（ステップＳ５０６）を選択する。また可変入賞装置作動時処理（ステップＳ５０８）は、主制御ＣＰＵ７２において可変入賞装置管理処理（図１３中のステップＳ５０００）が選択された場合にのみジャンプ先として選択される。この場合、ステップＳ５０２〜ステップＳ５０６は実行されない。
【０６０５】
ステップＳ５０２：演出図柄変動前処理では、演出制御ＣＰＵ１２６は演出図柄を用いた変動表示演出を開始するための条件を整える作業を行う。またこの処理において、演出制御ＣＰＵ１２６は各種の条件（抽選結果、当選種類、変動パターン等）に応じてリーチ演出の内容を選択したり、予告演出についての演出パターン（先読み予告演出パターン以外のリーチ発生前予告パターン、リーチ発生後予告パターン等）を選択したりする。その他にも演出制御ＣＰＵ１２６は、パチンコ機１がいわゆる客待ち状態である場合のデモ演出の制御も行う。なお、具体的な処理の内容は、別のフローチャートを用いて後述する。
【０６０６】
ステップＳ５０４：演出図柄変動中処理では、演出制御ＣＰＵ１２６は必要に応じて演出表示制御装置１４４（表示制御ＣＰＵ１４６）に指示する制御情報を生成する。例えば、演出図柄を用いた変動表示演出を実行中に演出切替ボタン４５を用いた演出を行う場合、遊技者による演出ボタンの操作の有無を演出制御ＣＰＵ１２６が監視するとともに、その結果に応じた演出内容（ボタン演出）の制御情報を表示制御ＣＰＵ１４６に対して指示する。
【０６０７】
ステップＳ５０６：演出図柄停止表示中処理では、演出制御ＣＰＵ１２６は内部抽選の結果に応じた態様で演出図柄や動画像を用いた結果表示演出の内容を制御する。すなわち、演出制御ＣＰＵ１２６は演出表示制御装置１４４（表示制御ＣＰＵ１４６）に対して変動表示演出の終了と結果表示演出の実行を指示する。これを受けて演出表示制御装置１４４（表示制御ＣＰＵ１４６）は、実際に液晶表示器４２の表示画面内でそれまで実行していた変動表示演出を終了させ、結果表示演出を実行する。これにより、特別図柄の停止表示に略同期して結果表示演出が実行され、遊技者に対して内部抽選の結果を演出的に教示（開示、告知、報知等）することができる（図柄演出実行手段）。ただし本実施形態において、小当り時には、はずれと同様か近似した態様で結果表示演出を実行する。
【０６０８】
ステップＳ５０８：可変入賞装置作動時処理では、演出制御ＣＰＵ１２６は小当り中又は大当り中の演出内容を制御する（特別遊技演出実行手段）。この処理において、演出制御ＣＰＵ１２６は各種の条件（例えば当選種類）に応じて大役中演出の内容を選択する。例えば１４ラウンドの出玉あり確変大当りの場合、演出制御ＣＰＵ１２６は液晶表示器４２に表示する演出内容として、１４ラウンドの大役中演出パターンを選択し、これを演出表示制御装置１４４（表示制御ＣＰＵ１４６）に対して指示する。これにより、液晶表示器４２の表示画面では大当り中演出の画像が表示されるとともに、ラウンドの進行に伴って演出内容が変化していくことになる。なお、具体的な処理の内容は、別のフローチャートを用いて後述する。
【０６０９】
〔演出図柄変動前処理〕
図６０は、上記の演出図柄変動前処理の手順例を示すフローチャートである。以下、手順例に沿って説明する。
【０６１０】
ステップＳ６００：演出制御ＣＰＵ１２６は、主制御ＣＰＵ７２からデモ演出用コマンドを受信したか否かを確認する。具体的には、演出制御ＣＰＵ１２６はＲＡＭ１３０のコマンドバッファ領域にアクセスし、デモ演出用コマンドが保存されているか否かを確認する。その結果、デモ演出用コマンドが保存されていることを確認した場合（Ｙｅｓ）、演出制御ＣＰＵ１２６はステップＳ６０２を実行する。
【０６１１】
ステップＳ６０２：演出制御ＣＰＵ１２６は、デモ選択処理を実行する（待機状態演出実行手段）。この処理では、演出制御ＣＰＵ１２６はデモ演出パターンを選択する。デモ演出パターンは、パチンコ機１がいわゆる客待ち状態であることを表す演出の内容を規定したものである。なお、具体的な制御の内容については、さらに別のフローチャートを用いて後述する。
【０６１２】
以上の手順を終えると、演出制御ＣＰＵ１２６は演出図柄管理処理の末尾のアドレスに復帰する。そして演出制御ＣＰＵ１２６はそのまま演出制御処理に復帰し、続く表示出力処理（図５８中のステップＳ４０４）、ランプ駆動処理（図５８中のステップＳ４０６）においてデモ演出パターンに基づいてデモ演出の内容を制御する。
【０６１３】
一方、ステップＳ６００においてデモ演出用コマンドが保存されていないことを確認すると（Ｎｏ）、演出制御ＣＰＵ１２６は次にステップＳ６０４を実行する。
【０６１４】
ステップＳ６０４：演出制御ＣＰＵ１２６は、今回の変動がはずれ（非当選）であるか否かを確認する。具体的には、演出制御ＣＰＵ１２６はＲＡＭ１３０のコマンドバッファ領域にアクセスし、非当選時の抽選結果コマンドが保存されているか否かを確認する。その結果、非当選時の抽選結果コマンドが保存されていることを確認した場合（Ｙｅｓ）、演出制御ＣＰＵ１２６はステップＳ６１２を実行する。逆に、非当選時の抽選結果コマンドが保存されていないことを確認した場合（Ｎｏ）、演出制御ＣＰＵ１２６はステップＳ６０６を実行する。なお、今回の変動がはずれか否かの確認は、抽選結果コマンドの他に変動パターンコマンドや停止図柄コマンドに基づいて行うことも可能である。すなわち、今回の変動パターンコマンドがはずれ通常変動又ははずれリーチ変動に該当していれば、今回の変動がはずれであると判定することができる。あるいは、今回の停止図柄コマンドが非当選の図柄を指定するものであれば、今回の変動がはずれであると判定することができる。
【０６１５】
ステップＳ６０６：抽選結果コマンドが非当選（はずれ）以外であれば（ステップＳ６０４：Ｎｏ）、次に演出制御ＣＰＵ１２６は、今回の変動が大当たりであるか否かを確認する。具体的には、演出制御ＣＰＵ１２６はＲＡＭ１３０のコマンドバッファ領域にアクセスし、大当り時の抽選結果コマンドが保存されているか否かを確認する。その結果、大当り時の抽選結果コマンドが保存されていることを確認した場合（Ｙｅｓ）、演出制御ＣＰＵ１２６はステップＳ６１０を実行する。逆に、大当り時の抽選結果コマンドが保存されていないことを確認した場合（Ｎｏ）、残るは小当り時の抽選結果コマンドだけであるので、この場合、演出制御ＣＰＵ１２６はステップＳ６０８を実行する。なお、今回の変動が大当たりであるか否かの確認もまた、変動パターンコマンドや停止図柄コマンドに基づいて行うことも可能である。すなわち、今回の変動パターンコマンドが大当り変動に該当していれば、今回の変動が大当りであると判定することができる。また今回の停止図柄コマンドが大当り図柄に該当していれば、今回の変動が大当りであると判定することができる。
【０６１６】
ステップＳ６０８：演出制御ＣＰＵ１２６は、小当り時変動演出パターン選択処理を実行する。この処理では、演出制御ＣＰＵ１２６は主制御ＣＰＵ７２から受信した変動パターンコマンド（例えば、「Ｃ０Ｈ００Ｈ」〜「Ｄ０Ｈ７ＦＨ」）に基づいて、そのときの演出パターン番号を決定する。演出パターン番号は、変動パターンコマンドに対応して予め用意されており、演出制御ＣＰＵ１２６は図示しない演出パターン選択テーブルを参照して、そのときの変動パターンコマンドに対応した演出パターン番号を選択することができる。なお、演出パターン番号は、変動パターンコマンドと対になって用意されていてもよく、１つの変動パターンコマンドに対して複数のものが用意されていてもよい。
【０６１７】
また演出パターン番号を選択すると、演出制御ＣＰＵ１２６は図示しない演出テーブルを参照し、そのときの変動演出パターン番号に対応する演出図柄の変動スケジュール（変動時間やリーチの種類とリーチ発生タイミング）、停止表示の態様等を決定する。なお、ここで決定される演出図柄の種類は、全て「小当り時の図柄の組み合わせ」に該当するものとなっている。
【０６１８】
以上の手順は「小当り」に該当した場合であるが、７ラウンド大当り又は１４ラウンド大当りに該当した場合、演出制御ＣＰＵ１２６はステップＳ６０６で「大当り」であることを確認する（Ｙｅｓ）。この場合、演出制御ＣＰＵ１２６はステップＳ６１０を実行する。
【０６１９】
ステップＳ６１０：演出制御ＣＰＵ１２６は、大当り時変動演出パターン選択処理を実行する。この処理では、演出制御ＣＰＵ１２６は主制御ＣＰＵ７２から受信した変動パターンコマンド（例えば、「Ｅ０Ｈ００Ｈ」〜「Ｆ０Ｈ７ＦＨ」）に基づいて、そのときの演出パターン番号を決定する。なお、大当り時演出パターン選択処理の中では、さらに大当り時停止図柄別に処理を分岐させてもよい。
【０６２０】
このとき、演出制御ＣＰＵ１２６は、遊技者により選択されたキャラクター画像を、その他のキャラクター画像よりも高頻度で利用することにより、遊技者により選択されたキャラクター画像を高頻度で出現させるリーチ演出を実行する（選択キャラクター登場演出実行手段、選択装飾画像演出実行手段）。
【０６２１】
具体的には、キャラクターステータスの値を参照すれば、いずれのキャラクター画像が遊技者によって選択されているのかが分かるので、演出制御ＣＰＵ１２６は、キャラクターステータスの値に基づいて、遊技者により選択されたキャラクター画像を利用したリーチ演出を行う。
【０６２２】
この場合、キャラクターごとに演出パターンを用意しておいてもよく、大まかな演出画像は共通のものとして用意しておき、その共通画像にキャラクター画像を重ね合わせて演出を行うようにしてもよい。
【０６２３】
本実施形態では、例えばリーチ演出（ゲームリーチ演出、化粧リーチ演出）で用いられるキャラクター画像は、遊技者が予め選択したキャラクター画像を利用して演出を行う例で説明しているが、例えば、遊技者が予め選択したキャラクター画像以外のその他のキャラクター画像を利用してリーチ演出を行ってもよい。ただし、この場合についても、遊技者が予め選択したキャラクター画像を他のキャラクター画像よりも多く登場させる必要がある。いずれにしても、遊技者により選択されたキャラクター画像を、その他のキャラクター画像よりも高頻度で利用することにより、遊技者の好みを遊技内容により反映させることができる。なお、このようなリーチ演出は、後述するはずれ時変動演出パターン選択処理でも同様である。
【０６２４】
また、非当選時の場合は以下の手順が実行される。すなわち、演出制御ＣＰＵ１２６はステップＳ６０４ではずれであることを確認すると（Ｙｅｓ）、次にステップＳ６１２を実行する。
【０６２５】
ステップＳ６１２：演出制御ＣＰＵ１２６は、はずれ時変動演出パターン選択処理を実行する。この処理では、演出制御ＣＰＵ１２６は主制御ＣＰＵ７２から受信した変動パターンコマンド（例えば、「Ａ０Ｈ００Ｈ」〜「Ａ６Ｈ７ＦＨ」）に基づいて、はずれ時の演出パターン番号を決定する。はずれ時の演出パターン番号は、「はずれ通常変動」や「時短はずれ変動」、「はずれリーチ変動」等に分類されており、さらに「はずれリーチ変動」には細かいリーチ変動パターンが規定されている。なお、演出制御ＣＰＵ１２６がいずれの演出パターン番号を選択するかは、主制御ＣＰＵ７２から送信された変動パターンコマンドによって決まる。
【０６２６】
はずれ時の演出パターン番号を選択すると、演出制御ＣＰＵ１２６は図示しない演出テーブルを参照し、そのときの変動演出パターン番号に対応する演出図柄の変動スケジュール（変動時間やリーチ発生の有無、リーチ発生の場合はリーチ種類とリーチ発生タイミング）、停止表示の態様（例えば「７」−「２」−「４」等）を決定する。
【０６２７】
このとき、演出制御ＣＰＵ１２６は、遊技者により選択されたキャラクター画像を、その他のキャラクター画像よりも高頻度で利用することにより、遊技者により選択されたキャラクター画像を高頻度で出現させるリーチ演出を実行する（選択キャラクター登場演出実行手段、選択装飾画像演出実行手段）。このようなリーチ演出は、先に説明した大当り時変動演出パターン選択処理と同様である。
【０６２８】
以上のステップＳ６０８，ステップＳ６１０，ステップＳ６１２のいずれかの処理を実行すると、演出制御ＣＰＵ１２６は次にステップＳ６１４を実行する。
【０６２９】
ステップＳ６１４：演出制御ＣＰＵ１２６は、予告選択処理を実行する。この処理では、演出制御ＣＰＵ１２６は今回の変動表示演出中に実行するべき予告演出の内容を抽選によって選択する。予告演出の内容は、例えば内部抽選の結果（当選又は非当選）や現在の内部状態（通常状態、高確率状態、時間短縮状態）に基づいて決定される。上記のように予告演出は、変動表示演出中にリーチ状態が発生する可能性を遊技者に予告したり、最終的に大当りになる可能性があることを予告したりするものである。したがって、非当選時には予告演出の選択比率は低く設定されているが、当選時には遊技者の期待感を高めるため、予告演出の選択比率は比較的高く設定されている。
【０６３０】
このとき、演出制御ＣＰＵ１２６は、遊技者により選択されたキャラクター画像を、その他のキャラクター画像よりも高頻度で利用することにより、遊技者により選択されたキャラクター画像を高頻度で出現させる予告演出を実行する（選択キャラクター登場演出実行手段、選択装飾画像演出実行手段）。
【０６３１】
具体的には、キャラクターステータスの値を参照すれば、いずれのキャラクター画像が現在選択されているのかを確認することができるので、演出制御ＣＰＵ１２６は、キャラクターステータスの値に基づいて、遊技者により選択されたキャラクター画像を利用した予告演出を行う。
【０６３２】
本実施形態では、例えばリーチ発生前予告演出（ステップアップ予告）で用いられるキャラクター画像は、すべての段階（１段階目〜５段階目）において遊技者が予め選択したキャラクター画像を利用して演出を行う例で説明しているが、例えば１段階目と２段階目では、遊技者が予め選択したキャラクター画像を利用しないで別のキャラクター画像を利用し、３段階目〜５段階目にかけて、遊技者が予め選択したキャラクター画像を利用するようにしてもよい。いずれにしても、遊技者により選択されたキャラクター画像を、その他のキャラクター画像よりも高頻度で利用することにより、遊技者の好みを遊技内容により反映させることができる。
【０６３３】
ステップＳ６１６：演出制御ＣＰＵ１２６は、ステージ管理処理を実行する。この処理において、演出制御ＣＰＵ１２６はステージ（モード、ゾーン）に関する具体的な処理を実行する。ステージ演出は、複数の背景画像を用いて実行され（ステージ演出実行手段）、ステージ演出の実行中に所定の演出実行条件を満たす場合、背景画像を変化させてステージ移行演出が実行される（ステージ移行演出実行手段）。なお、具体的な制御の内容については、さらに別のフローチャートを用いて後述する。
【０６３４】
ステップＳ６１８：演出制御ＣＰＵ１２６は、背景画像選択処理を実行する。この処理において、演出制御ＣＰＵ１２６は、先のステージ管理処理にて決定されたステージステータスの値に基づいて各種背景画像を選択する処理を実行する。例えば、ステージステータスの値が、繁華街ステージに対応するものであれば、演出制御ＣＰＵ１２６は背景画像として繁華街ステージ用の背景画像を選択する。また、演出制御ＣＰＵ１２６は、液晶画面の右上部分（表示領域Ｐ）に継続して表示するキャラクター画像についても、キャラクターステータスの値に基づいて選択する。
【０６３５】
以上の手順を終えると、演出制御ＣＰＵ１２６は演出図柄管理処理（末尾アドレス）に復帰する。これにより、その後の演出図柄変動中処理（図５９中のステップＳ５０４）において、実際に選択された変動演出パターンに基づいて変動表示演出及び結果表示演出が実行されるとともに（演出実行手段）、各種予告演出パターンに基づいて予告演出が実行される。その他、ここで選択された背景（滞在）モードパターンに基づいて、各種の滞在モード演出が実行される（演出実行手段）。
【０６３６】
〔デモ選択処理〕
図６１は、上記のデモ選択処理の手順例を示すフローチャートである。以下、手順例に沿って説明する。
【０６３７】
ステップＳ７０２：先ず演出制御ＣＰＵ１２６は、特別図柄の変動が開始したか否かを確認する。特別図柄の変動が開始した場合には、デモ演出を中断させるためである。具体的には、ＲＡＭ１３０の変動開始コマンドを確認することにより実現することができる。特別図柄の変動が開始した場合（ステップＳ７０２：Ｙｅｓ）、演出制御ＣＰＵ１２６は演出図柄変動前処理（図６０）に復帰する。これに対し、特別図柄の変動が開始していない場合（ステップＳ７０２：Ｎｏ）、演出制御ＣＰＵ１２６はステップＳ７０４の処理を実行する。
【０６３８】
ステップＳ７０４：演出制御ＣＰＵ１２６は、所定時間（例えば４０秒程度）が経過したか否かを確認する。所定時間が経過する前は、演出図柄の確定表示を維持するためである。具体的には、ＲＡＭ１３０の所定時間カウンタをカウントすることにより実現することができる。所定時間が経過していない場合（ステップＳ７０４：Ｎｏ）、演出制御ＣＰＵ１２６は演出図柄変動前処理（図６０）に復帰する。これに対し、所定時間が経過した場合（ステップＳ７０４：Ｙｅｓ）、演出制御ＣＰＵ１２６はステップＳ７０６の処理を実行する。
【０６３９】
ステップＳ７０６：演出制御ＣＰＵ１２６は、遊技者により演出切替ボタン４５が押されたか否かを確認する。具体的には、演出切替ボタン４５からの接点信号がガラス枠電飾基板１３６を通じて演出制御装置１２４に入力されたか否かを確認する。
【０６４０】
遊技者により演出切替ボタン４５が押されたと判断した場合（ステップＳ７０６：Ｙｅｓ）、演出制御ＣＰＵ１２６はステップＳ７１０の処理を実行する。これに対し、遊技者により演出切替ボタン４５が押されていないと判断した場合（ステップＳ７０６：Ｎｏ）、演出制御ＣＰＵ１２６はステップＳ７２０の処理を実行する。
【０６４１】
ステップＳ７１０：演出制御ＣＰＵ１２６は、デモ中キャラクター選択演出選択処理を実行する（待機状態中装飾画像選択演出実行手段）。なお、具体的な制御の内容については、さらに別のフローチャートを用いて後述する。
【０６４２】
ステップＳ７２０：演出制御ＣＰＵ１２６は、通常デモ演出選択処理を実行する。具体的には、パチンコ機１がいわゆる客待ち状態であることを表す演出の内容を規定したデモ演出パターン（例えば、図２９中（Ｃ）（Ｄ）等）を選択する。
【０６４３】
〔デモ中キャラクター選択演出選択処理（第１選択操作受付手段）〕
図６２は、上記のデモ中キャラクター選択演出選択処理の手順例を示すフローチャートである。以下、手順例に沿って説明する。
【０６４４】
ステップＳ７１１：先ず演出制御ＣＰＵ１２６は、特別図柄の変動が開始したか否かを確認する。特別図柄の変動が開始した場合には、デモ中キャラクター選択演出を中断させるためである。具体的には、ＲＡＭ１３０の変動開始コマンドを確認することにより実現することができる。特別図柄の変動が開始した場合（ステップＳ７１１：Ｙｅｓ）、演出制御ＣＰＵ１２６はデモ選択処理（図６１）に復帰する。これに対し、特別図柄の変動が開始していない場合（ステップＳ７１１：Ｎｏ）、演出制御ＣＰＵ１２６はステップＳ７１２の処理を実行する。
【０６４５】
ステップＳ７１２：演出制御ＣＰＵ１２６は、各キャラクター画像及びターゲットマークを表示する演出を選択する処理を実行する。具体的には、デモ中キャラクター選択演出（例えば、図３０等）を選択する処理を実行する。
【０６４６】
ステップＳ７１３：演出制御ＣＰＵ１２６は、遊技者によりジョグダイアル４５ａが操作されたか否かを確認する。具体的には、ジョグダイアル４５ａからの回転信号がガラス枠電飾基板１３６を通じて演出制御装置１２４に入力されたか否かを確認する。
【０６４７】
ジョグダイアル４５ａが操作されたと判断した場合（ステップＳ７１３：Ｙｅｓ）、演出制御ＣＰＵ１２６はステップＳ７１４の処理を実行する。これに対し、ジョグダイアル４５ａが操作されていないと判断した場合（ステップＳ７１３：Ｎｏ）、演出制御ＣＰＵ１２６はステップＳ７１４の処理を実行しない。
【０６４８】
ステップＳ７１４：演出制御ＣＰＵ１２６は、ターゲットマーク移動演出選択処理を実行する。具体的には、ジョグダイアル４５ａからの回転信号に応じて、ターゲットマークＴＭを移動させる演出（図３０中（Ｃ））を選択する処理を実行する。
【０６４９】
ステップＳ７１５：演出制御ＣＰＵ１２６は、所定時間（例えば１分程度）が経過したか否か、又は遊技者により演出切替ボタン４５が押されたか否かを確認する。所定時間が経過する前は、デモ中キャラクター選択演出を継続させるためであり、演出切替ボタン４５が押された場合は、デモ中キャラクター選択演出を終了させるためである。
【０６５０】
いずれかの条件が満たされた場合（ステップＳ７１５：Ｙｅｓ）、演出制御ＣＰＵ１２６はステップＳ７１６の処理を実行する。これに対していずれの条件も満たされない場合（ステップＳ７１５：Ｎｏ）、演出制御ＣＰＵ１２６はステップＳ７１１に戻ってこれまでの処理を繰り返す。
【０６５１】
ステップＳ７１６：演出制御ＣＰＵ１２６は、キャラクターステータスの更新処理を実行する。具体的には、最終的にターゲットマークが表示されていたキャラクター画像の識別番号をキャラクターステータスにセットする。キャラクターステータスの値は、ＲＡＭ１３０に記憶されており、デモ中キャラクター選択演出が実行されて、新たなキャラクターが選択されるたびに更新される。なお、キャラクターステータスの初期値は、最初に３の演出図柄に設定されるキャラクター画像に対応する値を設定しておくとよい。
【０６５２】
ステップＳ７１８：演出制御ＣＰＵ１２６は、演出図柄生成処理を実行する。具体的には、遊技者が選択したキャラクター画像と、元の３の演出図柄に配置されているキャラクター画像とを入れ替える処理を行う（図３１参照）。
【０６５３】
〔ステージ管理処理〕
図６３は、上記のステージ管理処理の手順例を示すフローチャートである。以下、手順例に沿って説明する。
【０６５４】
ステップＳ８００：先ず演出制御ＣＰＵ１２６は、前回の当選図柄（当選種類）が「７ラウンド通常図柄１〜３」又は「７ラウンド確変図柄２」であり、かつ、当選後所定の変動回数（例えば、４０回）以下であるか否かを確認する。具体的には、演出制御ＣＰＵ１２６はＲＡＭ１３０のコマンドバッファ領域にアクセスして、停止図柄コマンドを確認して前回の当選図柄を確認することができる。変動回数については、大当り遊技終了後からの変動回数をカウントすることにより確認することができる。
【０６５５】
その結果、前回の当選図柄（当選種類）が「７ラウンド通常図柄１〜３」又は「７ラウンド確変図柄２」であり、かつ、当選後所定の変動回数（例えば、４０回）以下であることを確認した場合（ステップＳ８００：Ｙｅｓ）、演出制御ＣＰＵ１２６はステップＳ８０２を実行する。これに対して、前回の当選図柄（当選種類）が「７ラウンド通常図柄１〜３」又は「７ラウンド確変図柄２」のいずれでもないか、もしくは前回の当選図柄（当選種類）が「７ラウンド通常図柄１〜３」又は「７ラウンド確変図柄２」であったとしても当選後所定の変動回数（例えば、４０回）を超えていることを確認した場合（ステップＳ８００：Ｎｏ）、演出制御ＣＰＵ１２６はステップＳ８０４を実行する。
【０６５６】
ステップＳ８０２：演出制御ＣＰＵ１２６は、ステージステータスに祭りゾーン用の値をセットする。ステージステータスの値は、ＲＡＭ１３０に記憶されており、遊技の進行度合いに応じて、新たな値に更新される。なお、ステージステータスの初期値は、繁華街ステージ用の値を設定しておくとよい。
【０６５７】
ステップＳ８０４：演出制御ＣＰＵ１２６は、内部状態が時間短縮状態であるか否かを確認する。具体的には、演出制御ＣＰＵ１２６はＲＡＭ１３０のコマンドバッファ領域にアクセスし、状態指定コマンドを確認して内部状態が時間短縮状態であるか否かを確認する。
【０６５８】
その結果、内部状態が時間短縮状態であることを確認した場合（ステップＳ８０４：Ｙｅｓ）、演出制御ＣＰＵ１２６はステップＳ８１０を実行する。これに対して、内部状態が時間短縮状態でないことを確認した場合（ステップＳ８０４：Ｎｏ）、演出制御ＣＰＵ１２６はステップＳ８０６を実行する。
【０６５９】
ステップＳ８０６：演出制御ＣＰＵ１２６は、ステージチェンジ演出実行可否抽選を行い、その抽選に当選したか否かを確認する。具体的には、所定の当選確率（例えば１／５０程度）の演出抽選を行い、その抽選に当選したか否かを確認する。
【０６６０】
その結果、ステージチェンジ演出実行可否抽選に当選した場合（ステップＳ８０６：Ｙｅｓ）、演出制御ＣＰＵ１２６はステップＳ８０８を実行する。これに対して、ステージチェンジ演出実行可否抽選に当選しなかった場合（ステップＳ８０６：Ｎｏ）、演出制御ＣＰＵ１２６は演出図柄変動前処理（図６０）に復帰する。
【０６６１】
ステップＳ８０８：演出制御ＣＰＵ１２６は、ステージステータスに店内ステージ用の値又は繁華街ステージ用の値をセットする。この場合、現在のステージステータスが繁華街ステージ用の値であれば、これとは逆の店内ステージ用の値をセットし、現在のステージステータスが店内ステージ用の値であれば、これとは逆の繁華街ステージ用の値をセットする。また、店内ステージ用の値をセットする場合は、キャラクターステータスを参照することにより、キャラクターステータスが所属している店舗のステージステータス（クラブＡ又はクラブＢ）を設定する。
【０６６２】
ステップＳ８１０：演出制御ＣＰＵ１２６は、内部状態が高確率状態であるか否かを確認する。具体的には、演出制御ＣＰＵ１２６はＲＡＭ１３０のコマンドバッファ領域にアクセスし、状態指定コマンドを確認して内部状態が高確率状態であるか否かを確認する。
【０６６３】
その結果、内部状態が高確率状態であることを確認した場合（ステップＳ８１０：Ｙｅｓ）、演出制御ＣＰＵ１２６はステップＳ８１２を実行する。これに対して、内部状態が高確率状態でないことを確認した場合（ステップＳ８１０：Ｎｏ）、演出制御ＣＰＵ１２６はステップＳ８１４を実行する。
【０６６４】
ステップＳ８１２：演出制御ＣＰＵ１２６は、ステージステータスに花火モード用の値をセットする。
【０６６５】
ステップＳ８１４：演出制御ＣＰＵ１２６は、ステージステータスに海岸モード用の値をセットする。
【０６６６】
いずれにしても、上記ステップＳ８０２、ステップＳ８０８、ステップＳ８１２又はステップＳ８１４の処理を終えると、演出制御ＣＰＵ１２６は演出図柄変動前処理（図６０）に復帰する。
【０６６７】
〔可変入賞装置作動時処理〕
図６４は、上記の可変入賞装置作動時処理の手順例を示すフローチャートである。以下、手順例に沿って説明する。
【０６６８】
ステップＳ９００：先ず演出制御ＣＰＵ１２６は、今回の当選が「第１特別図柄」に基づくものであるか否かを確認する。具体的には、演出制御ＣＰＵ１２６はＲＡＭ１３０のコマンドバッファ領域にアクセスして、停止図柄コマンドを確認し今回の当選が「第１特別図柄」に基づくものであるか否かを確認する。
【０６６９】
今回の当選が「第１特別図柄」に基づくものである場合（ステップＳ９００：Ｙｅｓ）、演出制御ＣＰＵ１２６はステップＳ９１０を実行する。
今回の当選が「第１特別図柄」に基づくものでない場合（ステップＳ９００：Ｎｏ）、すなわち、今回の当選が「第２特別図柄」に基づくものである場合、演出制御ＣＰＵ１２６はステップＳ９２０を実行する。
【０６７０】
ステップＳ９１０：演出制御ＣＰＵ１２６は、第１特別図柄当選時処理を実行する。なお、具体的な制御の内容については、さらに別のフローチャートを用いて後述する。
ステップＳ９２０：演出制御ＣＰＵ１２６は、第２特別図柄当選時処理を実行する。なお、具体的な制御の内容については、さらに別のフローチャートを用いて後述する。
以上の処理を終えると、演出制御ＣＰＵ１２６は演出図柄管理処理（図５９）に復帰する。
【０６７１】
〔第１特別図柄当選時処理〕
図６５は、上記の第１特別図柄当選時処理の手順例を示すフローチャートである。以下、手順例に沿って説明する。
【０６７２】
ステップＳ９１１：先ず演出制御ＣＰＵ１２６は、今回の当選図柄（当選種類）が「７ラウンド通常図柄１〜３」又は「７ラウンド確変図柄２」のいずれかに該当するか否かを確認する。具体的には、演出制御ＣＰＵ１２６はＲＡＭ１３０のコマンドバッファ領域にアクセスして、停止図柄コマンドを確認し当選図柄が「７ラウンド通常図柄１〜３」又は「７ラウンド確変図柄２」に該当するか否かを確認する。
【０６７３】
その結果、今回の当選図柄（当選種類）が「７ラウンド通常図柄１〜３」又は「７ラウンド確変図柄２」のいずれかに該当することを確認した場合（ステップＳ９１１：Ｙｅｓ）、演出制御ＣＰＵ１２６はステップＳ９１２を実行する。これに対して、今回の当選図柄（当選種類）が「７ラウンド通常図柄１〜３」又は「７ラウンド確変図柄２」のいずれにも該当しないことを確認した場合（ステップＳ９１１：Ｎｏ）、演出制御ＣＰＵ１２６はステップＳ９１４を実行する。
【０６７４】
ステップＳ９１２：演出制御ＣＰＵ１２６は、継続可否演出選択処理を実行する。具体的には、図４４中（Ｂ）（Ｃ）等の演出を選択する処理を実行する。
ステップＳ９１３：演出制御ＣＰＵ１２６は、継続失敗演出選択処理を実行する。具体的には、図４５中（Ｄ）（Ｅ）等の演出を選択する処理を実行する。
これらの処理は、最初に選択していたキャラクター（第１キャラクター）についての完了演出を選択しない処理に相当する。
【０６７５】
ステップＳ９１４：次に演出制御ＣＰＵ１２６は、今回の当選図柄（当選種類）が「７ラウンド確変図柄１」に該当するか否かを確認する。具体的には、演出制御ＣＰＵ１２６はＲＡＭ１３０のコマンドバッファ領域にアクセスして、停止図柄コマンドを確認し当選図柄が「７ラウンド確変図柄１」に該当するか否かを確認する。
【０６７６】
その結果、今回の当選図柄（当選種類）が「７ラウンド確変図柄１」に該当することを確認した場合（ステップＳ９１４：Ｙｅｓ）、演出制御ＣＰＵ１２６はステップＳ９１５を実行する。これに対して、今回の当選図柄（当選種類）が「７ラウンド確変図柄１」に該当しないことを確認した場合（ステップＳ９１４：Ｎｏ）、すなわち、今回の当選図柄（当選種類）が「１４ラウンド確変図柄２」に該当することを確認した場合、演出制御ＣＰＵ１２６はステップＳ９１７を実行する。
【０６７７】
ステップＳ９１５：演出制御ＣＰＵ１２６は、継続可否演出選択処理を実行する。具体的には、図４４中（Ｂ）（Ｃ）等の演出を選択する処理を実行する。
ステップＳ９１６：演出制御ＣＰＵ１２６は、継続成功演出選択処理を実行する。具体的には、図４５中（Ｇ）（Ｈ）等の演出を選択する処理を実行する。
【０６７８】
ステップＳ９１７：演出制御ＣＰＵ１２６は、特殊演出選択処理を実行する。具体的には、図４６中（Ａ）〜（Ｃ）等の演出を選択する処理を実行する。この処理は、最初に選択されたキャラクター（第１キャラクター）が登場する大当り遊技中の演出を選択し、その中で実行される完了演出を選択する処理に相当する（第２選択操作受付手段）。
【０６７９】
ステップＳ９５０：演出制御ＣＰＵ１２６は、大役中新キャラクター選択演出選択処理を実行する。具体的には、図４７中（Ｄ）等の演出を選択する処理を実行する。この処理は、大当り遊技中に次のキャラクターを選択可能とする演出を選択する処理に相当する（第２選択操作受付手段）。なお、具体的な制御の内容については、さらに別のフローチャートを用いて後述する。
【０６８０】
〔第２特別図柄当選時処理〕
図６６は、上記の第２特別図柄当選時処理の手順例を示すフローチャートである。以下、手順例に沿って説明する。
【０６８１】
ステップＳ９２１：先ず演出制御ＣＰＵ１２６は、今回の当選図柄（当選種類）が「１４ラウンド通常図柄１〜３」のいずれかに該当するか否かを確認する。具体的には、演出制御ＣＰＵ１２６はＲＡＭ１３０のコマンドバッファ領域にアクセスして、停止図柄コマンドを確認し当選図柄が「１４ラウンド通常図柄１〜３」のいずれかに該当するか否かを確認する。
【０６８２】
その結果、今回の当選図柄（当選種類）が「１４ラウンド通常図柄１〜３」のいずれかに該当することを確認した場合（ステップＳ９２１：Ｙｅｓ）、演出制御ＣＰＵ１２６はステップＳ９２２を実行する。これに対して、今回の当選図柄（当選種類）が「１４ラウンド通常図柄１〜３」のいずれにも該当しないことを確認した場合（ステップＳ９２１：Ｎｏ）、演出制御ＣＰＵ１２６はステップＳ９２４を実行する。
【０６８３】
ステップＳ９２２：演出制御ＣＰＵ１２６は、完了可否演出選択処理を実行する。具体的には、図５０，図５１等の演出を選択する処理を実行する。このような処理は、例えば２番目以降に選択されたキャラクターが登場する大当り遊技中の演出を選択する処理に相当する（第２キャラクター演出実行手段、第３キャラクター演出実行手段、次回以降キャラクター演出実行手段）。
【０６８４】
ステップＳ９２３：演出制御ＣＰＵ１２６は、非完了演出選択処理を実行する。具体的には、図５２中（Ｇ）（Ｈ）等の演出を選択する処理を実行する（非完了演出実行手段）。なお、この処理の流れの場合、大役中新キャラクター選択演出選択処理（ステップＳ９５０）が実行されないため、キャラクターステータスは更新されず、キャラクターステータスの値は大当り遊技の開始前の状態が保たれる。したがって、大当り遊技の終了後に以降される海岸モード（時間短縮状態）にて再度大当りとなれば、同一キャラクター画像による完了可否演出や特殊演出等が実行されることとなる（再登場演出実行手段）。
【０６８５】
ステップＳ９２４：次に演出制御ＣＰＵ１２６は、今回の当選図柄（当選種類）が「１４ラウンド確変図柄２」に該当するか否かを確認する。具体的には、演出制御ＣＰＵ１２６はＲＡＭ１３０のコマンドバッファ領域にアクセスして、停止図柄コマンドを確認し当選図柄が「１４ラウンド確変図柄２」に該当するか否かを確認する。
【０６８６】
その結果、今回の当選図柄（当選種類）が「１４ラウンド確変図柄２」に該当することを確認した場合（ステップＳ９２４：Ｙｅｓ）、演出制御ＣＰＵ１２６はステップＳ９２５を実行する。これに対して、今回の当選図柄（当選種類）が「１４ラウンド確変図柄２」に該当しないことを確認した場合（ステップＳ９２４：Ｎｏ）、すなわち、今回の当選図柄（当選種類）が「１４ラウンド確変図柄１」に該当することを確認した場合、演出制御ＣＰＵ１２６はステップＳ９２７を実行する。
【０６８７】
ステップＳ９２５：演出制御ＣＰＵ１２６は、完了可否演出選択処理を実行する。具体的には、図５０，図５１等の演出を選択する処理を実行する。このような処理は、例えば２番目以降に選択されたキャラクターが登場する大当り遊技中の演出を選択する処理に相当する（第２キャラクター演出実行手段、第３キャラクター演出実行手段、次回以降キャラクター演出実行手段）。
【０６８８】
ステップＳ９２６：演出制御ＣＰＵ１２６は、完了演出選択処理を実行する。具体的には、図５２中（Ｋ）（Ｌ）等の演出を選択する処理を実行する。この処理は、２番目以降に選択されたキャラクター（第２キャラクター、第３キャラクター、次回以降のキャラクター）についての完了演出を選択する処理に相当する（第３選択操作受付手段）。
【０６８９】
ステップＳ９２７：演出制御ＣＰＵ１２６は、特殊演出選択処理を実行する。具体的には、図４６等の演出を選択する処理を実行する。この処理は、２番目以降に選択されたキャラクター（第２キャラクター、第３キャラクター、次回以降のキャラクター）が登場する大当り遊技中の演出を選択し、その中で実行される完了演出を選択する処理に相当する（第３選択操作受付手段）。
【０６９０】
ステップＳ９２８：演出制御ＣＰＵ１２６は、選択キャラクターの完了フラグをＯＮにセットする。具体的には、遊技者が始めに選択していたキャラクターの完了フラグをＯＮにセットする。選択キャラクターの完了フラグは、キャラクター別にＲＡＭ１３０に記憶されており、初期値は「０」としておき、対象キャラクターについて完了演出又は特殊演出が実行された場合は、完了したことを示す値として「１」をセットする。
【０６９１】
ステップＳ９５０：演出制御ＣＰＵ１２６は、大役中新キャラクター選択演出選択処理を実行する。具体的には、図５２中（Ｍ）等の演出を選択する処理を実行する。この処理は、前回の大当り遊技中に選択したキャラクターとは別のキャラクターの選択情報を受け付ける処理に相当する（第３選択操作受付手段）。なお、具体的な制御の内容については、さらに別のフローチャートを用いて後述する。
【０６９２】
〔大役中新キャラクター選択演出選択処理〕
図６７は、上記の大役中新キャラクター選択演出選択処理の手順例を示すフローチャートである。以下、手順例に沿って説明する。
【０６９３】
ステップＳ９５１：先ず演出制御ＣＰＵ１２６は、キャラクターステータスの値をＲＡＭ１３０からロードする。これにより、現在まで選択していたキャラクター画像がいずれのキャラクター画像であったかを認識することができる。
【０６９４】
ステップＳ９５２：次に演出制御ＣＰＵ１２６は、残存キャラクター及びターゲットマークを表示する演出を選択する処理を実行する。
残存キャラクター画像については、選択キャラクターの完了フラグの値に基づいて、完了フラグがＯＦＦであるキャラクター画像を表示する処理を実行する。ただし、表示対象となる残存キャラクター画像は、基本的には同一店舗内のキャラクター画像となる。なお、残存キャラクターの表示方法は、上述した通りである（図５５，図５６参照）。
【０６９５】
ステップＳ９５３：演出制御ＣＰＵ１２６は、遊技者によりジョグダイアル４５ａが操作されたか否かを確認する。具体的には、ジョグダイアル４５ａからの回転信号がガラス枠電飾基板１３６を通じて演出制御装置１２４に入力されたか否かを確認する。
【０６９６】
ジョグダイアル４５ａが操作されたと判断した場合（ステップＳ９５３：Ｙｅｓ）、演出制御ＣＰＵ１２６はステップＳ９５４の処理を実行する。これに対し、ジョグダイアル４５ａが操作されていないと判断した場合（ステップＳ９５３：Ｎｏ）、演出制御ＣＰＵ１２６はステップＳ９５４の処理を実行しない。
【０６９７】
ステップＳ９５４：演出制御ＣＰＵ１２６は、ターゲットマーク移動演出選択処理を実行する。具体的には、ジョグダイアル４５ａからの回転信号に応じて、ターゲットマークを移動させる演出を選択する処理を実行する。
【０６９８】
ステップＳ９５５：演出制御ＣＰＵ１２６は、所定時間（例えば１ラウンド分、又は複数ラウンド分程度の時間）が経過したか否か、又は遊技者により演出切替ボタン４５が押されたか否かを確認する。所定時間が経過する前は、大役中新キャラクター選択演出を継続させるためであり、演出切替ボタン４５が押された場合は、大役中新キャラクター選択演出を終了させるためである。
【０６９９】
いずれかの条件が満たされた場合（ステップＳ９５５：Ｙｅｓ）、演出制御ＣＰＵ１２６はステップＳ９５６の処理を実行する。これに対していずれの条件も満たされない場合（ステップＳ９５５：Ｎｏ）、演出制御ＣＰＵ１２６はステップＳ９５２に戻ってこれまでの処理を繰り返す。
【０７００】
ステップＳ９５６：演出制御ＣＰＵ１２６は、キャラクターステータスの更新処理を実行する。具体的には、最終的にターゲットマークが表示されていたキャラクター画像に対応する値（識別番号）をキャラクターステータスにセットする。
【０７０１】
ステップＳ９５７：演出制御ＣＰＵ１２６は、演出図柄生成処理を実行する。具体的には、遊技者が選択したキャラクター画像と、元の３の演出図柄に配置されているキャラクター画像とを入れ替える処理を行う（図３１参照）。
【０７０２】
以上の手順を終えると、演出制御ＣＰＵ１２６は第１特別図柄当選時処理（図６５）又は第２特別図柄当選時処理（図６６）の末尾のアドレスに復帰する。
【０７０３】
以上説明したように、本実施形態によれば、遊技者の好みに合わせて新たな演出図柄が生成されるため、遊技者としては自ら演出図柄をカスタマイズすることができ、遊技者の興趣を向上させることができる。
【０７０４】
その上で、本実施形態では、演出図柄の変動表示演出（予告演出、リーチ演出、大役中演出）に際しては、遊技者により選択されたキャラクター画像が高頻度で利用されることとなるため、遊技者の好みを反映した演出図柄が変動表示演出を行うだけでなく、遊技者が好みのキャラクター画像が各種の演出中に高頻度で出現（登場）することとなる。
【０７０５】
したがって、遊技者の好みが演出図柄に反映されるのみならず、遊技者の好みが各種の演出にも反映されることとなり、遊技者の好みを遊技内容に密接に（より深く）反映させて、遊技性を大きく向上させることができる。
【０７０６】
また本実施形態では、遊技者の任意に選択されたキャラクター画像で表されるキャラクターが遊技中の演出に登場するとともに、当選時に特定条件（例として１４ラウンド確変大当り１又は２に該当すること）を満たす限り、連続して次の新しいキャラクターを選択する権利が遊技者に付与される。これにより、遊技者による選択の自由度を確保しつつも、そこに「連続して特定条件を満たしながら、どこまでキャラクターを選択（完了）していくことができるか」といった遊技性を持たせることができる。
【０７０７】
また、当選時に特定条件を満たしたかについては、第１特別図柄表示装置３４又は第２特別図柄表示装置３５による表示態様からは判別が容易でないため、遊技者にとっては「特定条件を満たしたか否か」を知る上で、大当り遊技中の演出が大きなウェイトを占めることになる。これにより、大当り遊技中も遊技者の緊張感を維持し、遊技の単調化を防止して意欲の低下を抑えることができる。
【０７０８】
そして、特定条件を満たす場合は「完了演出」が発生し、そこから次のキャラクターの選択演出に切り替わるため、遊技者に達成感や安心感を与えつつも、「次のキャラクターも完了（クリア）してみせよう」との意欲を沸き立たせ、新たな挑戦を意識させることができる。
【０７０９】
さらに、たとえ特定条件を満たす大当りが途切れたとしても、時短中（特定期間内）での引き戻しがあれば、選択していたキャラクターを再登場させてリベンジ演出が行われるため、遊技者に対して「直前まで選択していたキャラクターの名残」を明確に感じさせ、連続した遊技性を維持することができる。
【０７１０】
また、引き戻し時に特定条件を満たすことで「リベンジ成功」の場合、再登場させたキャラクターについて完了（クリア）となるため、そこから新たに次のキャラクターを選択する権利が遊技者に付与されることになる。これにより、遊技者に「やり直し感」を抱かせることなく、挑戦しがいのある遊技性を提供することができる。
【０７１１】
本発明は上述した一実施形態に制約されることなく、種々に変形して実施することができる。一実施形態で挙げた演出の態様は例示であり、上述した演出の態様に限定されるものではない。
【０７１２】
一実施形態で挙げたキャラクター画像Ｓ１〜Ｓ７，Ｔ１〜Ｔ７，Ｃ１等の設定はあくまで例示であり、これらの態様は適宜に変更可能である。例えば、キャラクター画像Ｓ１〜Ｓ７，Ｔ１〜Ｔ７，Ｃ１以外のキャラクターを用いて数を増減してもよい。
【０７１３】
また一実施形態では、クラブＡに所属するキャラクターを選択している場合、その全員を完了するまでクラブＢに所属するキャラクターを選択不可としているが、途中で異なる店舗のキャラクターを選択可能としてもよい。あるいは、代表キャラクター画像Ｓ７，Ｔ７や特殊キャラクター画像Ｃ１を最初から選択可能としてもよい。
【０７１４】
その他の演出例であげた画像はあくまで一例であり、これらは適宜に変形することができる。また、パチンコ機１の構造や盤面構成等は図示のものも含めて好ましい例示であり、これらを適宜に変形可能であることはいうまでもない。
【０７１５】
上述した実施形態では、演出図柄を装飾する装飾画像は、キャラクター画像を用いる例で説明したが、風景の画像や動物の画像等を用いてもよい。
また、遊技者により選択されたキャラクター画像は、３の演出図柄に割り当てる例で説明したが、他の演出図柄（例えば、７の演出図柄）に割り当てるようにしてもよい。
【符号の説明】
【０７１６】
１    パチンコ機
８    遊技盤
８ａ  遊技領域
２０    始動ゲート
２６    上始動入賞口
２８    可変始動入賞装置
２８ａ  下始動入賞口
３３    普通図柄表示装置
３３ａ  普通図柄作動記憶ランプ
３４    第１特別図柄表示装置
３５    第２特別図柄表示装置
３４ａ  第１特別図柄作動記憶ランプ
３５ａ  第２特別図柄作動記憶ランプ
３８    遊技状態表示装置
４２    液晶表示器
７０    主制御装置
７２    主制御ＣＰＵ
７４    ＲＯＭ
７６    ＲＡＭ
１２４    演出制御装置
１２６    演出制御ＣＰＵ
【図２】
0005947423.tif 000002
【図３】
0005947423.tif 000003
【図４】
0005947423.tif 000004
【図５】
0005947423.tif 000005
【図６】
0005947423.tif 000006
【図７】
0005947423.tif 000007
【図８】
0005947423.tif 000008
【図９】
0005947423.tif 000009
【図１０】
0005947423.tif 000010
【図１１】
0005947423.tif 000011
【図１２】
0005947423.tif 000012
【図１３】
0005947423.tif 000013
【図１４】
0005947423.tif 000014
【図１５】
0005947423.tif 000015
【図１６】
0005947423.tif 000016
【図１７】
0005947423.tif 000017
【図１８】
0005947423.tif 000018
【図１９】
0005947423.tif 000019
【図２０】
0005947423.tif 000020
【図２１】
0005947423.tif 000021
【図２２】
0005947423.tif 000022
【図２３】
0005947423.tif 000023
【図２４】
0005947423.tif 000024
【図２５】
0005947423.tif 000025
【図２６】
0005947423.tif 000026
【図５７】
0005947423.tif 000027
【図５８】
0005947423.tif 000028
【図５９】
0005947423.tif 000029
【図６０】
0005947423.tif 000030
【図６１】
0005947423.tif 000031
【図６２】
0005947423.tif 000032
【図６３】
0005947423.tif 000033
【図６４】
0005947423.tif 000034
【図６５】
0005947423.tif 000035
【図６６】
0005947423.tif 000036
【図６７】
0005947423.tif 000037
【図１】
0005947423.tif 000038
【図２７】
0005947423.tif 000039
【図２８】
0005947423.tif 000040
【図２９】
0005947423.tif 000041
【図３０】
0005947423.tif 000042
【図３１】
0005947423.tif 000043
【図３２】
0005947423.tif 000044
【図３３】
0005947423.tif 000045
【図３４】
0005947423.tif 000046
【図３５】
0005947423.tif 000047
【図３６】
0005947423.tif 000048
【図３７】
0005947423.tif 000049
【図３８】
0005947423.tif 000050
【図３９】
0005947423.tif 000051
【図４０】
0005947423.tif 000052
【図４１】
0005947423.tif 000053
【図４２】
0005947423.tif 000054
【図４３】
0005947423.tif 000055
【図４４】
0005947423.tif 000056
【図４５】
0005947423.tif 000057
【図４６】
0005947423.tif 000058
【図４７】
0005947423.tif 000059
【図４８】
0005947423.tif 000060
【図４９】
0005947423.tif 000061
【図５０】
0005947423.tif 000062
【図５１】
0005947423.tif 000063
【図５２】
0005947423.tif 000064
【図５３】
0005947423.tif 000065
【図５４】
0005947423.tif 000066
【図５５】
0005947423.tif 000067
【図５６】
0005947423.tif 000068